(57)【要約】シリコーン化合物、送達組成物、組成物、かかるシリコーン化合物を含むパッケージ化製品及びディスプレイ、並びに、かかる有益剤送達組成物、組成物、パッケージ化製品及びディスプレイを製造及び使用する方法。このような組成物は、組成物及び／又は部位に、向上した有益特性を付与できる向上した付着及び保持特性を有している。このようなシリコーン化合物は、悪臭マスキングに加えて、このような化合物が悪臭の感覚細胞へのアクセスを遮断し、更に、このようなセンサー細胞を他の分子、例えば芳香分子に対して開放したままにすることによって、悪臭低減の更なる問題を解決する。したがって、本明細書にて開示される悪臭制御技術は、悪臭制御技術でトリートメントされた芳香を放つ場所又は芳香を放たない場所の香りを過度に妨害しない。【特許請求の範囲】
【請求項１】
シリコーン部分及び有益剤部分を含む、シリコーン化合物。
【請求項２】
式：
［Ｒ１Ｒ２Ｒ３ＳｉＯ１／２］（ｊ＋２ｌ＋２）［Ｒ４Ｒ５ＳｉＯ２／２］ｍ［Ｒ６ＳｉＯ３／２］ｊ［ＳｉＯ４／２］ｌ
を有する前記シリコーン化合物であって、式中、
ａ）ｊは、０〜１５０、好ましくは１〜１５０、より好ましくは０〜５０、最も好ましくは０〜２０の整数であり、
ｂ）ｍは、０〜１５００、好ましくは１〜１５００、より好ましくは２０〜１０００、最も好ましくは２０〜４００の整数であり、
ｃ）ｌは、０〜１５０、好ましくは１〜１５０、より好ましくは０〜５０、最も好ましくは０〜２０の整数であり、
但し、ｊ＋ｍ＋ｌは、１以上の整数に等しく、部分Ｒ１〜Ｒ６のうちの少なくとも１つは、Ｘ−Ｚであり、
ｄ）Ｒ１、Ｒ２、Ｒ３、Ｒ４、Ｒ５及びＲ６部分のそれぞれは、独立して、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリール、Ｃ１〜Ｃ３２アルコキシ及びＣ１〜Ｃ３２置換アルコキシ並びにＸ−Ｚからなる群から選択され、好ましくは各Ｒ１〜６は、独立して、ＯＨ、Ｃ１〜Ｃ２アルキル、Ｃ１〜Ｃ２置換アルキル、Ｃ１〜Ｃ２アルコキシ、Ｃ１〜Ｃ２置換アルコキシ及びＸ−Ｚからなる群から選択され、
（ｉ）各Ｘは、独立して、酸素、又は２個〜１２個の炭素原子を含む置換若しくは非置換の二価のアルキレンラジカルであり、好ましくは各Ｘは、独立して、酸素、又は２個〜６個の炭素原子を含む置換若しくは非置換の二価のアルキレンラジカルであり、最も好ましくは各Ｘは、独立して、酸素、又は２個〜４個の炭素原子を含む置換若しくは非置換の二価のアルキレンラジカルであり、Ｘが、２個〜１２個の炭素原子を含む置換又は非置換の二価アルキレンラジカルを含む場合、
各Ｚは、独立して、
【化１】
2020525602.tif 000044
からなる群から選択され、
Ｘが、それぞれのＸ−Ｚ部分の酸素である場合、前記Ｘ−Ｚ部分のＺ部分は、Ｒ９であり、
各Ｒ７は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から選択され、
各Ｒ８は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から選択され、
各Ｒ９は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から選択され、好ましくはＲ９は、Ｘに共有結合した一級、二級又は三級炭素を含み、より好ましくはＲ９は、Ｘに共有結合した一級又は二級炭素を含み、最も好ましくはＲ９は、Ｘに共有結合した一級炭素を含み、
各Ｙは、独立して、２個〜１２個の炭素原子を含む置換又は非置換の二価のアルキレンラジカルであり、好ましくは各Ｙは、独立して、２個〜６個の炭素原子を含む置換又は非置換の二価のアルキレンラジカルであり、最も好ましくは各Ｙは、２個〜４個の炭素原子を含む置換又は非置換の二価のアルキレンラジカルであり、
好ましくは、各Ｚは、独立して、
【化２】
2020525602.tif 000045
からなる群から選択され、
最も好ましくは、各Ｚは、独立して、
【化３】
2020525602.tif 000046
からなる群から選択され、
好ましくは、少なくとも１つのＺが、
【化４】
2020525602.tif 000047
から選択され、
前記少なくとも１つのＺのイミン部分に共有結合したＲ７部分はＨではなく、前記少なくとも１つのＺ部分の、前記少なくとも１つのＺのイミン部分に共有結合した前記Ｒ７及びＲ８部分は、一級、二級又は三級炭素を介して前記イミン部分に結合し、好ましくは、前記少なくとも１つのＺのイミン部分に共有結合したＲ７又はＲ８の少なくとも１つが、一級炭素を介して前記イミン部分に結合し、より好ましくは、前記少なくとも１つのＺのイミン部分に共有結合したＲ７及びＲ８は、一級炭素を介して前記イミン部分に結合し、
好ましくは、前記少なくとも１つのＺのイミン部分に共有結合したＲ７部分がＨである場合、前記少なくとも１つのＺのイミン部分に共有結合したＲ８部分は、炭素−炭素二重結合における炭素原子でもある炭素原子を介して前記イミン部分に結合している、請求項１に記載のシリコーン化合物。
【請求項３】
各Ｚが、独立して、Ｒ９、
【化５】
2020525602.tif 000048
からなる群から選択され、
好ましくは、各Ｚは、Ｒ９、
【化６】
2020525602.tif 000049
からなる群から選択され、最も好ましくは、各Ｚは、独立して、Ｒ９、
【化７】
2020525602.tif 000050
からなる群から選択される、請求項２に記載のシリコーン化合物。
【請求項４】
少なくとも１つのＸが、酸素である、請求項２又は３に記載のシリコーン化合物。
【請求項５】
ａ）ｊは、０〜１５０、好ましくは１〜１００、より好ましくは１〜４０の整数であり、
ｂ）ｌは、０〜１５０、好ましくは０〜５０、より好ましくは０〜２０の整数であり、
ｃ）ｍは、０〜１５００、好ましくは２０〜１０００、より好ましくは２０〜４００の整数である、請求項２〜４のいずれか一項に記載のシリコーン化合物。
【請求項６】
少なくとも１つのＺ部分が、
【化８】
2020525602.tif 000051
である、請求項２〜５のいずれか一項に記載のシリコーン化合物。
【請求項７】
各Ｘは、独立して、２個〜１２個の炭素原子を含む置換又は非置換の二価のアルキレンラジカルであり、好ましくは各Ｘは、独立して、２個〜６個の炭素原子を含む置換又は非置換の二価のアルキレンラジカルであり、最も好ましくは各Ｘは、２個〜４個の炭素原子を含む置換又は非置換の二価のアルキレンラジカルであり、各Ｚは、独立して、
【化９】
2020525602.tif 000052
から選択され、
好ましくは各Ｚは、独立して、
【化１０】
2020525602.tif 000053
から選択され、
より好ましくは各Ｚは、独立して、
【化１１】
2020525602.tif 000054
から選択され、
ｊは、０〜１５０、好ましくは１〜１００、より好ましくは０〜４０の整数であり、
ｌは、０〜１５０、好ましくは０〜５０、より好ましくは０〜２０の整数であり、
ｍは、０〜１５００、好ましくは２０〜１０００、より好ましくは２０〜４００の整数である、請求項３、５、及び６のいずれか一項に記載のシリコーン化合物。
【請求項８】
ａ）ｊは、０であり、
ｂ）ｍは、２５０〜７５０、好ましくは３２５〜６７５、より好ましくは４００〜６００の整数であり、
ｃ）ｌは、０であり、
但し、ｊ＋ｍ＋ｌは、１以上の整数に等しく、部分Ｒ１〜Ｒ６のうちの少なくとも１つが、Ｘ−Ｚであることを条件とし、
ｄ）Ｒ１、Ｒ２、Ｒ３、Ｒ４のそれぞれは、Ｃ１アルキルであり、Ｒ５部分の９０．０〜９９．９％、好ましくは９５．０〜９９．５％、より好ましくは９６．５〜９８．５％が、Ｃ１アルキル部分であり、残りのＲ５部分は、Ｘ−Ｚ部分であり、
（ｉ）各Ｘは、３個の炭素原子を含む非置換の二価のアルキレンラジカルであり、
（ｉｉ）各Ｚは、独立して、
【化１２】
2020525602.tif 000055
からなる群から選択される、請求項２に記載のシリコーン化合物。
【請求項９】
ａ）ｊは、０〜２０の整数であり、
ｂ）ｍは、２０〜４００の整数であり、
ｃ）ｌは、０〜２０の整数であり、
ｄ）Ｒ１〜Ｒ６のそれぞれは、独立して、ＯＨ、Ｃ１〜Ｃ２アルキル、及びＸ−Ｚからなる群から選択され、
（ｉ）各Ｘは、独立して、酸素、又は２〜４個の炭素原子を含む置換若しくは非置換の二価のアルキレンラジカルであり、
（ｉｉ）各Ｚは、独立して、Ｒ９、
【化１３】
2020525602.tif 000056
からなる群から選択され、
各Ｒ７は、Ｈであり、
各Ｒ８は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から選択され、
各Ｒ９は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から選択され、Ｒ９は、Ｘと共有結合している一級炭素を含み、
各Ｙは、２個〜４個の炭素原子を含む置換又は非置換の二価のアルキレンラジカルであり、
好ましくは、各Ｚは、独立して、
【化１４】
2020525602.tif 000057
からなる群から選択される、
請求項１に記載のシリコーン化合物。
【請求項１０】
前記有益剤部分が、シリコーン、香料原料、防臭剤、臭気中和剤、悪臭、精油、エーテル、エステル、ケトン、アルコール、グリコール、シリコーン炭化水素、環状炭化水素、アルデヒド、テルピン、殺虫剤、防虫剤、農薬、抗菌剤、防カビ剤、除草剤及びこれらの混合物からなる群から選択される有益剤のフラグメントであり、好ましくは前記有益剤部分が、３０Ｄａ〜５００Ｄａの分子量、及び／又は−２．０〜８．０のＣＬｏｇＰ、好ましくは−２．０〜７．０のＣＬｏｇＰ、より好ましくは−２．０〜５．０を有する有益剤のフラグメントであり、好ましくは前記有益剤部分が、ビニルエーテル、ケトン、ヒドロキシル、アルデヒド、チオール、カルボキシル、シラノール、アルコキシ、アセトキシ及びこれらの混合物からなる群から選択される部分を含む有益剤のフラグメントであり、好ましくは前記有益剤部分が、ケトン、ヒドロキシル、アルデヒド、チオール、アルコキシ、及びこれらの混合物からなる群から選択される部分を含む有益剤のフラグメントであり、最も好ましくは前記有益剤部分が、ケトン、ヒドロキシル、アルデヒド及びこれらの混合物からなる群から選択される部分を含む有益剤のフラグメントである、請求項１〜９のいずれか一項に記載のシリコーン化合物。
【請求項１１】
前記有益剤部分が、２−（ｐ−トリル）プロパン−２−オール；（２−ヒドロキシ−４−メトキシフェニル）（フェニル）メタノン；４−メチル−１−オキサスピロ［５．５］ウンデカン−４−オール；７−メチル−２Ｈ−ベンゾ［ｂ］［１，４］ジオキセピン−３（４Ｈ）−オン；１，８−ジオキサシクロヘプタデカン−９−オン；４−（ｔｅｒｔ−ペンチル）シクロヘキサン−１−オン；３，７−ジメチルオクタナール；オクタナール；２−メチル−６−メチレンオクタ−７−エン−２−オール；テトラデカナール；２，２，６，８−テトラメチル−１，２，３，４，４ａ，５，８，８ａ−オクタヒドロナフタレン−１−オール；（Ｅ）−２，６−ジメチルオクタ−５，７−ジエン−２−オール；（Ｅ）−２，７−ジメチルオクタ−１，５，７−トリエン−３−オール；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；ノナナール；３，３−ジメチル−５（２，２，３−トリメチル−３−シクロペンテン−１−イル）−４−ペンテン−２−オール；１−（３−メチルベンゾフラン−２−イル）エタン−１−オン；（Ｅ）−３，７，１１−トリメチルドデカ−１，６，１０−トリエン−３−オール；（Ｚ）−３，７−ジメチルオクタ−２，６−ジエン−１−オール；２−（２−（４−メチルシクロヘキサ−３−エン−１−イル）プロピル）シクロペンタン−１−オン；６，６−ジメチルビシクロ［３．１．１］ヘプタ−２−エン−２−カルバルデヒド；（Ｅ）−４−（２，２，３，６−テトラメチルシクロヘキシル）ブタ−３−エン−２−オン；（Ｚ）−１−（２，６，６−トリメチルシクロヘキサ−１−エン−１−イル）ペンタ１−エン−３−オン；１，７−ジオキサシクロヘプタデカン−８−オン；１−（４−（ｔｅｒｔ−ブチル）−２，６−ジメチル−３，５−ジニトロフェニル）エタン−１−オン；３−メチルシクロペンタデカン−１−オン；（Ｅ）−３−メチルシクロペンタデカ−４−エン−１−オン；（Ｅ）−３，７−ジメチルオクタ−４，６−ジエン−３−オール；３−メチル−４−フェニルブタン−２−オール；１−（４−イソプロピルシクロヘキシル）エタン−１−オール；１−（４−イソプロピルシクロヘキシル）エタン−１−オール；２−メチルデカナール；４−フェニルブタン−２−オール；ウンデカン−２−オン；２−メチルウンデカナール；１−ヒドロキシデカン−３−オン；１−（ナフタレン−２−イル）エタン−１−オン；６−メトキシ−２，６−ジメチルヘプタナール；７−メトキシ−３，７−ジメチルオクタナール；７−イソプロピル−１０−メチル−１，５−ジオキサスピロ［５．５］ウンデカン−３−オール；オクタヒドロ−１Ｈ−４，７−メタノインデン−１−カルバルデヒド；（（１ｓ，４ｓ）−４−イソプロピルシクロヘキシル）メタノール；３−（３−（ｔｅｒｔ−ブチル）フェニル）−２−メチルプロパナール；２，２−ジメチル−３−（ｍ−トリル）プロパン−１−オール；８−イソプロピル−６−メチルビシクロ［２．２．２］オクタ−５−エン−２−カルバルデヒド；４−（４−ヒドロキシ−４−メチルペンチル）シクロヘキサ−３−エン−１−カルバルデヒド；（Ｚ）−３−ヘキセン−１−イル−２−シクロペンテン−１−オン；２−（５−メチル−５−ビニルテトラヒドロフラン−２−イル）プロパン−２−オール；６−メチル−２−（オキシラン−２−イル）ヘプタ−５−エン−２−オール；３，７−ジメチルオクタ−１，６−ジエン−３−オール；３−（４−メチルシクロヘキサ−３−エン−１−イル）ブタナール；（２，５−ジメチル−１，３−ジヒドロインデン−２−イル）メタノール；３−（４−（ｔｅｒｔ−ブチル）フェニル）−２−メチルプロパナール；２−メチル−５−（１−メチルエテニル）−２−シクロヘキセノン；（１Ｓ，５Ｒ）−２−メチル−５−（プロパ−１−エン−２−イル）シクロヘキサ−２−エン−１−オール；ドデカン−１−オール；５−ヘキシル−５−メチルジヒドロフラン−２（３Ｈ）−オン；ドデカナール；３，６−ジメチルヘキサヒドロベンゾフラン−２（３Ｈ）−オン；４−（１−エトキシビニル）−３，３，５，５−テトラメチルシクロヘキサン−１−オン；（（３Ｓ，３ａＲ，６Ｒ，８ａＳ）−７，７−ジメチル−８−メチレンオクタヒドロ−１Ｈ−３ａ，６−メタノアズレン−３−イル）メタノール；（１−メチル−２−（（１，２，２−トリメチルビシクロ［３．１．０］ヘキサン−３−イル）メチル）シクロプロピル）メタノール；（Ｅ）−６−（ペンタ−３−エン−１−イル）テトラヒドロ−２Ｈ−ピラン−２−オン；２−ヘキシルシクロペンタン−１−オン；（Ｚ）−４−（６，６−ジメチルシクロヘキサ−２−エン−１−イル）−３−メチルブタ−３−エン−２−オン；（１Ｒ，２Ｓ，５Ｒ）−５−メチル−２−（プロパ−１−エン−２−イル）シクロヘキサン−１−オール；４，９−ジメトキシ−７Ｈ−フロ［３，２−ｇ］クロメン−７−オン；（Ｅ）−シクロヘキサデカ−８−エン−１−オン；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；４−（４−メチルペンタ−３−エン−１−イル）シクロヘキサ−３−エン−１−カルバルデヒド；１−（（２Ｓ，３Ｓ）−２，３，８，８−テトラメチル−１，２，３，４，５，６，７，８−オクタヒドロナフタレン−２−イル）エタン−１−オン；２，５，６−トリメチルシクロヘキサ−３−エン−１−カルバルデヒド；４−（（２Ｒ）−１，７，７−トリメチルビシクロ［２．２．１］ヘプタン−２−イル）シクロヘキサン−１−オール；１，７，７−トリメチルビシクロ［２．２．１］ヘプタン−２−オール；（Ｅ）−オキサシクロヘプタデカ−１０−エン−２−オン；（Ｅ）−８−（１Ｈ−インドール−１−イル）−２，６−ジメチルオクタ−７−エン−２−オール；８，８−ジ（１Ｈ−インドール−１−イル）−２，６−ジメチルオクタン−２−オール；（７，７，８，８−テトラメチルオクタヒドロ−２，３ｂ−メタノシクロペンタ［１，３］シクロプロパ［１，２］ベンゼン−４−イル）メタノール；３，７−ジメチルオクタン−１，７−ジオール；２−シクロドデシルプロパン−１−オール；３−フェニルプロパン−１−オール；５−エチル−４−ヒドロキシ−２−メチルフラン−３（２Ｈ）−オン；２，３−ジヒドロ−３，３−ジメチル−１Ｈ−インデン−５−プロパナール；３−（３，３−ジメチル−２，３−ジヒドロ−１Ｈ−インデン−５−イル）プロパナール；（Ｚ）−２−ベンジリデンオクタナール；オキサシクロヘプタデカン−２−オン；３−（ベンゾ［ｄ］［１，３］ジオキソール−５−イル）−２−メチルプロパナール；（Ｅ）−オキサシクロヘキサデカ−１３−エン−２−オン；２−（（３Ｓ，５Ｒ，８Ｓ）−３，８−ジメチル−１，２，３，４，５，６，７，８−オクタヒドロアズレン−５−イル）プロパン−２−オール；１−（２，６，６−トリメチルシクロヘキサ−２−エン−１−イル）ペンタン−３−オン；（６Ｅ，１０Ｅ）−３，７，１１，１５−テトラメチルヘキサデカ−１，６，１０，１４−テトラエン−３−オール；（Ｅ）−２−（３，７−ジメチルオクタ−２，６−ジエン−１−イル）シクロペンタン−１−オン；５−ヘプチルジヒドロフラン−２（３Ｈ）−オン；１−メチル−４−（プロパン−２−イリデン）シクロヘキサン−１−オール；５−ペンチルジヒドロフラン−２（３Ｈ）−オン；５−［（Ｚ）−ヘキサ−３−エニル］オキソラン−２−オン；（Ｚ）−４−（２，２−ジメチル−６−メチレンシクロヘキシル）ブタ−３−エン−２−オン；２−（（２Ｒ，４ａＲ）−４ａ，８−ジメチル−１，２，３，４，４ａ，５，６，７−オクタヒドロナフタレン−２−イル）プロパン−２−オール；５−オクチルジヒドロフラン−２（３Ｈ）−オン；（Ｚ）−１−（２，２−ジメチル−６−メチレンシクロヘキシル）ブタ−２−エン−１−オン；５−ヘキシルジヒドロフラン−２（３Ｈ）−オン；１−（３，３−ジメチルシクロヘキシル）ペンタ−４−エン−１−オン；（６−イソプロピル−９−メチル−１，４−ジオキサスピロ［４．５］デカン−２−イル）メタノール；２−イソブチル−４−メチルテトラヒドロ−２Ｈ−ピラン−４−オール；（Ｚ）−６−エチリデンオクタヒドロ−２Ｈ−５，８−メタノクロメン−２−オン；３−（２−エチルフェニル）−２，２−ジメチルプロパナール；３−（２−エチルフェニル）−２，２−ジメチルプロパナール；（Ｅ）−４，８−ジメチルデカ−４，９−ジエナール；（Ｅ）−４−（（３ａＲ，４Ｒ，７Ｒ，７ａＲ）−１，３ａ，４，６，７，７ａ−ヘキサヒドロ−５Ｈ−４，７−メタノインデン−５−イリデン）−３−メチルブタン−２−オール；２−ヘプチルシクロペンタン−１−オン；１，３，３−トリメチルビシクロ［２．２．１］ヘプタン−２−オール；（２Ｅ，６Ｅ）−３，７，１１−トリメチルドデカ−２，６，１０−トリエン−１−オール；オキサシクロヘキサデカン−２−オン；（Ｅ）−シクロペンタデカ−４−エン−１−オン；１−シクロペンタデカ−４−エン−１−オン；２−メトキシ−４−（４−メチレンテトラヒドロ−２Ｈ−ピラン−２−イル）フェノール；４−アリル−２−メトキシフェノール；１，４−ジオキサシクロヘプタデカン−５，１７−ジオン；（Ｅ）−３，７−ジメチルノナ−１，６−ジエン−３−オール；ノナン−３−オン；２−（（１Ｒ，３Ｓ，４Ｓ）−４−メチル−３−（プロパ−１−エン−２−イル）−４−ビニルシクロヘキシル）プロパン−２−オール；（Ｅ）−３−メチル−５−（２，２，３−トリメチルシクロペンタ−３−エン−１−イル）ペンタ−４−エン−２−オール；（２Ｒ，３Ｓ，４Ｒ）−２，３，４，５−テトラヒドロキシペンタナール；（Ｅ）−４−（（３ａＳ，７ａＳ）−オクタヒドロ−５Ｈ−４，７−メタノインデン−５−イリデン）ブタナール；（２Ｒ，５Ｒ）−２−メチル−５−（プロパ−１−エン−２−イル）シクロヘキサン−１−オン；２−（２−ヒドロキシプロポキシ）プロパン−１−オール；７，９−ジメチルスピロ［５．５］ウンデカン−３−オン；２，６−ジメチルオクタ−７−エン−４−オン；２，６−ジメチルオクタ−７−エン−２−オール；３−メチル−２−ペンチルシクロペンタ−２−エン−１−オン；３，３，５−トリメチルシクロヘキサン−１−オン；２−メトキシ−４−プロピルフェノール；２−メチル−５−（プロパ−１−エン−２−イル）シクロヘキサン−１−オン；２−メチル−５−（プロパ−１−エン−２−イル）シクロヘキサン−１−オール；４−（２，６，６−トリメチルシクロヘキサ−２−エン−１−イル）ブタン−２−オン；３，７−ジメチルオクタ−６−エン−３−オール；６−ヘキシルテトラヒドロ−２Ｈ−ピラン−２−オン；６−ヘプチルテトラヒドロ−２Ｈ−ピラン−２−オン；６−ペンチルテトラヒドロ−２Ｈ−ピラン−２−オン；（Ｚ）−１−（（１Ｒ，２Ｓ）−２，６，６−トリメチルシクロヘキサ−３−エン−１−イル）ブタ−２−エン−１−オン；デカ−９−エン−１−オール；デカヒドロナフタレン−２−オール；３−（４−イソプロピルフェニル）−２−メチルプロパナール；シクロペンタデカノン；１，４−ジオキサシクロヘキサデカン−５，１６−ジオン；８，８−ジメチル−１，２，３，４，５，６，７，８−オクタヒドロナフタレン−２−カルバルデヒド；（４−イソプロピルフェニル）メタノール；１−（ベンゾフラン−２−イル）エタン−１−オン；４−シクロヘキシル−２−メチルブタン−２−オール；（Ｅ）−シクロヘプタデカ−９−エン−１−オン；３−（４−メチルシクロヘキサ−３−エン−１−イル）ブタン−１−オール；３，７−ジメチルオクタ−６−エン−１−オール；３，７−ジメチルオクタ−６−エナール；（Ｚ）−３−メチル−２−（ペンタ−２−エン−１−イル）シクロペンタ−２−エン−１−オン；（Ｅ）−オキサシクロヘプタデカ−１１−エン−２−オン；（Ｚ）−ノナ−６−エン−１−オール；
（１Ｒ，５Ｒ）−２−メチル−５−（プロパ−１−エン−２−イル）シクロヘキサ−２−エン−１−オール；（Ｚ）−デカ−４−エナール；（３Ｚ，６Ｚ）−ノナ−３，６−ジエン−１−オール；（Ｅ）−３−フェニルプロパ−２−エン−１−オール；４−クロロ−３，５−ジメチルフェノール；ヘキサデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；１，６−ジオキサシクロヘプタデカン−７−オン；１−（６−（ｔｅｒｔ−ブチル）−１，１−ジメチル−２，３−ジヒドロ−１Ｈ−インデン−４−イル）エタン−１−オン；（３Ｒ，３ａＳ，６Ｒ，７Ｒ，８ａＳ）−３，６，８，８−テトラメチルオクタヒドロ−１Ｈ−３ａ，７−メタノアズレン−６−オール；１，１，２，３，３−ペンタメチル−１，２，３，５，６，７−ヘキサヒドロ−４Ｈ−インデン−４−オン；（１Ｓ，２Ｓ，５Ｒ，８Ｓ）−４，４，８−トリメチルトリシクロ［６．３．１．０２，５］ドデカン−１−オール；５−イソプロピル−２−メチルフェノール；２−メチル−５−（プロパ−１−エン−２−イル）シクロヘキサ−２−エン−１−オン；オクタン−１−オール；デカナール；３−（４−メトキシフェニル）−２−メチルプロパナール；１，７，７−トリメチルビシクロ［２．２．１］ヘプタン−２−オン；２，６−ジ−ｔｅｒｔ−ブチル−４−メチルフェノール；２−メチル−４−（２，２，３−トリメチルシクロペンタ−３−エン−１−イル）ブタン−１−オール；３−（４−（ｔｅｒｔ−ブチル）フェニル）プロパナール；（Ｅ）−２−メチル−４−（２，６，６−トリメチルシクロヘキサ−１−エン−１−イル）ブタ−２−エナール；（１Ｓ，２Ｒ，４Ｓ）−１，７，７−トリメチルビシクロ［２．２．１］ヘプタン−２−オール；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキサン−１−オール；（２Ｚ，６Ｅ）−２，６−ジメチル−１０−メチレンドデカ−２，６，１１−トリエナール；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；（Ｓ）−４−メチル−１−（（Ｓ）−６−メチルヘプタ−５−エン−２−イル）シクロヘキサ−３−エン−１−オール；（Ｚ）−４−（２，２，６−トリメチル−７−オキサビシクロ［４．１．０］ヘプタン−１−イル）ブタ−３−エン−２−オン；４−メトキシ−７Ｈ−フロ［３，２−ｇ］クロメン−７−オン；２−メチル−４−フェニルブタン−２−オール；２−メチル−１−フェニルプロパン−２−オール；ベンゾフェノン；７−イソペンチル−２Ｈ−ベンゾ［ｂ］［１，４］ジオキセピン−３（４Ｈ）−オン；２，５，５−トリメチル−１，２，３，４，５，６，７，８−オクタヒドロナフタレン−２−オール；２，５，５−トリメチル−１，２，３，４，４ａ，５，６，７−オクタヒドロナフタレン−２−オール；１−（（２−（ｔｅｒｔ−ブチル）シクロヘキシル）オキシ）ブタン−２−オール；（１Ｓ，４Ｒ，５Ｒ）−１−イソプロピル−４−メチルビシクロ［３．１．０］ヘキサン−３−オン；（４Ｒ，４ａＳ）−４，４ａ−ジメチル−６−（プロパン−２−イリデン）−４，４ａ，５，６，７，８−ヘキサヒドロナフタレン−２（３Ｈ）−オン；（２Ｚ，６Ｅ，９Ｅ）−２，６，１０−トリメチルドデカ−２，６，９，１１−テトラエナール；（Ｅ）−５−（２，３−ジメチルトリシクロ［２．２．１．０２，６］ヘプタン−３−イル）−２−メチルペンタ−２−エン−１−オール；１−（５，５−ジメチルシクロヘキサ−１−エン−１−イル）ペンタ−４−エン−１−オン；（Ｒ，Ｚ）−１−（２，６，６−トリメチルシクロヘキサ−２−エン−１−イル）ペンタ−１−エン−３−オン；（Ｚ）−３−メチル−４−（２，６，６−トリメチルシクロヘキサ−２−エン−１−イル）ブタ−３−エン−２−オン；（Ｚ）−４−（２，５，６，６−テトラメチルシクロヘキサ−２−エン−１−イル）ブタ−３−エン−２−オン；２−（（２Ｒ，４ａＲ，８ａＲ）−４ａ，８−ジメチル−１，２，３，４，４ａ，５，６，８ａ−オクタヒドロナフタレン−２−イル）プロパン−２−オール；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；（Ｒ）−２−（（Ｒ）−４−メチルシクロヘキサ−３−エン−１−イル）ヘキサ−５−エン−２−オール；（Ｅ）−２−ベンジリデンヘプタン−１−オール；（Ｅ）−２−ベンジリデンヘプタナール；１−メチル−４−（４−メチルペンタ−３−エン−１−イル）シクロヘキサ−３−エン−１−カルバルデヒド；１−フェニルペンタン−２−オール；３−メチル−１−フェニルペンタン−３−オール；２，３，４−トリメトキシベンズアルデヒド；２，４，５−トリメトキシベンズアルデヒド；２，４，６−トリメトキシベンズアルデヒド；トランス，トランス−２，４−ノナジエナール；４−メトキシ−２，５−ジメチルフラン−３（２Ｈ）−オン；２，６，１０−トリメチルウンデカナール；α−４−ジメチルベンゼンプロパナール；（Ｅ）−ウンデカ−９−エナール；２，６，１０−トリメチルウンデカ−９−エナール；（Ｚ）−２−（４−メチルベンジリデン）ヘプタナール；デカ−９−エナール；（Ｚ）−オキサシクロヘプタデカ−８−エン−２−オン；７−メトキシ−２Ｈ−クロメン−２−オン；２−（（２Ｓ，４ａＲ，８ａＲ）−４ａ，８−ジメチル−１，２，３，４，４ａ，５，６，８ａ−オクタヒドロナフタレン−２−イル）プロパン−２−オール；１−（３，５，５，６，８，８−ヘキサメチル−５，６，７，８−テトラヒドロナフタレン−２−イル）エタン−１−オン；６，８−ジメチルノナン−２−オール；３−（６，６−ジメチルビシクロ［３．１．１］ヘプタ−２−エン−２−イル）プロパナール；６，１０，１４−トリメチルペンタデカン−２−オン；（Ｅ）−シクロヘキサデカ−５−エン−１−オン；１−イソプロピル−４−メチルシクロヘキサ−３−エン−１−オール；１−フェニルペンタ−４−エン−１−オン；５−メチル−５−フェニルヘキサン−３−オン；１−イソプロピル−４−メチルシクロヘ���サ−３−エン−１−オール；４−（４−メトキシフェニル）ブタン−２−オン；（１ａＲ，２Ｓ，４ａＳ）−２，４ａ，８，８−テトラメチルオクタヒドロシクロプロパ［ｄ］ナフタレン−３（１Ｈ）−オン；（Ｅ）−３−プロピリデンイソベンゾフラン−１（３Ｈ）−オン；（Ｚ）−ドデカ−２−エナール；３−メチル−５−フェニルペンタナール；３，７−ジメチル−２−メチレンオクタ−６−エナール；３，７−ジメチルオクタン−１−オール；３，４，５−トリメトキシベンズアルデヒド；３−（４−イソプロピルフェニル）プロパナール；（Ｅ）−ウンデカ−２−エナール；（２Ｅ，６Ｅ）−ノナ−２，６−ジエナール；（Ｚ）−３−（フラン−２−イル）−２−フェニルアクリルアルデヒド；２−フェノキシエタン−１−オール；（Ｚ）−ノナ−２−エナール；ノナン−２−オール；ノナン−２−オン；（Ｅ）−２−イソプロピル−５−メチルヘキサ−２−エナール；（Ｅ）−２−ヘキシリデンシクロペンタン−１−オン；（Ｅ）−デカ−２−エナール；（２Ｅ，６Ｅ）−ノナ−２，６−ジエナール；（２Ｅ，６Ｅ）−ノナ−２，６−ジエン−１−オール；２，６−ジメチルオクタナール；デカン−１−オール；ウンデカ−１０−エン−１−オール；ウンデカ−１０−エナール；２−（（２Ｒ，４ａＳ）−４ａ，８−ジメチル−１，２，３，４，４ａ，５，６，７−オクタヒドロナフタレン−２−イル）プロパン−２−オール；３，７−ジメチルオクタ−６−エン−３−オール；（Ｚ）−１−（２，６，６−トリメチルシクロヘキサ−２−エン−１−イル）ブタ−２−エン−１−オン；（１Ｓ，５Ｓ）−４，６，６−トリメチルビシクロ［３．１．１］ヘプタ−３−エン−２−オン；（Ｚ）−ドデカ−３−エナール；（Ｓ）−５−ヘプチルジヒドロフラン−２（３Ｈ）−オン；（Ｒ）−５−ヘプチルジヒドロフラン−２（３Ｈ）−オン；（Ｒ）−３，７−ジメチルオクタ−１，６−ジエン−３−オール；３，７−ジメチルオクタ−６−エナール；（Ｒ）−３，７−ジメチルオクタ−６−エナール；（２Ｓ，５Ｓ，６Ｓ）−２，６，１０，１０−テトラメチル−１−オキサスピロ［４．５］デカン−６−オール；（１Ｓ，２Ｓ，５Ｓ）−２−メチル−５−（プロパ−１−エン−２−イル）シクロヘキサン−１−オール；３，７−ジメチルオクタ−６−エン−１−オール；３，７−ジメチルオクタ−６−エン−１−オール；（Ｓ）−２−メチル−５−（プロパ−１−エン−２−イル）シクロヘキサ−２−エン−１−オン；（２Ｓ，５Ｒ）−２−イソプロピル−５−メチルシクロヘキサン−１−オン；（Ｒ，Ｅ）−２−メチル−４−（２，２，３−トリメチルシクロペンタ−３−エン−１−イル）ブタ−２−エン−１−オール；（Ｅ）−４−（２，２−ジメチル−６−メチレンシクロヘキシル）−３−メチルブタ−３−エン−２−オン；３−（３−イソプロピルフェニル）ブタナール；２−（（３Ｓ，３ａＳ，５Ｒ）−３，８−ジメチル−１，２，３，３ａ，４，５，６，７−オクタヒドロアズレン−５−イル）プロパン−２−オール；２−ヒドロキシ−１，２−ジフェニルエタン−１−オン；３−（６，６−ジメチルビシクロ［３．１．１］ヘプタ−２−エン−２−イル）−２，２−ジメチルプロパナール；１−（１，１，���，３，３，６−ヘキサメチル−２，３−ジヒドロ−１Ｈ−インデン−５−イル）エタン−１−オン；２−（ｍ−トリル）エタン−１−オール；（３Ｅ，６Ｅ）−ノナ−３，６−ジエン−１−オール；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；５−ヘキシル−４−メチルジヒドロフラン−２（３Ｈ）−オン；４−（プロパ−１−エン−２−イル）シクロヘキサ−１−エン−１−カルバルデヒド；（４−（プロパ−１−エン−２−イル）シクロヘキサ−１−エン−１−イル）メタノール；２−シクロヘキシルヘプタ−１，６−ジエン−３−オン；２−フェニルエタン−１−オール；３−メチル−５−フェニルペンタン−１−オール；２−（６，６−ジメチルビシクロ［３．１．１］ヘプタ−２−エン−２−イル）アセトアルデヒド；６，６−ジメチル−２−メチレンビシクロ［３．１．１］ヘプタン−３−オール；４−（ベンゾ［ｄ］［１，３］ジオキソール−５−イル）ブタン−２−オン；（４ａＲ，８ａＳ）−７−メチルオクタヒドロ−１，４−メタノナフタレン−６（２Ｈ）−オン；１，２−ジメチル−３−（プロパ−１−エン−２−イル）シクロペンタン−１−オール；４−イソプロピル−１−メチルシクロヘキサ−３−エン−１−オール；（Ｅ）−３，３−ジメチル−５−（２，２，３−トリメチルシクロペンタ−３−エン−１−イル）ペンタ−４−エン−２−オール；（２Ｚ，５Ｚ）−５，６，７−トリメチルオクタ−２，５−ジエン−４−オン；１−メチル−４−（４−メチルペンタ−３−エン−１−イル）シクロヘキサ−３−エン−１−カルバルデヒド；プロパン−１，２−ジオール；４−（ｔｅｒｔ−ペンチル）シクロヘキサン−１−オール；３，７−ジメチルオクタ−７−エン−１−オール；２−メチル−５−フェニルペンタン−１−オール；（Ｓ）−３，７−ジメチルオクタ−１，６−ジエン−３−オール；５−イソプロピル−２−メチルビシクロ［３．１．０］ヘキサン−２−オール；（１Ｓ，３Ｒ，５Ｓ）−１−イソプロピル−４−メチレンビシクロ［３．１．０］ヘキサン−３−オール；２，２，７，９−テトラメチルスピロ（５．５）ウンデカ−８−エン−１−オン；３−メチル−５−（２，２，３−トリメチルシクロペンタ−３−エン−１−イル）ペンタン−２−オール；（Ｚ）−２−エチル−４−（２，２，３
−トリメチルシクロペンタ−３−エン−１−イル）ブタ−２−エン−１−オール；（Ｅ）−２−メチル−４−（２，２，３−トリメチルシクロペンタ−３−エン−１−イル）ブタ−２−エン−１−オール；５−メトキシオクタヒドロ−１Ｈ−４，７−メタノインデン−２−カルバルデヒド；５−メトキシオクタヒドロ−１Ｈ−４，７−メタノインデン−２−カルバルデヒド；１−（３−ヒドロキシ−３−メチルペンタ−４−エン−１−イル）−２，５，５，８ａ−テトラメチルデカヒドロナフタレン−２−オール；３−（４−イソブチルフェニル）−２−メチルプロパナール；（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール；１−（スピロ［４．５］デカ−７−エン−７−イル）ペンタ−４−エン−１−オン；２−（４−メチルチアゾール−５−イル）エタン−１−オール；（Ｚ）−ドデカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３，７−ジメチルオクタナール；４−（２，２，６−トリメチルシクロヘキシル）ブタン−２−オール；３−メチル−２−ペンチルシクロペンタン−１−オン；３，７−ジメチルオクタン−３−オール；２−（２−メルカプトプロパン−２−イル）−５−メチルシクロヘキサン−１−オン；２−イソプロピル−５−メチルフェノール；１−（２，２，６−トリメチルシクロヘキシル）ヘキサン−３−オール；（２Ｚ，４Ｅ）−ノナ−２，４−ジエナール；（２Ｅ，６Ｅ）−３，７，１１−トリメチルドデカ−２，６，１０−トリエン−１−オール；（２Ｅ，６Ｚ）−ノナ−２，６−ジエナール；（Ｚ）−デカ−２−エナール；（Ｅ）−ノナ−２−エナール；（１Ｒ，２Ｓ）−２−（ｔｅｒｔ−ブチル）シクロヘキサン−１−オール；（３Ｅ，６Ｚ）−ノナ−３，６−ジエン−１−オール；（Ｅ）−デカ−４−エナール；（Ｚ）−１−（２，６，６−トリメチルシクロヘキサ−２−エン−１−イル）ブタ−２−エン−１−オン；（Ｚ）−オキサシクロヘプタデカ−８−エン−２−オン；（２Ｒ，５Ｒ）−２−メチル−５−（プロパ−１−エン−２−イル）シクロヘキサン−１−オン；（Ｅ）−３，７−ジメチルオクタ−２，６−ジエン−１−オール；７−（１，１−ジメチルエチル）−２Ｈ−１，５−ベンゾジオキセピン−３（４Ｈ）−オン；（１Ｒ−（１α，３α，４ａα））−２，３，４，４ａ，５，６−ヘキサヒドロ−２，２−ジメチル−１，３−メタノナフタレン−７（１Ｈ）−オン；トリデカン−１−オール；１−（（２Ｅ，５Ｚ，９Ｚ）−２，６，１０−トリメチルシクロドデカ−２，５，９−トリエン−１−イル）エタン−１−オン；２−メルカプト−２−メチルペンタン−１−オール；１３−メチルオキサシクロペンタデカ−１０−エン−２−オン；ウンデカナール；（Ｅ）−４−メチルデカ−３−エン−５−オール；２−（（２Ｒ，８Ｒ，８ａＳ）−８，８ａ−ジメチル−１，２，３，４，６，７，８，８ａ−オクタヒドロナフタレン−２−イル）プロパン−２−オール；２，２，５−トリメチル−５−ペンチルシクロペンタン−１−オン；（Ｚ）−２−メチル−４−（２，６，６−トリメチルシクロヘキサ−２−エン−１−イル）ブタ−２−エナール；（１Ｒ，５Ｒ）−４，６，６−トリメチルビシクロ［３．１．１］ヘプタ−３−エン−２−オン；２−（ｔｅｒｔ−ブチル）シクロヘキサン−１−オール；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；４，８−ジメチル−２−（プロパン−２−イリデン）−１，２，３，３ａ，４，５，６，８ａ−オクタヒドロアズレン−６−オール；（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール；（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン；４−（４−ヒドロキシ−３−メトキシフェニル）ブタン−２−オン；１，３，４，６，７，８α−ヘキサヒドロ−１，１，５，５−テトラメチル−２Ｈ−２，４α−メタノフタレン−８（５Ｈ）−オン；２，２’−オキシビス（エタン−１−オール）；ブタン−１，３−ジオール；ヘキサン−１，６−ジオール；２，２’−（エタン−１，２−ジイルビス（オキシ））ビス（エタン−１−オール）；２−メチルペンタン−２，４−ジオール；（２Ｅ，４Ｅ）−ヘプタ−２，４−ジエン−１−オール；ヘキサン−１，２，６−トリオール；（Ｚ）−オクタ−５−エン−１−オール；（Ｅ）−オクタ−３−エン−１−オール；（Ｚ）−オクタ−５−エナール；２，５−ジメチル−１，４−ジチアン−２，５−ジオール；２−メチルオクタン−２−オール；（Ｅ）−ノナ−２−エン−１−オール；（Ｅ）−ノナ−６−エン−１−オール；（Ｅ）−ノナ−３−エン−１−オール；（Ｚ）−ノナ−３−エン−１−オール；（２Ｅ，６Ｚ）−ノナ−２，６−ジエン−１−オール；マンニトール；３，５−ジメチルシクロペンタン−１，２−ジオン；２，２’，２’’−ニトリロトリス（エタン−１−オール）；３，４，４−トリメチルシクロペンタン−１，２−ジオン；３−ノネン−２−オン；（Ｅ）−ノナ−５−エン−２−オン；２−（シクロヘキシルオキシ）エタン−１−オール；オクタン−１，８−ジチオール；（Ｅ）−デカ−２−エン−１−オール；ａ−Ｄ−グルコピラノース；（Ｅ）−デカ−５−エン−１−オール；２，３，６−トリメチルフェノール；（２Ｅ，４Ｅ）−デカ−２，４−ジエナール；（２Ｅ，４Ｚ）−デカ−２，４−ジエナール；デカン−１，１０−ジオール；２−フェニルプロパン−２−オール；５−ヒドロキシオクタン−４−オン；ノナン−３−オール；（Ｚ）−デカ−７−エナール；（Ｅ）−２−メチルオクタ−２−エナール；デカン−２−オール；３−（ヒドロキシメチル）フェノール；ノナ−１−エン−３−オール；（２−メトキシフェニル）メタノール；デカン−２−オン；２−（ｏ−トリル）エタン−１−オール；ウンデカン−１−オール；（Ｅ）−デカ−３−エン��２−オン；３−エチル−２−ヒドロキシ−４−メチルシクロペンタ−２−エン−１−オン；３−フェニルプロパン−１−オール；３，５−オクタジエン−２−オール、２，６−ジメチル−，（？，Ｚ）−；３，５−オクタジエン−２−オール，２，６−ジメチル−，（？，Ｅ）−；ベンゼンメタノール、４−メチル−；２−（ベンジルオキシ）エタン−１−オール；４，４’−チオビス（ブタン−２−オン）；（Ｅ）−ウンデカ−２−エン−１−オール；（２Ｚ，４Ｅ）−ウンデカ−２，４−ジエン−１−オール；（Ｅ）−７−メチル−３−メチレンオクタ−４，６−ジエン−２−オール；（Ｚ）−ウンデカ−２−エナール；（Ｅ）−ウンデカ−２−エナール；（２Ｚ，４Ｚ）−ウンデカ−２，４−ジエナール；（２Ｅ，４Ｅ）−ウンデカ−２，４−ジエナール；３−シクロヘキセン−１−プロパナール；デカン−３−オール；（Ｅ）−ウンデカ−８−エナール；シクロデカノール；デカン−５−オール；１−ベンジル−２−メチルジスルファン；（１Ｓ，３Ｓ，４Ｒ，５Ｒ）−１−イソプロピル−４−メチルビシクロ［３．１．０］ヘキサン−３−オール；ビシクロ［３．２．１］オクタン−８−オール、１，５，８−トリメチル−；１−（ｐ−トリル）エタン−１−オール；ウンデカン−２−オール；７−メトキシ−３，７−ジメチルオクタン−２−オール；（Ｅ）−３，７−ジメチルオクタ−２，６−ジエン−１−オール；４−（２−ヒドロキシエチル）フェノール；２−（ｔｅｒｔ−ブチル）シクロヘキサン−１−オン；２，６−ジメチルヘプタン−４−オン；２−（フラン−２−イル）−４−メチル−１，３−ジオキソラン；デカン−４−オン；（４−メトキシフェニル）メタノール；２−メトキシ−２−フェニルエタン−１−オール；（Ｅ）−２−イソプロピル−５−メチルヘキサ−２−エン−１−オール；ｒｅｌ−２−（（２Ｒ，５Ｓ）−５−メチル−５−ビニルテトラヒドロフラン−２−イル）プロパン−２−オール；４−フェニルブタン−１−オール；２−（ｐ−トリル）エタン−１−オール；６−メチル−３−（プロパン−２−イリデン）−７−オキサビシクロ［４．１．０］ヘプタン−２−オン；（Ｅ）−ドデカ−２−エン−１−オール；（２Ｅ，６Ｚ）−ノナ−２，６−ジエン−１−イルアセテート；２−（ｐ−トリルオキシ）エタン−１−オール；７−メチル−３−メチレンオクタ−６−エナール；（２Ｅ，４Ｅ）−ドデカ−２，４−ジエン−１−オール；３−（ヒドロキシメチル）ノナン−２−オン；（Ｅ）−ドデカ−２−エナール；（２Ｅ，４Ｅ）−ドデカ−２，４−ジエナール；（Ｅ）−２，６−ジメチルオクタ−１，５，７−トリエン−３−オール；（Ｅ）−５−（メチルチオ）−２−（（メチルチオ）メチル）ペンタ−２−エナール；（Ｅ）−３−メチルノナ−３−エン酸；１−メチル−４−（プロパ−１−エン−２−イル）−７−オキサビシクロ［４．１．０］ヘプタン；（Ｅ）−ドデカ−３−エナール；４−（ヒドロキシメチル）−２−メトキシフェノール；３，７−ジメチルオクタン−１，６−ジオール；ウンデカン−１−オール；（Ｅ）−ドデカ−４−エナール；４−アリルフェノール；（２Ｅ，６Ｚ）−ドデカ−２，６−ジエナール；３−（５−メチルフラン−２−イル）ブタナー��；（Ｅ）−４−フェニルブタ−３−エン−２−オール；２−ペンチルシクロペンタ−２−エン−１−オン；２−イソプロピル−４−メチルフェノール；ドデカン−２−オール；３，７−ジメチルオクタ−７−エン−１，６−ジオール；（Ｅ）−２−（ペンタ−２−エン−１−イル）シクロペンタン−１−オン；（１Ｒ，２Ｓ，３Ｒ，５Ｓ）−２，６，６−トリメチルビシクロ［３．１．１］ヘプタン−３−オール；１−（フラン−２−イル）ヘキサン−１−オン；ベンゾ［ｄ］［１，３］ジオキソール−５−イルメタノール；ウンデカン−２，３−ジオン；ウンデカン−４−オン；（Ｚ）−２，７−ジメチルオクタ−５−エン−４−オン；（Ｅ）−３−メチルノナ−２−エンニトリル；８−エチル−１，５−ジメチルビシクロ［３．２．１］オクタン−８−オール；ドデカン−２−オン；ウンデカ−１−エン−３−オン；２，６−ジメトキシ−４−メチルフェノール；（１Ｓ，２Ｓ，５Ｓ）−２−メチル−５−（プロパ−１−エン−２−イル）シクロヘキサン−１−オール；５−フェニルペンタン−１−オール；ｒｅｌ−（１Ｒ，２Ｓ，５Ｒ）−５−メチル−２−（プロパ−１−エン−２−イル）シクロヘキサン−１−オール；（１Ｓ，２Ｒ，５Ｒ）−２，６，６−トリメチルビシクロ［３．１．１］ヘプタン−３−オン；（２Ｒ，５Ｒ）−５−イソプロピル−２−メチルシクロヘキサン−１−オン；アリルオクタノエート；（Ｅ）−２−メチル−３−フェニルプロパ−２−エン−１−オール；（２Ｓ，５Ｒ）−２−イソプロピル−５−メチルシクロヘキサン−１−オン；（Ｅ）−２−（３−メチルブタ−１−エン−１−イル）シクロペンタン−１−オン；（Ｅ）−トリデカ−２−エン−１−オール；（（１Ｓ，２Ｓ，５Ｓ）−６，６−ジメチルビシクロ［３．１．１］ヘプタン−２−イル）メタノール；トリデカナール；２−メチルウンデカン−１−オール；２−（３，４−ジメチルフェニル）アセトアルデヒド；２−（２，４−ジメチルフェニル）アセトアルデヒド；６，６−ジメチル−２−メチレンビシクロ［３．１．１］ヘプタン−３−オン；１，３−ジヒドロ−２Ｈ−インデン−２−オン；（２Ｅ，４Ｅ）−トリデカ−２，４−ジエナール；（６，６−ジメチルビシクロ［３．１．１］ヘプタ−２−エン−２−イル）メタノール；３−（ｐ−トリル）プロパナール；（４Ｓ，４ａＳ，８ａＲ）−４，８ａ−ジメチルオクタヒドロナフタレン−４ａ（２Ｈ）−オール；
（Ｅ）−２−（ヘキサ−２−エン−１−イル）シクロペンタン−１−オール；２−（２−ヒドロキシプロパン−２−イル）−５−メチルシクロヘキサン−１−オール；１１−メチルドデカン−１−オール；（２Ｅ，４Ｚ，７Ｚ）−トリデカ−２，４，７−トリエナール；シクロドデカノール；２−（４−メチルシクロヘキサ−３−エン−１−イル）プロパ−２−エン−１−オール；（Ｒ）−２−（４−メチルシクロヘキサ−３−エン−１−イル）プロパ−２−エン−１−オール；（Ｅ）−２−メチル−３−（ペンタ−２−エン−１−イル）シクロペンタ−２−エン−１−オン；（Ｚ）−２−ヘキシリデンシクロペンタン−１−オン；（Ｅ）−３−メチル−２−（ペンタ−２−エン−１−イル）シクロペンタ−２−エン−１−オン；（２Ｅ，６Ｅ）−３，７−ジメチルノナ−２，６−ジエナール；ドデカン−３−オン；１−フェニルペンタン−１−オン；２，６−ジイソプロピルフェノール；（Ｅ）−２−（ヘキサ−２−エン−１−イル）シクロペンタン−１−オン；１−（３，３−ジメチルビシクロ［２．２．１］ヘプタン−２−イル）エタン−１−オール；２−（４−メチレンシクロヘキシル）プロパナール；６−ペンチル−２Ｈ−ピラン−２−オン；（Ｓ）−４−（プロパ−１−エン−２−イル）シクロヘキサ−１−エン−１−カルバルデヒド；４−メチル−５−ペンチルジヒドロフラン−２（３Ｈ）−オン；（４ａＳ，８ａＳ）−４，４，８ａ−トリメチルオクタヒドロナフタレン−４ａ（２Ｈ）−オール；トリデカン−２−オン；３−メチル−１−フェニルブタン−２−オール；１−（４−イソプロピルフェニル）エタン−１−オン；（Ｅ）−３−（４−メトキシフェニル）アクリルアルデヒド；（Ｒ）−６−ペンチル−５，６−ジヒドロ−２Ｈ−ピラン−２−オン；テトラデカン−１−オール；（Ｅ）−６−（ペンタ−２−エン−１−イル）テトラヒドロ−２Ｈ−ピラン−２−オン；６−フェニルヘキサン−１−オール；２−（４−イソプロピルシクロヘキシル）エタン−１−オール；２−メチル−１−（ｐ−トリル）プロパン−２−オール；１−（３，３−ジメチルビシクロ［２．２．１］ヘプタン−２−イル）エタン−１−オン；（Ｅ）−２−エチル−２−（３−メチルブタ−２−エン−１−イル）ヘキサ−３−エン−１−オール；２−（４−エチルフェニル）アセトアルデヒド；３−エチルヘキサヒドロベンゾフラン−２（３Ｈ）−オン；（Ｅ）−３−メチル−１−フェニルペンタ−１−エン−３−オール；（２−ヘキシル−１，３−ジオキソラン−４−イル）メタノール；６−エチル−３−メチルオクタ−５−エン−１−オール；１−（３，４−ジメトキシフェニル）エタン−１−オン；オクタヒドロナフタレン−２（１Ｈ）−オン；２−（４−イソプロピルフェニル）エタン−１−オール；１−メチル−４−（プロパ−１−エン−２−イル）−７−オキサビシクロ［４．１．０］ヘプタン−２−オン；（Ｅ）−５，９−ジメチルデカ−４，９−ジエナール；５−メチル−３，４−ジヒドロナフタレン−１（２Ｈ）−オン；８−メチル−３，４−ジヒドロナフタレン−１（２Ｈ）−オン；（Ｅ）−テトラデカ−２−エナール；４−（ｔｅｒｔ−ブチル）シクロヘキサン−１−カルバルデヒド；２−（６，６−ジメチルビシクロ［３．１．１］ヘプタ−２−エン−２−イル）エタン−１−オール；（４，７，７−トリメチルビシクロ［４．１．０］ヘプタ−４−エン−３−イル）メタノール；（Ｚ）−２−（３，３−ジメチルビシクロ［２．２．１］ヘプタン−２−イリデン）エタン−１−オール；（３ａＲ，７ａＲ）−オクタヒドロ−５Ｈ−４，７−メタノインデン−５−オン；４−（３−ヒドロキシブチル）フェノール；２，５，７，７−テトラメチルオクタナール；７−イソプロピル−４−メチルオキセパン−２−オン；２−フェニルペンタ−４−エナール；４−ヒドロキシ−３，５−ジメトキシベンズアルデヒド；（Ｅ）−４−（３−ヒドロキシプロパ−１−エン−１−イル）−２−メトキシフェノール；３，６−ジメチル−５，６，７，７ａ−テトラヒドロベンゾフラン−２（４Ｈ）−オン；（６Ｒ，７ａＲ）−３，６−ジメチル−５，６，７，７ａ−テトラヒドロベンゾフラン−２（４Ｈ）−オン；２−メチル−４−フェニルブタナール；（Ｚ）−２−ヘプチリデンシクロペンタン−１−オン；３−（４−メトキシフェニル）ブタン−２−オン；２−エチル−５−メトキシビシクロ［２．２．１］ヘプタン；トリデカン−３−オン；（Ｚ）−２−ヘキシリデンシクロヘキサン−１−オン；２−ペンチルシクロヘキサ−２−エン−１−オン；４−エチル−２，６−ジメトキシフェノール；２−（（１，７，７−トリメチルビシクロ［２．２．１］ヘプタン−２−イル）オキシ）エタン−１−オール；４−（２，６，６−トリメチルシクロヘキサ−１−エン−１−イル）ブタン−２−オール；１−（５−イソプロピル−２−メチルフェニル）エタン−１−オン；ペンタデカン−１−オール；（Ｅ）−４−（２，６，６−トリメチルシクロヘキサ−１−エン−１−イル）ブタ−３−エン−２−オール；１−（４−ヒドロキシ−３，５−ジメトキシフェニル）ブタン−１−オン；（２−フェニル−１，３−ジオキソラン−４−イル）メタノール；１−（４，７，７−トリメチルビシクロ［４．１．０］ヘプタ−４−エン−３−イル）エタン−１−オン；オクチル２−メチルブタノエート；（Ｅ）−４−（２，６，６−トリメチルシクロヘキサ−２−エン−１−イル）ブタ−３−エン−２−オール；１−アリル−２，２，７，７−テトラメチルシクロヘプタン−１−オール；（Ｓ）−２，５，５−トリメチル−１，２，３，４，５，６，７，８−オクタヒドロナフタレン−２−オール；１−（ナフタレン−１−イル）エタン−１−オン；５−エチル−２−メチルノナン−１−オール；８，８−ジメトキシ−２，６−ジメチルオクタン−２−オール；３−（ブタ−３−エン−１−イル）−２，４，４−トリメチルシクロヘキサ−２−エン−１−オン；２−（４−イソプロピルシクロヘキシル）プロパン−１−オール；ペンタデカナール；（Ｅ）−３，７，９−トリメチルデカ−１，６−ジエン−３−オール；（Ｚ）−２−エチリデンウンデカナール；（Ｅ）−１−（２，６，６−トリメチルシクロヘキサ−３−エン−１−イル）ブタ−２−エン−１−オン；４−（２，２−ジメチル−６−メチレンシクロヘキシル）ブタン−２−オール；（５ｓ，８ｓ）−８−イソプロピル−１−オキサスピロ［４．５］デカン−２−オン；（５ｒ，８ｒ）−８−イソプロピル−１−オキサスピロ［４．５］デカン−２−オン；２，５，５−トリメチル−２，３，４，４ａ，５，６，７，８−オクタヒドロナフタレン−２−オール；３，５−ジエチル−２，６−ジメチルシクロヘキサ−２−エン−１−オン；（Ｚ）−４−（４−メチルシクロヘキサ−３−エン−１−イリデン）ペンタナール；（２Ｒ，５Ｓ，６Ｓ）−２，６，１０，１０−テトラメチル−１−オキサスピロ［４．５］デカン−６−オール；６−メチル−３，４−ジヒドロナフタレン−１（２Ｈ）−オン；エチルベンゾ［ｄ］［１，３］ジオキソール−５−カルボキシレート；７−メチル−３，４−ジヒドロナフタレン−１（２Ｈ）−オン；５−エチル−２−メチルノナナール；（３Ｅ，５Ｅ）−６，１０−ジメチルウンデカ−３，５，９−トリエン−２−オン；［１，１’−ビ（シクロヘキサン）］−１’−エン−２−オン；４−（２，２−ジメチル−６−メチレンシクロヘキシル）ブタン−２−オン；２−イソプロピル−２，３−ジヒドロ−１Ｈ−インデン−１−オン；（Ｅ）−４−（２，３，６−トリメチルフェニル）ブタ−３−エン−２−オン；２−（４−イソプロピルフェニル）プロパナール；６，１０−ジメチルウンデカ−９−エン−２−オン；（Ｅ）−６，１０−ジメチルウンデカ−５，９−ジエン−２−オン；１−（４−メトキシ−２，２，６，６−テトラメチルシクロヘキサ−３−エン−１−イル）エタン−１−オン；（Ｅ）−６，１０−ジメチルウンデカ−３，９−ジエン−２−オン；１−（４−ブチルフェニル）エタン−１−オン；テトラデカン−３−オン；３−プロピルビシクロ［２．２．１］ヘプタ−５−エン−２−カルバルデヒド；（Ｅ）−２，６−ジメトキシ−４−（プロパ−１−エン−１−イル）フェノール；（Ｅ）−２−（オクタ−２−エン−１−イル）シクロペンタン−１−オン；ペンタデカン−２−オン；（Ｅ）−６，１０−ジメチルウンデカ−５，１０−ジエン−２−オン；４，４ａ，６，７，８，８ａ−ヘキサヒドロ−１，４−メタノナフタレン−５（１Ｈ）−オン；３−ヘプチル−５−メチルジヒドロフラン−２（３Ｈ）−オン；（Ｚ）−５−（オクタ−２−エン−１−イル）ジヒドロフラン−２（３Ｈ）−オン；４，７，７−トリメチルスピロ［ビシクロ［２．２．１］ヘプタン−２，１’−シクロペンタン］−３−オン；（Ｅ）−１−（２，６，６−トリメチルシクロヘキサ−１−エン−１−イル）ペンタ−１−エン−３−オール；４−アリル−２，６−ジメトキシフェノール、２，６，８−トリメチルノナン−４−オン；（２，８，８−トリメチル−１，２，３，４，５，６，７，８−オクタヒドロナフタレン−２−イル）メタノール；（Ｅ）−３−（４−メトキシフェニル）−２−メチルアクリルアルデヒド；（２Ｅ，６Ｅ）−３，７，９−トリメチルデカ−２，６−ジエナール；（５，６−ジメチル−１−（プロパ−１−エン−２−イル）ビシクロ［２．２．１］ヘプタ−５−エン−２−イル）メタノール；１−（２，４−ジメチルシクロヘキサ−３−エン−１−イル）−２，２−ジメチルプロパン−１−オン；（Ｅ）−３−ブチリデンイソベンゾフラン−１（３Ｈ）−オン；５−（６−メチルヘプタ−５−エン−２−イル）ジヒドロフラン−２（３Ｈ）−オン；２−（４−（ｔｅｒｔ−ブチル）−２−メチルフェノキシ）アセトアルデヒド；（Ｅ）−４−（４−ヒドロキシ−３−メトキシフェニル）ブタ−３−エン−２−オン；１−（２，４−ジエチルフェニル）エタン−１−オン；（Ｅ）−４−（３−ヒドロキシプロパ−１−エン−１−イル）−２，６−ジメトキシフェノール；３−ブチルイソベンゾフラン−１（３Ｈ）−オン；２，４，５−トリメチル−４−フェニル−１，３−ジオキサン；４−メチル−１−フェニルペンタン−２−オン；１４−メチルペンタデカン−１−オール；アダマンタン−２−オール；（３ａＳ，４Ｓ，８Ｓ，８ａＲ）−２，２，４−トリメチルデカヒドロ−４，８−メタノアズレン−９−オール；（Ｅ）−３−（４−ヒドロキシ−３，５−ジメトキシフェニル）アクリルアルデヒド；（３Ｅ，５Ｅ）−３，６，１０−トリメチルウンデカ−３，５，９−トリエン−２−オン；（Ｅ）−２，５，９−トリメチルデカ−４，９−ジエナール；（Ｅ）−４−（ベンゾ［ｄ］［１，３］ジオキソール−５−イル）ブタ−３−エン−２−オン；４−（６，６−ジメチルビシクロ［３．１．１］ヘプタ−２−エン−２−イル）ブタナール；２，８，８−トリメチルオクタヒドロ−２Ｈ−４ａ，２−（エポキシメタノ）ナフタレン−１０−オン；（Ｅ）−３，６，１０−トリメチルウンデカ−３，９−ジエン−２−オン；４−メチル−８−メチレンアダマンタン−２−オール；３−メチル−４−（２，２，６−トリメチルシクロヘキシル）ブタン−２−オール；ヘキサデカン−２−オン；アダマンタン−２−オン；ヘプタデカン−１−オール；４−（４−メトキシフェニル）−３−メチルブタン−２−オン；（Ｅ）−３−メチル−５−（２，２，３−トリメチルシクロペンタ−３−エン−１−イル）ペンタ−３−エン−２−オン；２，４−ジ−ｔｅｒｔ−ブチルシクロヘキサン−１−オン；１−（５−イソプロピル−２−メチルシクロヘキサ−２−エン−１−イル）プロパン−１−オン；（Ｅ）−２−メチル−４−（２，６，６−トリメチルシクロヘキサ−２−エン−１−イル）ブタ−３−エナール；（Ｅ）−２，６，１０−トリメチルウンデカ−５，９−ジエン−１−オール；１−メチル−４−（４−メチルペンチル）シクロヘキサ−３−エン−１−カルバルデヒド；（Ｅ）−３−（ベンゾ［ｄ］［１，３］ジオキソール−５−イル）−２−メチルアクリルアルデヒド；１−（２，６，６−トリメチルシクロヘキサ−２−エン−１−イ
ル）ペンタン−３−オン；（Ｒ，Ｅ）−１−（２，６，６−トリメチルシクロヘキサ−２−エン−１−イル）ペンタ−１−エン−３−オン；（Ｓ，Ｅ）−３，７，１１−トリメチルドデカ−１，６，１０−トリエン−３−オール；（Ｅ）−２，６，１０−トリメチルウンデカ−５，９−ジエナール；２，６−ジ−ｔｅｒｔ−ブチル−４−（ヒドロキシメチル）フェノール；（Ｚ）−２−ベンジリデンヘキサナール；５，５，６，７，７−ペンタメチルヘキサヒドロインデノ［３ａ，４−ｂ］オキシレン−４（１ａＨ）−オン；（４Ｅ，６Ｅ）−７，１１−ジメチルドデカ−４，６，１０−トリエン−３−オン；２，５−ジ−ｔｅｒｔ−ブチルベンゼン−１，４−ジオール；２−メトキシ−４−（４−メチル−１，３−ジオキソラン−２−イル）フェノール；４−（３，４−ジメトキシフェニル）ブタン−２−オン；（Ｚ）−２−（フラン−２−イルメチレン）オクタナール；（Ｅ）−１−（４−メトキシフェニル）ペンタ−１−エン−３−オン；３−（４−イソプロピルフェニル）−２−メチルプロパン−１−オール；（Ｅ）−６−（２，２，３−トリメチルシクロペンタ−３−エン−１−イル）ヘキサ−５−エン−３−オール；１−（ベンゾ［ｄ］［１，３］ジオキソール−５−イル）ブタン−２−オン；１−（１，１，３−トリメチル−２，３，４，５，６，７−ヘキサヒドロ−１Ｈ−インデン−５−イル）エタン−１−オン；１０−メチル−１，２，３，４，５，６，７，８，９，１０−デカヒドロ−５，９−メタノベンゾ［８］アヌレン−１１−オン；３−（２−オキソプロピル）−２−ペンチルシクロペンタン−１−オン；オクタデカン−１−オール；３−（４−ヒドロキシ−４−メチルペンチル）シクロヘキサ−３−エン−１−カルバルデヒド；２−（（１Ｒ，３Ｓ，４Ｓ）−４−メチル−３−（プロパ−１−エン−２−イル）−４−ビニルシクロヘキシル）プロパン−２−オール；（Ｅ）−１−（４−メトキシフェニル）−４−メチルペンタ−１−エン−３−オン；（２Ｒ，４ａＲ，８ａＳ）−１，１，５，５−テトラメチルヘキサヒドロ−２Ｈ−２，４ａ−メタノナフタレン−８（５Ｈ）−オン；（Ｅ）−２，３−ジメチル−４−（２，６，６−トリメチルシクロヘキサ−２−エン−１−イル）ブタ−３−エナール；６−イソプロピルデカヒドロナフタレン−２−オール；（２Ｅ，６Ｅ）−３，７，１１−トリメチルドデカ−２，６，１０−トリエナール；１，７，７−トリメチルビシクロ［２．２．１］ヘプタン−２−イルイソブチレート；（Ｚ）−オクタデカ−９−エン−１−オール；２−メチル−３−（（１，７，７−トリメチルビシクロ［２．２．１］ヘプタン−２−イル）オキシ）プロパン−１−オール；（Ｅ）−２−メチル−１−（２，６，６−トリメチルシクロヘキサ−２−エン−１−イル）ペンタ−１−エン−３−オン；３−（４−（ｔｅｒｔ−ブチル）フェニル）−２−メチルプロパン−１−オール；４，７，７−トリメチル−４−（３−メチルブタ−２−エン−１−イル）ビシクロ［４．１．０］ヘプタン−３−オン；（Ｚ）−２−メチル−１−（２，２，６−トリメチルシクロヘキサ−３−エン−１−イル）ペンタ−１−エン−３−オン；３−（（２−イソプロピル−５−メチルシクロヘキシル）オキシ）プロパン−１，２−ジオール；（Ｚ）−２−ベンジリデンヘプタナール；４，７，７−トリメチル−２−（３−メチルブタ−２−エン−１−イル）ビシクロ［４．１．０］ヘプタン−３−オン；（Ｅ）−２−（（１Ｓ，３ａＲ，４Ｓ，８ａＳ）−４，８，８−トリメチルデカヒドロ−１，４−メタノアズレン−９−イリデン）エタン−１−オール；６−イソプロピルオクタヒドロナフタレン−２（１Ｈ）−オン；７−エトキシ−４−メチル−２Ｈ−クロメン−２−オン；（Ｅ）−４−メチル−６−（２，２，３−トリメチルシクロペンタ−３−エン−１−イル）ヘキサ−４−エン−３−オール；３，８，８−トリメチル−６−メチレンオクタヒドロ−１Ｈ−３ａ，７−メタノアズレン−５−オール；（３Ｒ，３ａＲ，６Ｓ，７Ｓ，８ａＳ）−３，６，８，８−テトラメチルヘキサヒドロ−１Ｈ−３ａ，７−メタノアズレン−５（４Ｈ）−オン；（Ｅ）−４−メチル−６−（２，２，３−トリメチルシクロペンタ−３−エン−１−イル）ヘキサ−５−エン−３−オール；１−（４，４−ジメチル−１，２，３，４−テトラヒドロナフタレン−１−イル）プロパン−１−オン；８，１２−ジメチルトリデカ−１１−エン−６−オン；２−エトキシ−４−（４−メチル−１，３−ジオキソラン−２−イル）フェノール；３−ベンジルヘプタン−４−オン；ヘプタデカン−９−オン；（（２Ｓ，４ａＲ）−１，１，５，５−テトラメチル−１，３，４，５，６，７−ヘキサヒドロ−２Ｈ−２，４ａ−メタノナフタレン−８−イル）メタノール；（オクタヒドロ−１Ｈ−４，７−メタノインデン−２，５−ジイル）ジメタノール；（１Ｒ，５Ｓ，９Ｓ，Ｅ）−４，１１，１１−トリメチル−８−メチレンビシクロ［７．２．０］ウンデカ−３−エン−５−オール；１−（４−ブトキシ−２，２，６，６−テトラメチルシクロヘキサ−３−エン−１−イル）エタン−１−オン；（Ｅ）−２−メチル−１−（１−メチルビシクロ［２．２．１］ヘプタ−５−エン−２−イル）ペンタ−１−エン−３−オール；（Ｅ）−１−（３，５，６−トリメチルシクロヘキサ−３−エン−１−イル）ペンタ−１−エン−３−オン；（Ｅ）−１−（２，４，６−トリメチルシクロヘキサ−３−エン−１−イル）ペンタ−１−エン−３−オン；２−（（３Ｓ，３ａＳ，５Ｒ，８Ｓ，８ａＳ）−３，８−ジメチルデカヒドロアズレン−５−イル）プロパン−２−オール；（２Ｅ，６Ｅ，９Ｅ）−２，６，１０−トリメチルドデカ−２，６，９，１１−テトラエナール；１−（２，５，５−トリメチル−１，３，４，５，６，７−ヘキサヒドロ−２Ｈ−２，４ａ−エタノナフタレン−８−イル）エタン−１−オン；オキサシクロヘキサデカン−２，１３−ジオン；（３Ｒ，３ａＲ，７Ｓ，８ａＳ）−３，６，８，８−テトラメチル−１，２，３，７，８，８ａ−ヘキサヒドロ−４Ｈ−３ａ，７−メタノアズレン−４−オン；１−（２，３，８，８−テトラメチル−１，２，３，５，６，７，８，８ａ−オクタヒドロナフタレン−２−イル）エタン−１−オン；（Ｅ）−カルコン；（Ｅ）−４−（１，３ａ，４，６，７，７ａ−ヘキサヒドロ−５Ｈ−４，７−メタノインデン−５−イリデン）ブタン−２−オール；（Ｅ）−３−（（２，６，６−トリメチルシクロヘキサ−２−エン−１−イリデン）メチル）ヘキサ−５−エン−２−オン；（３ａＲ，５ａＳ，９ａＳ，９ｂＲ）−３ａ，６，６，９ａ−テトラメチルデカヒドロナフト［２，１−ｂ］フラン−２（１Ｈ）−オン；（Ｅ）−５−メチル−１−（２，６，６−トリメチルシクロヘキサ−２−エン−１−イル）ヘキサ−１−エン−３−オン；１０，１１−ジヒドロ−５Ｈ−ジベンゾ［ａ，ｄ］［７］アヌレン−５−オン；５，５，７，８，８−ペンタメチル−５，６，７，８−テトラヒドロナフタレン−２−カルバルデヒド；（４Ｒ，４ａＳ，６Ｒ，８ａＳ）−４，４ａ−ジメチル−６−（プロパ−１−エン−２−イル）オクタヒドロナフタレン−２（１Ｈ）−オン；２−（１，１，２，３，３−ペンタメチル−２，３−ジヒドロ−１Ｈ−インデン−５−イル）プロパン−１−オール；８−（ｔｅｒｔ−ブチル）−４，６−ジメチル−２Ｈ−クロメン−２−オン；（Ｅ）−４−（３ａ，４，５，６，７，７ａ−ヘキサヒドロ−１Ｈ−４，７−メタノインデン−５−イル）−３−メチルブタ−３−エン−２−オール；（Ｅ）−４−（３ａ，４，５，６，７，７ａ−ヘキサヒドロ−１Ｈ−４，７−メタノインデン−６−イル）−３−メチルブタ−３−エン−２−オール；２−（（４−イソプロピルシクロヘキサ−１−エン−１−イル）メチル）シクロペンタン−１−オン；４−（５，５，６−トリメチルビシクロ［２．２．１］ヘプタン−２−イル）シクロヘキサン−１−オール；１，３−ジフェニルプロパン−２−オン；３−（（２Ｒ）−５，５，６−トリメチルビシクロ［２．２．１］ヘプタン−２−イル）シクロヘキサン−１−オール；３−エチル−５，５，８，８−テトラメチル−５，６，７，８−テトラヒドロナフタレン−２−カルバルデヒド；（１Ｓ）−３−（（Ｚ）−ベンジリデン）−１，７，７−トリメチルビシクロ［２．２．１］ヘプタン−２−オン；（Ｚ）−３−ベンジリデン−１，７，７−トリメチルビシクロ［２．２．１］ヘプタン−２−オン；３−（５，５−ジメチル−６−メチレンビシクロ［２．２．１］ヘプタン−２−イル）シクロヘキサン−１−オール；６，１０，１４−トリメチルペンタデカン−２−オン；１−（３−エチル−５，５，８，８−テトラメチル−５，６，７，８−テトラヒドロナフタレン−２−イル）エタン−１−オン；２−オクチルドデカン−１−オール；２−イソプロポキシ−１，２−ジフェニルエタン−１−オン；２−メトキシ−４−（１，７，７−トリメチルビシクロ［２．２．１］ヘプタン−２−イル）フェノール；２−（２−（３，３，５−トリメチルシクロヘキシル）アセチル）シクロペンタン−１−オン；２−ブトキシ−１，２−ジフェニルエタン−１−オン；（６Ｅ，１０Ｅ）−３，７，１１，１５−テトラメチルヘキサデカ−６，１０，１４−トリエン−３−オール；（６Ｅ，１０Ｅ）−３，７，１１，１５−テトラメチルヘキサデカ−１，６，１０，１４−テトラエン−３−オール；２−イソブトキシ−１，２−ジフェニルエタン−１−オン；（１Ｒ）−１，７，７−トリメチル−３−（（Ｚ）−４−メチルベンジリデン）ビシクロ［２．２．１］ヘプタン−２−オン；１−（４−ヒドロキシ−３−メトキシフェニル）デカン−３−オン；３，７，１１，１５−テトラメチルヘキサデカ−１−イン−３−オール；（７Ｒ，１１Ｒ，Ｅ）−３，７，１１，１５−テトラメチルヘキサデカ−２−エン−１−オール；（３Ｒ，５Ｓ，８Ｒ，９Ｓ，１０Ｓ，１３Ｒ，１４Ｓ）−１０，１３−ジメチル−２，３，４，５，６，７，８，９，１０，１１，１２，１３，１４，１５−テトラデカヒドロ−１Ｈ−シクロペンタ［ａ］フェナントレン−３−オール；１−フェネトキシ−２−（ｐ−トリルオキシ）エタン−１−オール；（７−イソプロピル−１，４ａ−ジメチルテトラデカヒドロフェナントレン−１−イル）メタノール；（５Ｓ，８Ｒ，９Ｓ，１０Ｓ，１３Ｒ，１４Ｓ）−１０，１３−ジメチル−１，２，４，５，６，７，８，９，１０，１１，１２，１３，１４，１５−テトラデカヒドロ−３Ｈ−シクロペンタ［ａ］フェナントレン−３−オン；（７−イソプロピル−１，４ａ−ジメチル−１，２，３，４，４ｂ，５，６，７，８，８ａ，９，１０−ドデカヒドロ−４ａｌ５−フェナントレン−１−イル）メタノール；１−（４−（ｔｅｒｔ−ブチル）フェニル）−３−（４−メトキシフェニル）プロパン−１，３−ジオン；２，５，７，８−テトラメチル−２−（４，８，１２−トリメチルトリデシル）クロマン−６−オール；２，５，８−トリメチル−２−（４，８，１２−トリメチルトリデシル）クロマン−６−オール；２，７，８−トリメチル−２−（４，８，１２−トリメチルトリデシル）クロマン−６−オール；２，８−ジメチル−２−（４，８，１２−トリメチルトリデシル）クロマン−６−オール；（１Ｅ，６Ｅ）−１，７−ビス（４−ヒドロキシ−３−メトキシフェニル）ヘプタ−１，６−ジエン−３，５−ジオン；（１Ｒ，２Ｒ，４ａＳ，８ａＳ）−１−（（Ｅ）−６−（（Ｓ）−２，２−ジメチル−６−メチレンシクロヘキシル）−４−メチルヘキサ−３−エン−１−イル）−２，５，５，８ａ−テトラメチルデカヒドロナフタレン−２−オール；（２Ｅ，４Ｅ，６Ｅ，８Ｅ，１０Ｅ，１２Ｅ，１４Ｅ，１６Ｅ）−２，６，１１，１５−テトラメチル−１７−（２，６，６−トリメチルシクロヘキサ−１−エン−１−イル）ヘプタデカ−２，４，６，８，１０，１２，１４，１６−オクタエナール；８，８−ジ（１Ｈ−インドール−３−イル）−２，６−ジメチルオクタン−２−オール；及びこれらの混合物からなる群から選択される有益剤のフラグメントである、請求項１〜１０のいずれか一項に記載のシリコーン化合
物。
【請求項１２】
前記有益剤部分が、３，７−ジメチルオクタナール；オクタナール；テトラデカナール；２，２，６，８−テトラメチル−１，２，３，４，４ａ，５，８，８ａ−オクタヒドロナフタレン−１−オール；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；ノナナール；（Ｚ）−３，７−ジメチルオクタ−２，６−ジエン−１−オール；６，６−ジメチルビシクロ［３．１．１］ヘプタ−２−エン−２−カルバルデヒド；（Ｅ）−４−（２，２，３，６−テトラメチルシクロヘキシル）ブタ−３−エン−２−オン；（Ｚ）−１−（２，６，６−トリメチルシクロヘキサ−１−エン−１−イル）ペンタ１−エン−３−オン；（Ｅ）−３−メチルシクロペンタデカ−４−エン−１−オン；１−（４−イソプロピルシクロヘキシル）エタン−１−オール；１−（４−イソプロピルシクロヘキシル）エタン−１−オール；２−メチルデカナール；２−メチルウンデカナール；６−メトキシ−２，６−ジメチルヘプタナール；７−メトキシ−３，７−ジメチルオクタナール；オクタヒドロ−１Ｈ−４，７−メタノインデン−１−カルバルデヒド；（（１ｓ，４ｓ）−４−イソプロピルシクロヘキシル）メタノール；３−（３−（ｔｅｒｔ−ブチル）フェニル）−２−メチルプロパナール；２，２−ジメチル−３−（ｍ−トリル）プロパン−１−オール；８−イソプロピル−６−メチルビシクロ［２．２．２］オクタ−５−エン−２−カルバルデヒド；４−（４−ヒドロキシ−４−メチルペンチル）シクロヘキサ−３−エン−１−カルバルデヒド；（Ｚ）−３−ヘキセン−１−イル−２−シクロペンテン−１−オン；３−（４−メチルシクロヘキサ−３−エン−１−イル）ブタナール；３−（４−（ｔｅｒｔ−ブチル）フェニル）−２−メチルプロパナール；２−メチル−５−（１−メチルエテニル）−２−シクロヘキセノン；（１Ｓ，５Ｒ）−２−メチル−５−（プロパ−１−エン−２−イル）シクロヘキサ−２−エン−１−オール；ドデカン−１−オール；ドデカナール；（（３Ｓ，３ａＲ，６Ｒ，８ａＳ）−７，７−ジメチル−８−メチレンオクタヒドロ−１Ｈ−３ａ，６−メタノアズレン−３−イル）メタノール；（１−メチル−２−（（１，２，２−トリメチルビシクロ［３．１．０］ヘキサン−３−イル）メチル）シクロプロピル）メタノール；（Ｚ）−４−（６，６−ジメチルシクロヘキサ−２−エン−１−イル）−３−メチルブタ−３−エン−２−オン；（１Ｒ，２Ｓ，５Ｒ）−５−メチル−２−（プロパ−１−エン−２−イル）シクロヘキサン−１−オール；４，９−ジメトキシ−７Ｈ−フロ［３，２−ｇ］クロメン−７−オン；２−ヘキシルシクロペンタ−２−エン−１−オン；４−（４−メチルペンタ−３−エン−１−イル）シクロヘキサ−３−エン−１−カルバルデヒド；２，５，６−トリメチルシクロヘキサ−３−エン−１−カルバルデヒド；４−（（２Ｒ）−１，７，７−トリメチルビシクロ［２．２．１］ヘプタン−２−イル）シクロヘキサン−１−オール；（７，７，８，８−テトラメチルオクタヒドロ−２，３ｂ−メタノシクロペンタ［１，３］シクロプロパ［１，２］ベンゼン−４−イル）メタノール；２−シクロドデシルプロパン−１−オール；３−フェニルプロパン−１−オール；２，３−ジヒドロ−３，３−ジメチル−１Ｈ−インデン−５−プロパナール；３−（３，３−ジメチル−２，３−ジヒドロ−１Ｈ−インデン−５−イル）プロパナール；（Ｚ）−２−ベンジリデンオクタナール；３−（ベンゾ［ｄ］［１，３］ジオキソール−５−イル）−２−メチルプロパナール；１−メチル−４−（プロパン−２−イリデン）シクロヘキサン−１−オール；（Ｚ）−４−（２，２−ジメチル−６−メチレンシクロヘキシル）ブタ−３−エン−２−オン；（Ｚ）−１−（２，２−ジメチル−６−メチレンシクロヘキシル）ブタ−２−エン−１−オン；１−（３，３−ジメチルシクロヘキシル）ペンタ−４−エン−１−オン；（６−イソプロピル−９−メチル−１，４−ジオキサスピロ［４．５］デカン−２−イル）メタノール；３−（２−エチルフェニル）−２，２−ジメチルプロパナール；３−（２−エチルフェニル）−２，２−ジメチルプロパナール；（Ｅ）−４，８−ジメチルデカ−４，９−ジエナール；（２Ｅ，６Ｅ）−３，７，１１−トリメチルドデカ−２，６，１０−トリエン−１−オール；（Ｅ）−シクロペンタデカ−４−エン−１−オン；１−シクロペンタデカ−４−エン−１−オン；２−メトキシ−４−（４−メチレンテトラヒドロ−２Ｈ−ピラン−２−イル）フェノール；４−アリル−２−メトキシフェノール；（２Ｒ，３Ｓ，４Ｒ）−２，３，４，５−テトラヒドロキシペンタナール；（Ｅ）−４−（（３ａＳ，７ａＳ）−オクタヒドロ−５Ｈ−４，７−メタノインデン−５−イリデン）ブタナール；２−（２−ヒドロキシプロポキシ）プロパン−１−オール；２，６−ジメチルオクタ−７−エン−４−オン；３−メチル−２−ペンチルシクロペンタ−２−エン−１−オン；２−メトキシ−４−プロピルフェノール；２−メチル−５−（プロパ−１−エン−２−イル）シクロヘキサン−１−オール；（Ｚ）−１−（（１Ｒ，２Ｓ）−２，６，６−トリメチルシクロヘキサ−３−エン−１−イル）ブタ−２−エン−１−オン；デカ−９−エン−１−オール；３−（４−イソプロピルフェニル）−２−メチルプロパナール；８，８−ジメチル−１，２，３，４，５，６，７，８−オクタヒドロナフタレン−２−カルバルデヒド；（４−イソプロピルフェニル）メタノール；３−（４−メチルシクロヘキサ−３−エン−１−イル）ブタン−１−オール；３，７−ジメチルオクタ−６−エン−１−オール；３，７−ジメチルオクタ−６−エナール；（Ｚ）−３−メチル−２−（ペンタ−２−エン−１−イル）シクロペンタ−２−エン−１−オン；（Ｚ）−ノナ−６−エン−１−オール；（１Ｒ，５Ｒ）−２−メチル−５−（プロパ−１−エン−２−イル）シクロヘキサ−２−エン−１−オール；（Ｚ）−デカ−４−エナール；（３Ｚ，６Ｚ）−ノナ−３，６−ジエン−１−オール；（Ｅ）−３−フェニルプロパ−２−エン−１−オール；４−クロロ−３，５−ジメチルフェノール；ヘキサデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；１，１，２，３，３−ペンタメチル−１，２，３，５，６，７−ヘキサヒドロ−４Ｈ−インデン−４−オン；（１Ｓ，２Ｓ，５Ｒ，８Ｓ）−４，４，８−トリメチルトリシクロ［６．３．１．０２，５］ドデカン−１−オール；５−イソプロピル−２−メチルフェノール；２−メチル−５−（プロパ−１−エン−２−イル）シクロヘキサ−２−エン−１−オン；オクタン−１−オール；デカナール；３−（４−メトキシフェニル）−２−メチルプロパナール；２，６−ジ−ｔｅｒｔ−ブチル−４−メチルフェノール；２−メチル−４−（２，２，３−トリメチルシクロペンタ−３−エン−１−イル）ブタン−１−オール；３−（４−（ｔｅｒｔ−ブチル）フェニル）プロパナール；（Ｅ）−２−メチル−４−（２，６，６−トリメチルシクロヘキサ−１−エン−１−イル）ブタ−２−エナール；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキサン−１−オール；（２Ｚ，６Ｅ）−２，６−ジメチル−１０−メチレンドデカ−２，６，１１−トリエナール；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；（Ｓ）−４−メチル−１−（（Ｓ）−６−メチルヘプタ−５−エン−２−イル）シクロヘキサ−３−エン−１−オール；（Ｚ）−４−（２，２，６−トリメチル−７−オキサビシクロ［４．１．０］ヘプタン−１−イル）ブタ−３−エン−２−オン；４−メトキシ−７Ｈ−フロ［３，２−ｇ］クロメン−７−オン；（４Ｒ，４ａＳ）−４，４ａ−ジメチル−６−（プロパン−２−イリデン）−４，４ａ，５，６，７，８−ヘキサヒドロナフタレン−２（３Ｈ）−オン；（２Ｚ，６Ｅ，９Ｅ）−２，６，１０−トリメチルドデカ−２，６，９，１１−テトラエナール；（Ｅ）−５−（２，３−ジメチルトリシクロ［２．２．１．０２，６］ヘプタン−３−イル）−２−メチルペンタ−２−エン−１−オール；１−（５，５−ジメチルシクロヘキサ−１−エン−１−イル）ペンタ−４−エン−１−オン；（Ｒ，Ｚ）−１−（２，６，６−トリメチルシクロヘキサ−２−エン−１−イル）ペンタ−１−エン−３−オン；（Ｚ）−３−メチル−４−（２，６，６−トリメチルシクロヘキサ−２−エン−１−イル）ブタ−３−エン−２−オン；（Ｚ）−４−（２，５，６，６−テトラメチルシクロヘキサ−２−エン−１−イル）ブタ−３−エン−２−オン；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；（Ｅ）−２−ベンジリデンヘプタン−１−オール；（Ｅ）−２−ベンジリデンヘプタナール；１−メチル−４−（４−メチルペンタ−３−エン−１−イル）シクロヘキサ−３−エン−１−カルバルデヒド；２，３，４−トリメトキシベンズアルデヒド；２，４，５−トリメトキシベンズアルデヒド；２，４，６−トリメトキシベンズアルデヒド；トランス，トランス−２，４−ノナジエナール；２，６，１０−トリメチルウンデカナール；α−４−ジメ���ルベンゼンプロパナール；（Ｅ）−ウンデカ−９−エナール；２，６，１０−トリメチルウンデカ−９−エナール；（Ｚ）−２−（４−メチルベンジリデン）ヘプタナール；デカ−９−エナール；７−メトキシ−２Ｈ−クロメン−２−オン；１−（３，５，５，６，８，８−ヘキサメチル−５，６，７，８−テトラヒドロナフタレン−２−イル）エタン−１−オン；３−（６，６−ジメチルビシクロ［３．１．１］ヘプタ−２−エン−２−イル）プロパナール；１−イソプロピル−４−メチルシクロヘキサ−３−エン−１−オール；１−フェニルペンタ−４−エン−１−オン；１−イソプロピル−４−メチルシクロヘキサ−３−エン−１−オール；（１ａＲ，２Ｓ，４ａＳ）−２，４ａ，８，８−テトラメチルオクタヒドロシクロプロパ［ｄ］ナフタレン−３（１Ｈ）−オン；（Ｚ）−ドデカ−２−エナール；３−メチル−５−フェニルペンタナール；３，７−ジメチル−２−メチレンオクタ−６−エナール；３，７−ジメチルオクタン−１−オール；３，４，５−トリメトキシベンズアルデヒド；３−（４−イソプロピルフェニル）プロパナール；（Ｅ）−ウンデカ−２−エナール；（２Ｅ，６Ｅ）−ノナ−２，６−ジエナール；（Ｚ）−３−（フラン−２−イル）−２−フェニルアクリルアルデヒド；２−フェノキシエタン−１−オール；（Ｚ）−ノナ−２−エナール；（Ｅ）−２−イソプロピル−５−メチルヘキサ−２−エナール；（Ｅ）−デカ−２−エナール；（２Ｅ，６Ｅ）−ノナ−２，６−ジエナール；（２Ｅ，６Ｅ）−ノナ−２，６−ジエン−１−オール；２，６−ジメチルオクタナール；デカン−１−オール；ウンデカ−１０−エン−１−オール；ウンデカ−１０−エナール；（Ｚ）−１−（２，６，６−トリメチルシクロヘキサ−２−エン−１−イル）ブタ−２−エン−１−オン；（１Ｓ，５Ｓ）−４，６，６−トリメチルビシクロ［３．１．１］ヘプタ−３−エン−２−オン；（Ｚ）−ドデカ−３−エナール；３，７−ジメチルオクタ−６−エナール；（Ｒ）−３，７−ジメチルオクタ−６−エナール；（１Ｓ，２Ｓ，５Ｓ）−２−メチル−５−（プロパ−１−エン−２−イル）シクロヘキサン−１−オール；３，７−ジメチルオクタ−６−エン−１−オール；３，７−ジメチルオクタ−６−エン−１−オール；（Ｓ）−２−メチル−５−（プロパ−１−エン−２−イル）シクロヘキサ−２−エン−１−オン；（Ｒ，Ｅ）−２−メチル−４−（２，２，３
−トリメチルシクロペンタ−３−エン−１−イル）ブタ−２−エン−１−オール；（Ｅ）−４−（２，２−ジメチル−６−メチレンシクロヘキシル）−３−メチルブタ−３−エン−２−オン；３−（３−イソプロピルフェニル）ブタナール；３−（６，６−ジメチルビシクロ［３．１．１］ヘプタ−２−エン−２−イル）−２，２−ジメチルプロパナール；２−（ｍ−トリル）エタン−１−オール；（３Ｅ，６Ｅ）−ノナ−３，６−ジエン−１−オール；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；４−（プロパ−１−エン−２−イル）シクロヘキサ−１−エン−１−カルバルデヒド；（４−（プロパ−１−エン−２−イル）シクロヘキサ−１−エン−１−イル）メタノール；２−シクロヘキシルヘプタ−１，６−ジエン−３−オン；２−フェニルエタン−１−オール；３−メチル−５−フェニルペンタン−１−オール；２−（６，６−ジメチルビシクロ［３．１．１］ヘプタ−２−エン−２−イル）アセトアルデヒド；（４ａＲ，８ａＳ）−７−メチルオクタヒドロ−１，４−メタノナフタレン−６（２Ｈ）−オン；１，２−ジメチル−３−（プロパ−１−エン−２−イル）シクロペンタン−１−オール；４−イソプロピル−１−メチルシクロヘキサ−３−エン−１−オール；（２Ｚ，５Ｚ）−５，６，７−トリメチルオクタ−２，５−ジエン−４−オン；１−メチル−４−（４−メチルペンタ−３−エン−１−イル）シクロヘキサ−３−エン−１−カルバルデヒド；プロパン−１，２−ジオール；４−（ｔｅｒｔ−ペンチル）シクロヘキサン−１−オール；３，７−ジメチルオクタ−７−エン−１−オール；２−メチル−５−フェニルペンタン−１−オール；（Ｚ）−２−エチル−４−（２，２，３−トリメチルシクロペンタ−３−エン−１−イル）ブタ−２−エン−１−オール；（Ｅ）−２−メチル−４−（２，２，３−トリメチルシクロペンタ−３−エン−１−イル）ブタ−２−エン−１−オール；５−メトキシオクタヒドロ−１Ｈ−４，７−メタノインデン−２−カルバルデヒド；５−メトキシオクタヒドロ−１Ｈ−４，７−メタノインデン−２−カルバルデヒド；３−（４−イソブチルフェニル）−２−メチルプロパナール；１−（スピロ［４．５］デカ−７−エン−７−イル）ペンタ−４−エン−１−オン；２−（４−メチルチアゾール−５−イル）エタン−１−オール；（Ｚ）−ドデカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３，７−ジメチルオクタナール；２−イソプロピル−５−メチルフェノール；（２Ｚ，４Ｅ）−ノナ−２，４−ジエナール；（２Ｅ，６Ｅ）−３，７，１１−トリメチルドデカ−２，６，１０−トリエン−１−オール；（２Ｅ，６Ｚ）−ノナ−２，６−ジエナール；（Ｚ）−デカ−２−エナール；（Ｅ）−ノナ−２−エナール；（１Ｒ，２Ｓ）−２−（ｔｅｒｔ−ブチル）シクロヘキサン−１−オール；（３Ｅ，６Ｚ）−ノナ−３，６−ジエン−１−オール；（Ｅ）−デカ−４−エナール；（Ｚ）−１−（２，６，６−トリメチルシクロヘキサ−２−エン−１−イル）ブタ−２−エン−１−オン；（Ｅ）−３，７−ジメチルオクタ−２，６−ジエン−１−オール；（１Ｒ−（１α，３α，４ａα））−２，３，４，４ａ，５，６−ヘキサヒドロ−２，２−ジメチル−１，３−メタノナフタレン−７（１Ｈ）−オン；トリデカン−１−オール；１−（（２Ｅ，５Ｚ，９Ｚ）−２，６，１０−トリメチルシクロドデカ−２，５，９−トリエン−１−イル）エタン−１−オン；２−メルカプト−２−メチルペンタン−１−オール；ウンデカナール；（Ｚ）−２−メチル−４−（２，６，６−トリメチルシクロヘキサ−２−エン−１−イル）ブタ−２−エナール；（１Ｒ，５Ｒ）−４，６，６−トリメチルビシクロ［３．１．１］ヘプタ−３−エン−２−オン；２−（ｔｅｒｔ−ブチル）シクロヘキサン−１−オール；１，３，４，６，７，８α−ヘキサヒドロ−１，１，５，５−テトラメチル−２Ｈ−２，４α−メタノフタレン−８（５Ｈ）−オン；３−（３，３−ジメチル−２，３−ジヒドロ−１Ｈ−インデン−５−イル）プロパナール；２，２’−オキシビス（エタン−１−オール）；ブタン−１，３−ジオール；ヘキサン−１，６−ジオール；２，２’−（エタン−１，２−ジイルビス（オキシ））ビス（エタン−１−オール）；２−メチルペンタン−２，４−ジオール；（２Ｅ，４Ｅ）−ヘプタ−２，４−ジエン−１−オール；ヘキサン−１，２，６−トリオール；（Ｚ）−オクタ−５−エン−１−オール；（Ｅ）−オクタ−３−エン−１−オール；（Ｚ）−オクタ−５−エナール；２，５−ジメチル−１，４−ジチアン−２，５−ジオール；（Ｅ）−ノナ−２−エン−１−オール；（Ｅ）−ノナ−６−エン−１−オール；（Ｅ）−ノナ−３−エン−１−オール；（Ｚ）−ノナ−３−エン−１−オール；（２Ｅ，６Ｚ）−ノナ−２，６−ジエン−１−オール；マンニトール；２，２’，２’’−ニトリロトリス（エタン−１−オール）；３−ノネン−２−オン；（Ｅ）−ノナ−５−エン−２−オン；２−（シクロヘキシルオキシ）エタン−１−オール；（Ｅ）−デカ−２−エン−１−オール；ａ−Ｄ−グルコピラノース；（Ｅ）−デカ−５−エン−１−オール；２，３，６−トリメチルフェノール；（２Ｅ，４Ｅ）−デカ−２，４−ジエナール；（２Ｅ，４Ｚ）−デカ−２，４−ジエナール；デカン−１，１０−ジオール；（Ｚ）−デカ−７−エナール；（Ｅ）−２−メチルオクタ−２−エナール；３−（ヒドロキシメチル）フェノール；（２−メトキシフェニル）メタノール；デカン−２−オン；２−（ｏ−トリル）エタン−１−オール；ウンデカン−１−オール；（Ｅ）−デカ−３−エン−２−オン；３−エチル−２−ヒドロキシ−４−メチルシクロペンタ−２−エン−１−オン；３−フェニルプロパン−１−オール；３，５−オクタジエン−２−オール、２，６−ジメチル−，（？，Ｚ）−；３，５−オクタジエン−２−オール，２，６−ジメチル−，（？，Ｅ）−；ベンゼンメタノール、４−メチル−；２−（ベンジルオキシ）エタン−１−オール；（Ｅ）−ウンデカ−２−エン−１−オール；��２Ｚ，４Ｅ）−ウンデカ−２，４−ジエン−１−オール；（Ｅ）−７−メチル−３−メチレンオクタ−４，６−ジエン−２−オール；（Ｚ）−ウンデカ−２−エナール；（Ｅ）−ウンデカ−２−エナール；（２Ｚ，４Ｚ）−ウンデカ−２，４−ジエナール；（２Ｅ，４Ｅ）−ウンデカ−２，４−ジエナール；３−シクロヘキセン−１−プロパナール；（Ｅ）−ウンデカ−８−エナール；１−（ｐ−トリル）エタン−１−オール；（Ｅ）−３，７−ジメチルオクタ−２，６−ジエン−１−オール；４−（２−ヒドロキシエチル）フェノール；（４−メトキシフェニル）メタノール；２−メトキシ−２−フェニルエタン−１−オール；（Ｅ）−２−イソプロピル−５−メチルヘキサ−２−エン−１−オール；４−フェニルブタン−１−オール；２−（ｐ−トリル）エタン−１−オール；（Ｅ）−ドデカ−２−エン−１−オール；２−（ｐ−トリルオキシ）エタン−１−オール；７−メチル−３−メチレンオクタ−６−エナール；（２Ｅ，４Ｅ）−ドデカ−２，４−ジエン−１−オール；（Ｅ）−ドデカ−２−エナール；（２Ｅ，４Ｅ）−ドデカ−２，４−ジエナール；（Ｅ）−５−（メチルチオ）−２−（（メチルチオ）メチル）ペンタ−２−エナール；（Ｅ）−ドデカ−３−エナール；４−（ヒドロキシメチル）−２−メトキシフェノール；ウンデカン−１−オール；（Ｅ）−ドデカ−４−エナール；４−アリルフェノール；（２Ｅ，６Ｚ）−ドデカ−２，６−ジエナール；３−（５−メチルフラン−２−イル）ブタナール；２−ペンチルシクロペンタ−２−エン−１−オン；２−イソプロピル−４−メチルフェノール；３，７−ジメチルオクタ−７−エン−１，６−ジオール；ベンゾ［ｄ］［１，３］ジオキソール−５−イルメタノール；（Ｚ）−２，７−ジメチルオクタ−５−エン−４−オン；ウンデカ−１−エン−３−オン；２，６−ジメトキシ−４−メチルフェノール；（１Ｓ，２Ｓ，５Ｓ）−２−メチル−５−（プロパ−１−エン−２−イル）シクロヘキサン−１−オール；５−フェニルペンタン−１−オール；ｒｅｌ−（１Ｒ，２Ｓ，５Ｒ）−５−メチル−２−（プロパ−１−エン−２−イル）シクロヘキサン−１−オール；（Ｅ）−２−メチル−３−フェニルプロパ−２−エン−１−オール；（Ｅ）−トリデカ−２−エン−１−オール；（（１Ｓ，２Ｓ，５Ｓ）−６，６−ジメチルビシクロ［３．１．１］ヘプタン−２−イル）メタノール；トリデカナール；２−メチルウンデカン−１−オール；２−（３，４−ジメチルフェニル）アセトアルデヒド；２−（２，４−ジメチルフェニル）アセトアルデヒド；１，３−ジヒドロ−２Ｈ−インデン−２−オン；（２Ｅ，４Ｅ）−トリデカ−２，４−ジエナール；（６，６−ジメチルビシクロ［３．１．１］ヘプタ−２−エン−２−イル）メタノール；３−（ｐ−トリル）プロパナール；（Ｅ）−２−（ヘキサ−２−エン−１−イル）シクロペンタン−１−オール；２−（２−ヒドロキシプロパン−２−イル）−５−メチルシクロヘキサン−１−オール；１１−メチルドデカン−１−オール；（２Ｅ，４Ｚ，７Ｚ）−トリデカ−２，４，７−トリエナール；シクロドデカノール；２−（４−メチルシクロヘキサ−３−エン−１−イル）プロパ−２−エン−１−オール；（Ｒ）��２−（４−メチルシクロヘキサ−３−エン−１−イル）プロパ−２−エン−１−オール；（Ｅ）−２−メチル−３−（ペンタ−２−エン−１−イル）シクロペンタ−２−エン−１−オン；（Ｅ）−３−メチル−２−（ペンタ−２−エン−１−イル）シクロペンタ−２−エン−１−オン；（２Ｅ，６Ｅ）−３，７−ジメチルノナ−２，６−ジエナール；２，６−ジイソプロピルフェノール；１−（３，３−ジメチルビシクロ［２．２．１］ヘプタン−２−イル）エタン−１−オール；２−（４−メチレンシクロヘキシル）プロパナール；（Ｓ）−４−（プロパ−１−エン−２−イル）シクロヘキサ−１−エン−１−カルバルデヒド；（Ｅ）−３−（４−メトキシフェニル）アクリルアルデヒド；テトラデカン−１−オール；６−フェニルヘキサン−１−オール；２−（４−イソプロピルシクロヘキシル）エタン−１−オール；（Ｅ）−２−エチル−２−（３−メチルブタ−２−エン−１−イル）ヘキサ−３−エン−１−オール；２−（４−エチルフェニル）アセトアルデヒド；（Ｅ）−３−メチル−１−フェニルペンタ−１−エン−３−オール；（２−ヘキシル−１，３−ジオキソラン−４−イル）メタノール；６−エチル−３−メチルオクタ−５−エン−１−オール；オクタヒドロナフタレン−２（１Ｈ）−オン；２−（４−イソプロピルフェニル）エタン−１−オール；（Ｅ）−５，９−ジメチルデカ−４，９−ジエナール；５−メチル−３，４−ジヒドロナフタレン−１（２Ｈ）−オン；８−メチル−３，４−ジヒドロナフタレン−１（２Ｈ）−オン；（Ｅ）−テトラデカ−２−エナール；４−（ｔｅｒｔ−ブチル）シクロヘキサン−１−カルバルデヒド；２−（６，６−ジメチルビシクロ［３．１．１］ヘプタ−２−エン−２−イル）エタン−１−オール；（４，７，７−トリメチルビシクロ［４．１．０］ヘプタ−４−エン−３−イル）メタノール；（Ｚ）−２−（３，３−ジメチルビシクロ［２．２．１］ヘプタン−２−イリデン）エタン−１−オール；（３ａＲ，７ａＲ）−オクタヒドロ−５Ｈ−４，７−メタノインデン−５−オン；４−（３−ヒドロキシブチル）フェノール；２，５，７，７−テトラメチルオクタナール；２−フェニルペンタ−４−エナール；４−ヒドロキシ−３，５−ジメトキシベンズアルデヒド；（Ｅ）−４−（３−ヒドロキシプロパ−１−エン−１−イル）−２−メトキシフェノール；２−メチル−４−フェニルブタナール；２−ペンチ
ルシクロヘキサ−２−エン−１−オン；４−エチル−２，６−ジメトキシフェノール；２−（（１，７，７−トリメチルビシクロ［２．２．１］ヘプタン−２−イル）オキシ）エタン−１−オール；ペンタデカン−１−オール；（２−フェニル−１，３−ジオキソラン−４−イル）メタノール；１−アリル−２，２，７，７−テトラメチルシクロヘプタン−１−オール；５−エチル−２−メチルノナン−１−オール；３−（ブタ−３−エン−１−イル）−２，４，４−トリメチルシクロヘキサ−２−エン−１−オン；２−（４−イソプロピルシクロヘキシル）プロパン−１−オール；ペンタデカナール；（Ｚ）−２−エチリデンウンデカナール；（Ｅ）−１−（２，６，６−トリメチルシクロヘキサ−３−エン−１−イル）ブタ−２−エン−１−オン；３，５−ジエチル−２，６−ジメチルシクロヘキサ−２−エン−１−オン；（Ｚ）−４−（４−メチルシクロヘキサ−３−エン−１−イリデン）ペンタナール；６−メチル−３，４−ジヒドロナフタレン−１（２Ｈ）−オン；７−メチル−３，４−ジヒドロナフタレン−１（２Ｈ）−オン；５−エチル−２−メチルノナナール；（３Ｅ，５Ｅ）−６，１０−ジメチルウンデカ−３，５，９−トリエン−２−オン；［１，１’−ビ（シクロヘキサン）］−１’−エン−２−オン；（Ｅ）−４−（２，３，６−トリメチルフェニル）ブタ−３−エン−２−オン；２−（４−イソプロピルフェニル）プロパナール；（Ｅ）−６，１０−ジメチルウンデカ−３，９−ジエン−２−オン；３−プロピルビシクロ［２．２．１］ヘプタ−５−エン−２−カルバルデヒド；（Ｅ）−２，６−ジメトキシ−４−（プロパ−１−エン−１−イル）フェノール；４，４ａ，６，７，８，８ａ−ヘキサヒドロ−１，４−メタノナフタレン−５（１Ｈ）−オン；４−アリル−２，６−ジメトキシフェノール、（２，８，８−トリメチル−１，２，３，４，５，６，７，８−オクタヒドロナフタレン−２−イル）メタノール；（Ｅ）−３−（４−メトキシフェニル）−２−メチルアクリルアルデヒド；（２Ｅ，６Ｅ）−３，７，９−トリメチルデカ−２，６−ジエナール；（５，６−ジメチル−１−（プロパ−１−エン−２−イル）ビシクロ［２．２．１］ヘプタ−５−エン−２−イル）メタノール；２−（４−（ｔｅｒｔ−ブチル）−２−メチルフェノキシ）アセトアルデヒド；（Ｅ）−４−（４−ヒドロキシ−３−メトキシフェニル）ブタ−３−エン−２−オン；（Ｅ）−４−（３−ヒドロキシプロパ−１−エン−１−イル）−２，６−ジメトキシフェノール；１４−メチルペンタデカン−１−オール；（Ｅ）−３−（４−ヒドロキシ−３，５−ジメトキシフェニル）アクリルアルデヒド；（３Ｅ，５Ｅ）−３，６，１０−トリメチルウンデカ−３，５，９−トリエン−２−オン；（Ｅ）−２，５，９−トリメチルデカ−４，９−ジエナール；（Ｅ）−４−（ベンゾ［ｄ］［１，３］ジオキソール−５−イル）ブタ−３−エン−２−オン；４−（６，６−ジメチルビシクロ［３．１．１］ヘプタ−２−エン−２−イル）ブタナール；２，８，８−トリメチルオクタヒドロ−２Ｈ−４ａ，２−（エポキシメタノ）ナフタレン−１０−オン；（Ｅ）−３，６，１０−トリメチルウンデカ−３，９−ジエン−２−オン；ヘプタデカン−１−オール；（Ｅ）−３−メチル−５−（２，２，３−トリメチルシクロペンタ−３−エン−１−イル）ペンタ−３−エン−２−オン；（Ｅ）−２−メチル−４−（２，６，６−トリメチルシクロヘキサ−２−エン−１−イル）ブタ−３−エナール；（Ｅ）−２，６，１０−トリメチルウンデカ−５，９−ジエン−１−オール；１−メチル−４−（４−メチルペンチル）シクロヘキサ−３−エン−１−カルバルデヒド；（Ｅ）−３−（ベンゾ［ｄ］［１，３］ジオキソール−５−イル）−２−メチルアクリルアルデヒド；（Ｒ，Ｅ）−１−（２，６，６−トリメチルシクロヘキサ−２−エン−１−イル）ペンタ−１−エン−３−オン；（Ｅ）−２，６，１０−トリメチルウンデカ−５，９−ジエナール；２，６−ジ−ｔｅｒｔ−ブチル−４−（ヒドロキシメチル）フェノール；（Ｚ）−２−ベンジリデンヘキサナール；（４Ｅ，６Ｅ）−７，１１−ジメチルドデカ−４，６，１０−トリエン−３−オン；２，５−ジ−ｔｅｒｔ−ブチルベンゼン−１，４−ジオール；２−メトキシ−４−（４−メチル−１，３−ジオキソラン−２−イル）フェノール；（Ｚ）−２−（フラン−２−イルメチレン）オクタナール；（Ｅ）−１−（４−メトキシフェニル）ペンタ−１−エン−３−オン；３−（４−イソプロピルフェニル）−２−メチルプロパン−１−オール；オクタデカン−１−オール；３−（４−ヒドロキシ−４−メチルペンチル）シクロヘキサ−３−エン−１−カルバルデヒド；（Ｅ）−１−（４−メトキシフェニル）−４−メチルペンタ−１−エン−３−オン；（２Ｒ，４ａＲ，８ａＳ）−１，１，５，５−テトラメチルヘキサヒドロ−２Ｈ−２，４ａ−メタノナフタレン−８（５Ｈ）−オン；（Ｅ）−２，３−ジメチル−４−（２，６，６−トリメチルシクロヘキサ−２−エン−１−イル）ブタ−３−エナール；（２Ｅ，６Ｅ）−３，７，１１−トリメチルドデカ−２，６，１０−トリエナール；（Ｚ）−オクタデカ−９−エン−１−オール；２−メチル−３−（（１，７，７−トリメチルビシクロ［２．２．１］ヘプタン−２−イル）オキシ）プロパン−１−オール；（Ｅ）−２−メチル−１−（２，６，６−トリメチルシクロヘキサ−２−エン−１−イル）ペンタ−１−エン−３−オン；３−（４−（ｔｅｒｔ−ブチル）フェニル）−２−メチルプロパン−１−オール；（Ｚ）−２−メチル−１−（２，２，６−トリメチルシクロヘキサ−３−エン−１−イル）ペンタ−１−エン−３−オン；３−（（２−イソプロピル−５−メチルシクロヘキシル）オキシ）プロパン−１，２−ジオール；（Ｚ）−２−ベンジリデンヘプタナール；（Ｅ）−２−（（１Ｓ，３ａＲ，４Ｓ，８ａＳ）−４，８，８−トリメチルデカヒドロ−１，４−メタノアズレン−９−イリデン）エタン−１−オール；６−イソプロピルオクタヒドロナフタレン−２（１Ｈ）−オン；２−エトキシ−４−（４−メチル−１，３−ジオキソラン−２−イル）フェノール；（（２Ｓ，４ａＲ）−１，１，５，５−テトラメチル−１，３，４，５，６，７−ヘキサヒドロ−２Ｈ−２，４ａ−メタノナフタレン−８−イル）メタノール；（オクタヒドロ−１Ｈ−４，７−メタノインデン−２，５−ジイル）ジメタノール；（Ｅ）−１−（３，５，６−トリメチルシクロヘキサ−３−エン−１−イル）ペンタ−１−エン−３−オン；（Ｅ）−１−（２，４，６−トリメチルシクロヘキサ−３−エン−１−イル）ペンタ−１−エン−３−オン；（２Ｅ，６Ｅ，９Ｅ）−２，６，１０−トリメチルドデカ−２，６，９，１１−テトラエナール；（Ｅ）−カルコン；（Ｅ）−５−メチル−１−（２，６，６−トリメチルシクロヘキサ−２−エン−１−イル）ヘキサ−１−エン−３−オン；５，５，７，８，８−ペンタメチル−５，６，７，８−テトラヒドロナフタレン−２−カルバルデヒド；（４Ｒ，４ａＳ，６Ｒ，８ａＳ）−４，４ａ−ジメチル−６−（プロパ−１−エン−２−イル）オクタヒドロナフタレン−２（１Ｈ）−オン；２−（１，１，２，３，３−ペンタメチル−２，３−ジヒドロ−１Ｈ−インデン−５−イル）プロパン−１−オール；４−（５，５，６−トリメチルビシクロ［２．２．１］ヘプタン−２−イル）シクロヘキサン−１−オール；３−（（２Ｒ）−５，５，６−トリメチルビシクロ［２．２．１］ヘプタン−２−イル）シクロヘキサン−１−オール；３−エチル−５，５，８，８−テトラメチル−５，６，７，８−テトラヒドロナフタレン−２−カルバルデヒド；３−（５，５−ジメチル−６−メチレンビシクロ［２．２．１］ヘプタン−２−イル）シクロヘキサン−１−オール；２−オクチルドデカン−１−オール；２−メトキシ−４−（１，７，７−トリメチルビシクロ［２．２．１］ヘプタン−２−イル）フェノール；（７Ｒ，１１Ｒ，Ｅ）−３，７，１１，１５−テトラメチルヘキサデカ−２−エン−１−オール；１−フェネトキシ−２−（ｐ−トリルオキシ）エタン−１−オール；（７−イソプロピル−１，４ａ−ジメチルテトラデカヒドロフェナントレン−１−イル）メタノール；（７−イソプロピル−１，４ａ−ジメチル−１，２，３，４，４ｂ，５，６，７，８，８ａ，９，１０−ドデカヒドロ−４ａｌ５−フェナントレン−１−イル）メタノール；（１Ｅ，６Ｅ）−１，７−ビス（４−ヒドロキシ−３−メトキシフェニル）ヘプタ−１，６−ジエン−３，５−ジオン；（２Ｅ，４Ｅ，６Ｅ，８Ｅ，１０Ｅ，１２Ｅ，１４Ｅ，１６Ｅ）−２，６，１１，１５−テトラメチル−１７−（２，６，６−トリメチルシクロヘキサ−１−エン−１−イル）ヘプタデカ−２，４，６，８，１０，１２，１４，１６−オクタエナール；及びこれらの混合物からなる群から選択される有益剤のフラグメントである、請求項１〜１０のいずれか一項に記載のシリコーン化合物。
【請求項１３】
消費者製品であって、
ａ．）０．００１％〜１０％の、請求項１〜１２のいずれか一項に記載のシリコーン化合物と、
ｂ．）消費者製品成分と、を含み、好ましくは前記消費者製品成分は、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素及び酵素安定剤、触媒材料、漂白剤、漂白活性剤、ポリマー分散剤、泥汚れ除去／再付着防止剤、光沢剤、抑泡剤、染料、紫外線吸収剤、香料、追加の香料送達系、構造弾性化剤、増粘剤／構造化剤、布地柔軟剤、キャリア、ヒドロトロープ、オリゴアミン、加工助剤、色調剤、顔料、並びにこれらの混合物からなる群から選択され、
好ましくは前記消費者製品組成物は、洗浄及び／若しくはトリートメント組成物、又は布地ケア組成物であり、
好ましくは前記消費者は、パッケージを含み、好ましくは前記シリコーン化合物が前記パッケージに取り付けられるか、又は付着されている、消費者製品。
【請求項１４】
部位をトリートメント及び／又は洗浄する方法であって、
ａ．）任意に前記部位を洗う及び／又はすすぐことと、
ｂ．）前記部位を請求項１〜１２のいずれか一項に記載のシリコーン化合物及び／又は請求項１３に記載の消費者製品と接触させることと、
ｃ．）任意に前記部位を洗う及び／又はすすぐことと、
を含む、方法。
【請求項１５】
請求項１〜１２のいずれか一項に記載のシリコーン化合物及び／又は請求項１３に記載の消費者製品で処理された部位。
【発明の詳細な説明】
【技術分野】
【０００１】
本出願は、シリコーン化合物、組成物、かかるシリコーン化合物を含むパッケージ化製品及びディスプレイ、並びに、かかる有益剤送達組成物及び、かかる有益剤送達組成物を含む組成物、パッケージ化製品及びディスプレイを製造及び使用する方法に関する。
【背景技術】
【０００２】
香料、光沢剤、防虫剤、シリコーン、ワックス、香味料、ビタミン、及び布地柔軟化剤、スキンケア剤のような有益剤は、高価であり、パーソナルケア組成物、洗浄組成物、及び布地ケア組成物において高濃度で使用される場合に効果が弱いことがある。結果として、かかる有益剤の効率を最大限にすることが望ましい。かかる目的を達成する１つの方法は、かかる有益剤の送達効率を改善することである。残念ながら、このような薬剤の物理的特性又は化学的特性が失われる恐れがあるか、このような薬剤が、他の組成成分又はトリートメントされる部位と不適合である恐れがあるか、又はこのような薬剤がすすぎ若しくは乾燥などの適用後のトリートメント中に失われる恐れがある場合、有益剤の送達効率を改善するのは難しい。有益剤の送達効率を改善するために、当業界は、香料アミン化合物及び香料チオール化合物を開発した。それらの化合物は、アルデヒド部分及び／又はケトン部分を含む香料と、一級アミン、二級アミン、及び／又はチオール部分からなる担体との反応の結果であった。残念ながら、それらの化合物は、該化合物がアルデヒド又はケトン部分を含む香料に限定されるため、限定された香りしか提供できない。加えて、それらの化合物は、該化合物が所望通りに効率よく部位に付着しなかったため、所望通りの有効性を有さなかった。
【０００３】
本出願人らは、それらの化合物の香料としての限界は、担体反応部位のタイプ及びレベルに起因する一方、付着の問題は化合物の担体の水溶性に起因するものと認識した。したがって、本出願人らは、多様な反応部位（cite）タイプ及び数に適合できる、より疎水性の担体を頼りとした。その結果として、本明細書に開示されるシリコーン化合物は、数々の香料タイプの使用を可能にし、衣服などの品目に高い効率で付着する。このようなシリコーン化合物は、悪臭マスキングに加えて、このような化合物が悪臭の感覚細胞へのアクセスを遮断し、更に、このようなセンサー細胞を他の分子、例えば芳香分子に対して開放したままにすることによって、悪臭低減の更なる問題を解決する。したがって、本明細書にて開示される悪臭制御技術は、悪臭制御技術でトリートメントされた芳香を放つ場所又は芳香を放たない場所の香りを過度に妨害しない。
【発明の概要】
【課題を解決するための手段】
【０００４】
シリコーン化合物、かかるシリコーン化合物を含む組成物、かかるシリコーン化合物を含むパッケージ化製品及びディスプレイ、並びに、かかるシリコーン化合物を製造及び使用する方法、並びに、かかるシリコーン化合物を含む組成物、パッケージ化製品及びディスプレイを開示する。
【発明を実施するための形態】
【０００５】
定義
本明細書で使用するとき、「消費者製品」は、販売される形態での使用又は消費を意図し、後続する商業的製造又は修正を意図しない、ベビーケア、ビューティケア、布地及びホームケア、ファミリーケア、フェミニンケア、ヘルスケア、スナック及び／若しくは飲料製品、又はデバイスを意味する。かかる製品としては、おむつ、胸当て、ワイプ；毛髪（ヒト、イヌ及び／若しくはネコ）をトリートメントするための製品、並びに／又はそのトリートメントに関連する方法のための製品（漂白、着色、染色、コンディショニング、シャンプー、スタイリングを含む）；脱臭剤及び制汗剤；パーソナルクレンジング；化粧品；消費者使用のためのクリーム、ローション及び局所的に適用される他の製品の用途を含むスキンケア；並びにシェービング製品、布地、硬質表面及び布地及びホームケア分野のその他の任意の表面のトリートメント用の製品及び／又はそれに関連する方法であって、空気のケア、カーケア、食器洗い、布地のコンディショニング（柔軟化を含む）、洗濯洗剤、洗濯及びすすぎ用補助剤及び／又はケア、硬質表面洗浄及び／又はトリートメント、並びに消費者又は事業者によるその他の洗浄用のものを含むもの；トイレットペーパ、ティッシュ、紙製ハンカチ及び／若しくはペーパタオルに関連する製品並びに／又は方法；タンポン、女性用ナプキン；口腔ケアに関連する製品及び／又は方法であって、練り歯磨き、歯磨きジェル、歯すすぎ剤、入れ歯粘着剤、歯ホワイトニング剤を含むもの；市販のヘルスケア剤であって、咳止め及び風邪薬、鎮痛剤、ＲＸ医薬、ペットの健康及び栄養剤、並びに浄水剤を含むものが挙げられるが、これらに限定されない。
【０００６】
本明細書において使用する場合、「洗浄及び／又はトリートメント組成物」という用語は、別途記載のない限り、顆粒若しくは粉末状の、汎用又は「ヘビーデューティ」洗浄剤、特に、洗浄用洗剤；液体、ゲル、又はペースト状の汎用洗浄剤、特に、いわゆる、ヘビーデューティ液体タイプのもの；きめの細かい布地用液体洗剤；食器手洗い用洗剤又は軽質食器用洗剤、特に高発泡タイプのもの；食器洗い機用洗剤であって、家庭用及び業務用の、様々なタブレット状、粒状、液体、及びすすぎ補助タイプを含む洗剤；液体洗浄剤及び殺菌剤（抗菌性手洗いタイプ、洗浄用バー、口腔洗液、義歯洗浄剤、口中洗浄薬、車又はカーペット用シャンプー、浴室用洗浄剤；毛髪用シャンプー及び毛髪用リンス剤；シャワー用ジェル、並びに浴室用及び金属用泡状洗浄剤；加えて、漂白添加剤及び「ステインスティック」又は前トリートメントタイプなどの洗浄補助剤、ドライヤ添加シート、乾燥及び湿潤ワイプ及びパッド、不織布基材、並びにスポンジなどの基材付き製品；単位用量製品であって、典型的には、このような単位用量製品は、洗浄剤として機能する１つ以上の材料を封入する水溶性フィルムを含むか、及び／又は布地などの表面をトリートメントするために使用することができ；並びにスプレー及びミストを含む。
【０００７】
本明細書で使用するとき、「布地ケア組成物」という用語は、別途記載のない限り、布地柔軟組成物、布地増強組成物、布地フレッシュニング組成物及びこれらの組み合わせを含む。このような組成物の形態として、液体、ゲル、ビーズ、粉末、フレーク及び顆粒が挙げられる。
【０００８】
本明細書において使用する場合、用語「アミン」は、別途記載のない限り、一級、二級、三級、及び四級アミンを含む。
【０００９】
本明細書において使用する場合、「ａ」及び「ａｎ」のような冠詞は、特許請求の範囲で使用されるときには、１以上の請求又は記載されるものを意味するものと理解される。
【００１０】
本明細書において使用する場合、「含む（include）」、「含む（includes）」、及び「含んでいる（including）」という用語は、「含むが、これらに限定されない」という句と同義であることを意味する。
【００１１】
本明細書において使用するとき、用語「固体」は、顆粒、粉末、バー及び錠剤の製品形態を含む。
【００１２】
本明細書において使用する場合、「部位」という用語は、紙製品、布地、衣類、硬質表面、毛髪及び皮膚を含む。
【００１３】
別途記載のない限り、成分又は組成物の濃度は全て、当該成分又は組成物の活性部分に関するものであり、かかる成分又は組成物の市販の供給源に存在し得る不純物、例えば、残留溶媒又は副生成物は除外される。
【００１４】
全ての百分率及び比率は、特に指示がない限り、重量基準で計算される。全ての百分率及び比率は、特に指示がない限り、全組成物に基づいて計算される。
【００１５】
本明細書の全体を通して記載される全ての最大数値限定は、それよりも小さい全ての数値限定を、かかるより小さい数値限定があたかも本明細書に明確に記載されているかのように含むものと理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００１６】
シリコーン化合物
Ａ．シリコーン部分及び有益剤部分を含む、シリコーン化合物を開示する。
【００１７】
Ｂ．式：
［Ｒ１Ｒ２Ｒ３ＳｉＯ１／２］（ｊ＋２ｌ＋２）［Ｒ４Ｒ５ＳｉＯ２／２］ｍ［Ｒ６ＳｉＯ３／２］ｊ［ＳｉＯ４／２］ｌ
を有する該シリコーン化合物である、段落Ａに記載のシリコーン化合物であって、式中、
ａ）ｊは、０〜１５０、好ましくは１〜１５０、より好ましくは０〜５０、最も好ましくは０〜２０の整数であり、
ｂ）ｍは、０〜１５００、好ましくは１〜１５００、より好ましくは２０〜１０００、最も好ましくは２０〜４００の整数であり、
ｃ）ｌは、０〜１５０、好ましくは１〜１５０、より好ましくは０〜５０、最も好ましくは０〜２０の整数であり、
但し、ｊ＋ｍ＋ｌは、１以上の整数に等しく、部分Ｒ１〜Ｒ６のうちの少なくとも１つが、Ｘ−Ｚであり、
ｄ）Ｒ１、Ｒ２、Ｒ３、Ｒ４、Ｒ５及びＲ６部分のそれぞれは、独立して、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリール、Ｃ１〜Ｃ３２アルコキシ及びＣ１〜Ｃ３２置換アルコキシ並びにＸ−Ｚからなる群から選択され、好ましくは各Ｒ１〜６は、独立して、ＯＨ、Ｃ１〜Ｃ２アルキル、Ｃ１〜Ｃ２置換アルキル、Ｃ１〜Ｃ２アルコキシ、Ｃ１〜Ｃ２置換アルコキシ及びＸ−Ｚからなる群から選択され、
（ｉ）各Ｘは、独立して、酸素、又は２個〜１２個の炭素原子を含む置換若しくは非置換の二価のアルキレンラジカルであり、好ましくは各Ｘは、独立して、酸素、又は２〜６個の炭素原子を含む置換若しくは非置換の二価のアルキレンラジカルであり、最も好ましくは各Ｘは、独立して、酸素、又は２個〜４個の炭素原子を含む置換若しくは非置換の二価のアルキレンラジカルであり、Ｘは、２個〜１２個の炭素原子を含む置換又は非置換の二価のアルキレンラジカルを含む場合、
各Ｚは、独立して、
【００１８】
【化１】
2020525602.tif 000002
からなる群から選択され、
各Ｒ７は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から選択され；
各Ｒ８は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から選択され；
各Ｒ９は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から選択され、好ましくはＲ９は、Ｘに共有結合した一級、二級又は三級炭素を含み、より好ましくはＲ９は、Ｘに共有結合した一級又は二級炭素を含み、最も好ましくはＲ９は、Ｘに共有結合した一級炭素を含み；
各Ｙは、独立して、２個〜１２個の炭素原子を含む置換又は非置換の二価のアルキレンラジカルであり、好ましくは各Ｙは、独立して、２個〜６個の炭素原子を含む置換又は非置換の二価のアルキレンラジカルであり、最も好ましくは各Ｙは、２個〜４個の炭素原子を含む置換又は非置換の二価のアルキレンラジカルであり、
但し、少なくとも１つのＺ部分は、Ｒ９、又はＲ８を含むＺ部分であり、Ｘ−Ｚ部分のそれぞれに関してＸが酸素の場合、該Ｘ−Ｚ部分のＺ部分は、Ｒ９であり、
好ましくは、各Ｚは、独立して、
【００１９】
【化２】
2020525602.tif 000003
からなる群から選択され、
最も好ましくは、各Ｚは、独立して、
【００２０】
【化３】
2020525602.tif 000004
からなる群から選択され、
好ましくは、少なくとも１つのＺは、
【００２１】
【化４】
2020525602.tif 000005
から選択され、
該少なくとも１つのＺのイミン部分に共有結合したＲ７部分はＨではなく、該少なくとも１つのＺ部分の、該少なくとも１つのＺのイミン部分に共有結合した該Ｒ７及びＲ８部分は、一級、二級又は三級炭素を介して該イミン部分に結合し、好ましくは、該少なくとも１つのＺのイミン部分に共有結合したＲ７又はＲ８の少なくとも１つは、一級炭素を介して該イミン部分に結合し、より好ましくは、該少なくとも１つのＺのイミン部分に共有結合したＲ７及びＲ８は、一級炭素を介して該イミン部分に結合し、
好ましくは、該少なくとも１つのＺのイミン部分に共有結合したＲ７部分はＨである場合、該少なくとも１つのＺのイミン部分に共有結合したＲ８部分は、炭素−炭素二重結合における炭素原子でもある炭素原子を介して該イミン部分に結合している。
【００２２】
好ましくは、各Ｚは、独立して、Ｒ９、
【００２３】
【化５】
2020525602.tif 000006
からなる群から選択され、
式中、
より好ましくは、各Ｚは、独立して、
【００２４】
【化６】
2020525602.tif 000007
からなる群から選択され、
より好ましくは、各Ｚは、独立して、
【００２５】
【化７】
2020525602.tif 000008
【００２６】
からなる群から選択される。
【００２７】
好ましくは、該シリコーン化合物に関して、各Ｘは、独立して、２個〜１２個の炭素原子を含む置換又は非置換の二価のアルキレンラジカルであり、好ましくは各Ｘは、独立して、２個〜６個の炭素原子を含む置換又は非置換の二価のアルキレンラジカルであり、最も好ましくは各Ｘは、２個〜４個の炭素原子を含む置換又は非置換の二価のアルキレンラジカルであり；各Ｚは、独立して、
【００２８】
【化８】
2020525602.tif 000009
から選択され、
好ましくは各Ｚは、独立して、
【００２９】
【化９】
2020525602.tif 000010
から選択され、
より好ましくは各Ｚは、独立して、
【００３０】
【化１０】
2020525602.tif 000011
から選択され、
ｊは、０〜１５０、好ましくは１〜１００、より好ましくは０〜４０の整数であり；
ｌは、０〜１５０、好ましくは０〜５０、より好ましくは０〜２０の整数であり；
ｍは、０〜１５００、好ましくは２０〜１０００、より好ましくは２０〜４００の整数である。
【００３１】
段落Ｂのシリコーンは、好ましいシリコーン入手性、合成の容易さ、及び配合性を有する。このようなシリコーンは、改善された付着、有益剤放出、共有結合の様式（官能基）を有する段落Ｂのシリコーン化合物を提供し、かつアルコール、アルデヒド、及びケトン官能基を含有する有益剤に合わせて調整される。
【００３２】
Ｃ．段落Ｂに記載のシリコーン化合物であって、シリコーン化合物のＸ部分のうちの少なくとも１つは、酸素、好ましくは次の該シリコーン化合物である：
ａ）ｊは、０〜１５０、好ましくは１〜１００、より好ましくは１〜４０の整数であり；
ｂ）ｌは、０〜１５０、好ましくは０〜５０、より好ましくは０〜２０の整数であり；
ｃ）ｍは、０〜１５００、好ましくは２０〜１０００、より好ましくは２０〜４００の整数であり、
より好ましくは、該少なくとも１つのＺ部分は、
【００３３】
【化１１】
2020525602.tif 000012
である。
【００３４】
段落Ｃのシリコーン化合物は、段落Ａ及びＢのシリコーン化合物の全ての利点を有し、かつ段落Ｃのシリコーン化合物のシリコーン部分はアルコール有益剤と共に使用するために調整されるので、アルコール有益剤を送達するためにもまた好ましい。
【００３５】
Ｄ．段落Ｂに記載のシリコーン化合物であって、
ａ）ｊは、０であり、
ｂ）ｍは、２５０〜７５０、好ましくは３２５〜６７５、より好ましくは４００〜６００の整数であり、
ｃ）ｌは、０であり、
但し、ｊ＋ｍ＋ｌは、１以上の整数に等しく、部分Ｒ１〜Ｒ６のうちの少なくとも１つが、Ｘ−Ｚであり、
ｄ）Ｒ１、Ｒ２、Ｒ３、Ｒ４のそれぞれは、Ｃ１アルキルであり、Ｒ５部分の９０．０％〜９９．９％、好ましくは９５．０％〜９９．５％、より好ましくは９６．５％〜９８．５％は、Ｃ１アルキル部分であり；残りのＲ５部分は、Ｘ−Ｚ部分であり、
（ｉ）各Ｘは、３個の炭素原子を含む非置換の二価のアルキレンラジカルであり；
（ｉｉ）各Ｚは、独立して、以下からなる群から選択される。
【００３６】
【化１２】
2020525602.tif 000013
【００３７】
段落Ｄのシリコーン化合物は、段落Ａ及びＢのシリコーン化合物の全利点を有し、かつ段落Ｄのシリコーン化合物のシリコーン部分はアルデヒド及びケトン有益剤と共に使用するために調整されるので、アルデヒド及びケトン有益剤を送達するためにもまた好ましい。
【００３８】
Ｅ．段落Ｂに記載のシリコーン化合物であって、
ａ）ｊは、０〜２０の整数であり、
ｂ）ｍは、２０〜４００の整数であり、
ｃ）ｌは、０〜２０の整数であり、
ｄ）Ｒ１〜Ｒ６のそれぞれは、独立して、ＯＨ、Ｃ１〜Ｃ２アルキル、及びＸ−Ｚからなる群から選択され、
（ｉ）各Ｘは、独立して、酸素、又は２個〜４個の炭素原子を含む置換若しくは非置換の二価のアルキレンラジカルであり、
（ｉｉ）各Ｚは、独立して、Ｒ９、
【００３９】
【化１３】
2020525602.tif 000014
からなる群から選択され、
各Ｒ７は、Ｈであり；
各Ｒ８は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から選択され；
各Ｒ９は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ５〜Ｃ３２置換アルキルアリールからなる群から選択され、Ｒ９が、Ｘと共有結合している一級炭素を含み；
各Ｙは、２個〜４個の炭素原子を含む置換又は非置換の二価のアルキレンラジカルであり；
好ましくは、各Ｚは、独立して、
【００４０】
【化１４】
2020525602.tif 000015
からなる群から選択される。
【００４１】
段落Ｅのシリコーン化合物は、段落Ａ及びＢのシリコーン化合物の全利点を有し、かつ段落Ｅのシリコーン化合物のシリコーン部分はアルデヒド、ケトン、及びアルコール有益剤と共に使用するために調整されるので、アルデヒド、ケトン、及びアルコール有益剤を送達するためにもまた好ましい。
【００４２】
Ｆ．段落Ａ〜Ｅに係るシリコーン化合物であって、有益剤部分は、約３０〜約５００Ｄａの分子量、及び／又は約−２．０〜約８．０のＣＬｏｇＰ；好ましくは、約−２．０〜約７．０のＣＬｏｇＰ；より好ましくは、約−２．０〜約５．０のＣＬｏｇＰを有する有益剤のフラグメントである。好ましくは、本明細書に開示したシリコーン化合物の有益剤部分は、ビニルエーテル、ケトン、ヒドロキシル、アルデヒド、チオール、カルボキシル、シラノール、アルコキシ、アセトキシ、及びこれらの混合物からなる群から選択される部分を含む有益剤のフラグメントであり、より好ましくは該有益剤部分は、ケトン、ヒドロキシル、アルデヒド、チオール、アルコキシ、及びこれらの混合物からなる群から選択される部分を含む有益剤のフラグメントであり、最も好ましくは該有益剤部分は、ケトン、ヒドロキシル、アルデヒド及びこれらの混合物からなる群から選択される部分を含む有益剤のフラグメントである。
【００４３】
Ｇ．段落Ａ〜Ｅに係るシリコーン化合物であって、シリコーン化合物の有益剤部分は、シリコーン、香料原料、防臭剤、臭気中和剤、悪臭、精油、エーテル、エステル、ケトン、アルコール、グリコール、シリコーン炭化水素、環状炭化水素、アルデヒド、テルピン、殺虫剤、防虫剤、農薬、抗菌剤、防カビ剤、除草剤、及びこれらの混合物からなる群から選択される有益剤のフラグメントである。
【００４４】
Ｈ．段落Ａ〜Ｅに係るシリコーン化合物であって、シリコーン化合物の有益剤部分は、２−（ｐ−トリル）プロパン−２−オール；（２−ヒドロキシ−４−メトキシフェニル）（フェニル）メタノン；４−メチル−１−オキサスピロ［５．５］ウンデカン−４−オール；７−メチル−２Ｈ−ベンゾ［ｂ］［１，４］ジオキセピン−３（４Ｈ）−オン；１，８−ジオキサシクロヘプタデカン−９−オン；４−（ｔｅｒｔ−ペンチル）シクロヘキサン−１−オン；３，７−ジメチルオクタナール；オクタナール；２−メチル−６−メチレンオクタ−７−エン−２−オール；テトラデカナール；２，２，６，８−テトラメチル−１，２，３，４，４ａ，５，８，８ａ−オクタヒドロナフタレン−１−オール；（Ｅ）−２，６−ジメチルオクタ−５，７−ジエン−２−オール；（Ｅ）−２，７−ジメチルオクタ−１，５，７−トリエン−３−オール；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；ノナナール；３，３−ジメチル−５（２，２，３−トリメチル−３−シクロペンテン−１−イル）−４−ペンテン−２−オール；１−（３−メチルベンゾフラン−２−イル）エタン−１−オン；（Ｅ）−３，７，１１−トリメチルドデカ−１，６，１０−トリエン−３−オール；（Ｚ）−３，７−ジメチルオクタ−２，６−ジエン−１−オール；２−（２−（４−メチルシクロヘキサ−３−エン−１−イル）プロピル）シクロペンタン−１−オン；６，６−ジメチルビシクロ［３．１．１］ヘプタ−２−エン−２−カルバルデヒド；（Ｅ）−４−（２，２，３，６−テトラメチルシクロヘキシル）ブタ−３−エン−２−オン；（Ｚ）−１−（２，６，６−トリメチルシクロヘキサ−１−エン−１−イル）ペンタ１−エン−３−オン；１，７−ジオキサシクロヘプタデカン−８−オン；１−（４−（ｔｅｒｔ−ブチル）−２，６−ジメチル−３，５−ジニトロフェニル）エタン−１−オン；３−メチルシクロペンタデカン−１−オン；（Ｅ）−３−メチルシクロペンタデカ−４−エン−１−オン；（Ｅ）−３，７−ジメチルオクタ−４，６−ジエン−３−オール；３−メチル−４−フェニルブタン−２−オール；１−（４−イソプロピルシクロヘキシル）エタン−１−オール；１−（４−イソプロピルシクロヘキシル）エタン−１−オール；２−メチルデカナール；４−フェニルブタン−２−オール；ウンデカン−２−オン；２−メチルウンデカナール；１−ヒドロキシデカン−３−オン；１−（ナフタレン−２−イル）エタン−１−オン；６−メトキシ−２，６−ジメチルヘプタナール；７−メトキシ−３，７−ジメチルオクタナール；７−イソプロピル−１０−メチル−１，５−ジオキサスピロ［５．５］ウンデカン−３−オール；オクタヒドロ−１Ｈ−４，７−メタノインデン−１−カルバルデヒド；（（１ｓ，４ｓ）−４−イソプロピルシクロヘキシル）メタノール；３−（３−（ｔｅｒｔ−ブチル）フェニル）−２−メチルプロパナール；２，２−ジメチル−３−（ｍ−トリル）プロパン−１−オール；８−イソプロピル−６−メチルビシクロ［２．２．２］オクタ−５−エン−２−カルバルデヒド；４−（４−ヒドロキシ−４−メチルペンチル）シクロヘキサ−３−エン−１−カルバルデヒド；（Ｚ）−３−ヘキセン−１−イル−２−シクロペンテン−１−オン；２−（５−メチル−５−ビニルテトラヒドロフラン−２−イル）プロパン−２−オール；６−メチル−２−（オキシラン−２−イル）ヘプタ−５−エン−２−オール；３，７−ジメチルオクタ−１，６−ジエン−３−オール；３−（４−メチルシクロヘキサ−３−エン−１−イル）ブタナール；（２，５−ジメチル−１，３−ジヒドロインデン−２−イル）メタノール；３−（４−（ｔｅｒｔ−ブチル）フェニル）−２−メチルプロパナール；２−メチル−５−（１−メチルエテニル）−２−シクロヘキセノン；（１Ｓ，５Ｒ）−２−メチル−５−（プロパ−１−エン−２−イル）シクロヘキサ−２−エン−１−オール；ドデカン−１−オール；５−ヘキシル−５−メチルジヒドロフラン−２（３Ｈ）−オン；ドデカナール；３，６−ジメチルヘキサヒドロベンゾフラン−２（３Ｈ）−オン；４−（１−エトキシビニル）−３，３，５，５−テトラメチルシクロヘキサン−１−オン；（（３Ｓ，３ａＲ，６Ｒ，８ａＳ）−７，７−ジメチル−８−メチレンオクタヒドロ−１Ｈ−３ａ，６−メタノアズレン−３−イル）メタノール；（１−メチル−２−（（１，２，２−トリメチルビシクロ［３．１．０］ヘキサン−３−イル）メチル）シクロプロピル）メタノール；（Ｅ）−６−（ペンタ−３−エン−１−イル）テトラヒドロ−２Ｈ−ピラン−２−オン；２−ヘキシルシクロペンタン−１−オン；（Ｚ）−４−（６，６−ジメチルシクロヘキサ−２−エン−１−イル）−３−メチルブタ−３−エン−２−オン；（１Ｒ，２Ｓ，５Ｒ）−５−メチル−２−（プロパ−１−エン−２−イル）シクロヘキサン−１−オール；４，９−ジメトキシ−７Ｈ−フロ［３，２−ｇ］クロメン−７−オン；（Ｅ）−シクロヘキサデカ−８−エン−１−オン；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；４−（４−メチルペンタ−３−エン−１−イル）シクロヘキサ−３−エン−１−カルバルデヒド；１−（（２Ｓ，３Ｓ）−２，３，８，８−テトラメチル−１，２，３，４，５，６，７，８−オクタヒドロナフタレン−２−イル）エタン−１−オン；２，５，６−トリメチルシクロヘキサ−３−エン−１−カルバルデヒド；４−（（２Ｒ）−１，７，７−トリメチルビシクロ［２．２．１］ヘプタン−２−イル）シクロヘキサン−１−オール；１，７，７−トリメチルビシクロ［２．２．１］ヘプタン−２−オール；（Ｅ）−オキサシクロヘプタデカ−１０−エン−２−オン；（Ｅ）−８−（１Ｈ−インドール−１−イル）−２，６−ジメチルオクタ−７−エン−２−オール；８，８−ジ（１Ｈ−インドール−１−イル）−２，６−ジメチルオクタン−２−オール；（７，７，８，８−テトラメチルオクタヒドロ−２，３ｂ−メタノシクロペンタ［１，３］シクロプロパ［１，２］ベンゼン−４−イル）メタノール；３，７−ジメチルオクタン−１，７−ジオール；２−シクロドデシルプロパン−１−オール；３−フェニルプロパン−１−オール；５−エチル−４−ヒドロキシ−２−メチルフラン−３（２Ｈ）−オン；２，３−ジヒドロ−３，３−ジメチル−１Ｈ−インデン−５−プロパナール；３−（３，３−ジメチル−２，３−ジヒドロ−１Ｈ−インデン−５−イル）プロパナール；（Ｚ）−２−ベンジリデンオクタナール；オキサシクロヘプタデカン−２−オン；３−（ベンゾ［ｄ］［１，３］ジオキソール−５−イル）−２−メチルプロパナール；（Ｅ）−オキサシクロヘキサデカ−１３−エン−２−オン；２−（（３Ｓ，５Ｒ，８Ｓ）−３，８−ジメチル−１，２，３，４，５，６，７，８−オクタヒドロアズレン−５−イル）プロパン−２−オール；１−（２，６，６−トリメチルシクロヘキサ−２−エン−１−イル）ペンタン−３−オン；（６Ｅ，１０Ｅ）−３，７，１１，１５−テトラメチルヘキサデカ−１，６，１０，１４−テトラエン−３−オール；（Ｅ）−２−（３，７−ジメチルオクタ−２，６−ジエン−１−イル）シクロペンタン−１−オン；５−ヘプチルジヒドロフラン−２（３Ｈ）−オン；１−メチル−４−（プロパン−２−イリデン）シクロヘキサン−１−オール；５−ペンチルジヒドロフラン−２（３Ｈ）−オン；５−［（Ｚ）−ヘキサ−３−エニル］オキソラン−２−オン；（Ｚ）−４−（２，２−ジメチル−６−メチレンシクロヘキシル）ブタ−３−エン−２−オン；２−（（２Ｒ，４ａＲ）−４ａ，８−ジメチル−１，２，３，４，４ａ，５，６，７−オクタヒドロナフタレン−２−イル）プロパン−２−オール；５−オクチルジヒドロフラン−２（３Ｈ）−オン；（Ｚ）−１−（２，２−ジメチル−６−メチレンシクロヘキシル）ブタ−２−エン−１−オン；５−ヘキシルジヒドロフラン−２（３Ｈ）−オン；１−（３，３−ジメチルシクロヘキシル）ペンタ−４−エン−１−オン；（６−イソプロピル−９−メチル−１，４−ジオキサスピロ［４．５］デカン−２−イル）メタノール；２−イソブチル−４−メチルテトラヒドロ−２Ｈ−ピラン−４−オール；（Ｚ）−６−エチリデンオクタヒドロ−２Ｈ−５，８−メタノクロメン−２−オン；３−（２−エチルフェニル）−２，２−ジメチルプロパナール；３−（２−エチルフェニル）−２，２−ジメチルプロパナール；（Ｅ）−４，８−ジメチルデカ−４，９−ジエナール；（Ｅ）−４−（（３ａＲ，４Ｒ，７Ｒ，７ａＲ）−１，３ａ，４，６，７，７ａ−ヘキサヒドロ−５Ｈ−４，７−メタノインデン−５−イリデン）−３−メチルブタン−２−オール；２−ヘプチルシクロペンタン−１−オン；１，３，３−トリメチルビシクロ［２．２．１］ヘプタン−２−オール；（２Ｅ，６Ｅ）−３，７，１１−トリメチルドデカ−２，６，１０−トリエン−１−オール；オキサシクロヘキサデカン−２−オン；（Ｅ）−シクロペンタデカ−４−エン−１−オン；１−シクロペンタデカ−４−エン−１−オン；２−メトキシ−４−（４−メチレンテトラヒドロ−２Ｈ−ピラン−２−イル）フェノール；４−アリル−２−メトキシフェノール；１，４−ジオキサシクロヘプタデカン−５，１７−ジオン；（Ｅ）−３，７−ジメチルノナ−１，６−ジエン−３−オール；ノナン−３−オン；２−（（１Ｒ，３Ｓ，４Ｓ）−４−メチル−３−（プロパ−１−エン−２−イル）−４−ビニルシクロヘキシル）プロパン−２−オール；（Ｅ）−３−メチル−５−（２，２，３−トリメチルシクロペンタ−３−エン−１−イル）ペンタ−４−エン−２−オール；（２Ｒ，３Ｓ，４Ｒ）−２，３，４，５−テトラヒドロキシペンタナール；（Ｅ）−４−（（３ａＳ，７ａＳ）−オクタヒドロ−５Ｈ−４，７−メタノインデン−５−イリデン）ブタナール；（２Ｒ，５Ｒ）−２−メチル−５−（プロパ−１−エン−２−イル）シクロヘキサン−１−オン；２−（２−ヒドロキシプロポキシ）プロパン−１−オール；７，９−ジメチルスピロ［５．５］ウンデカン−３−オン；２，６−ジメチルオクタ−７−エン−４−オン；２，６−ジメチルオクタ−７−エン−２−オール；３−メチル−２−ペンチルシクロペンタ−２−エン−１−オン；３，３，５−トリメチルシクロヘキサン−１−オン；２−メトキシ−４−プロピルフェノール；２−メチル−５−（プロパ−１−エン−２−イル）シクロヘキサン−１−オン；２−メチル−５−（プロパ−１−エン−２−イル）シクロヘキサン−１−オール；４−（２，６，６−トリメチルシクロヘキサ−２−エン−１−イル）ブタン−２−オン；３，７−ジメチルオクタ−６−エン−３−オール；６−ヘキシルテトラヒドロ−２Ｈ−ピラン−２−オン；６−ヘプチルテトラヒドロ−２Ｈ−ピラン−２−オン；６−ペンチルテトラヒドロ−２Ｈ−ピラン−２−オン；（Ｚ）−１−（（１Ｒ，２Ｓ）−２，６，６−トリメチルシクロヘキサ−３−エン−１−イル）ブタ−２−エン−１−オン；デカ−９−エン−１−オール；デカヒドロナフタレン−２−オール；３−（４−イソプロピルフェニル）−２−メチルプロパナール；シクロペンタデカノン；１，４−ジオキサシクロヘキサデカン−５，１６−ジオン；８，８−ジメチル−１，２，３，４，５，６，７，８−オクタヒドロナフタレン−２−カルバルデヒド；（４−イソプロピルフェニル）メタノール；１−（ベンゾフラン−２−イル）エタン−１−オン；４−シクロヘキシル−２−メチルブタン−２−オール；（Ｅ）−シクロヘプタデカ−９−エン−１−オン；３−（４−メチルシクロヘキサ−３−エン−１−イル）ブタン−１−オール；３，７−ジメチルオクタ−６−エン−１−オール；３，７−ジメチルオクタ−６−エナール；（Ｚ）−３−メチル−２−（ペンタ−２−エン−１−イル）シクロペンタ−２−エン−１−オン；（Ｅ）−オキサシクロヘプタデカ
−１１−エン−２−オン；（Ｚ）−ノナ−６−エン−１−オール；（１Ｒ，５Ｒ）−２−メチル−５−（プロパ−１−エン−２−イル）シクロヘキサ−２−エン−１−オール；（Ｚ）−デカ−４−エナール；（３Ｚ，６Ｚ）−ノナ−３，６−ジエン−１−オール；（Ｅ）−３−フェニルプロパ−２−エン−１−オール；４−クロロ−３，５−ジメチルフェノール；ヘキサデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；１，６−ジオキサシクロヘプタデカン−７−オン；１−（６−（ｔｅｒｔ−ブチル）−１，１−ジメチル−２，３−ジヒドロ−１Ｈ−インデン−４−イル）エタン−１−オン；（３Ｒ，３ａＳ，６Ｒ，７Ｒ，８ａＳ）−３，６，８，８−テトラメチルオクタヒドロ−１Ｈ−３ａ，７−メタノアズレン−６−オール；１，１，２，３，３−ペンタメチル−１，２，３，５，６，７−ヘキサヒドロ−４Ｈ−インデン−４−オン；（１Ｓ，２Ｓ，５Ｒ，８Ｓ）−４，４，８−トリメチルトリシクロ［６．３．１．０２，５］ドデカン−１−オール；５−イソプロピル−２−メチルフェノール；２−メチル−５−（プロパ−１−エン−２−イル）シクロヘキサ−２−エン−１−オン；オクタン−１−オール；デカナール；３−（４−メトキシフェニル）−２−メチルプロパナール；１，７，７−トリメチルビシクロ［２．２．１］ヘプタン−２−オン；２，６−ジ−ｔｅｒｔ−ブチル−４−メチルフェノール；２−メチル−４−（２，２，３−トリメチルシクロペンタ−３−エン−１−イル）ブタン−１−オール；３−（４−（ｔｅｒｔ−ブチル）フェニル）プロパナール；（Ｅ）−２−メチル−４−（２，６，６−トリメチルシクロヘキサ−１−エン−１−イル）ブタ−２−エナール；（１Ｓ，２Ｒ，４Ｓ）−１，７，７−トリメチルビシクロ［２．２．１］ヘプタン−２−オール；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキサン−１−オール；（２Ｚ，６Ｅ）−２，６−ジメチル−１０−メチレンドデカ−２，６，１１−トリエナール；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；（Ｓ）−４−メチル−１−（（Ｓ）−６−メチルヘプタ−５−エン−２−イル）シクロヘキサ−３−エン−１−オール；（Ｚ）−４−（２，２，６−トリメチル−７−オキサビシクロ［４．１．０］ヘプタン−１−イル）ブタ−３−エン−２−オン；４−メトキシ−７Ｈ−フロ［３，２−ｇ］クロメン−７−オン；２−メチル−４−フェニルブタン−２−オール；２−メチル−１−フェニルプロパン−２−オール；ベンゾフェノン；７−イソペンチル−２Ｈ−ベンゾ［ｂ］［１，４］ジオキセピン−３（４Ｈ）−オン；２，５，５−トリメチル−１，２，３，４，５，６，７，８−オクタヒドロナフタレン−２−オール；２，５，５−トリメチル−１，２，３，４，４ａ，５，６，７−オクタヒドロナフタレン−２−オール；１−（（２−（ｔｅｒｔ−ブチル）シクロヘキシル）オキシ）ブタン−２−オール；（１Ｓ，４Ｒ，５Ｒ）−１−イソプロピル−４−メチルビシクロ［３．１．０］ヘキサン−３−オン；（４Ｒ，４ａＳ）−４，４ａ−ジメチル−６−（プロパン−２−イリデン）−４，４ａ，５，６，７，８−ヘキサヒドロナフタレン−２（３Ｈ）−オン；（２Ｚ，６Ｅ，９Ｅ）−２，６，１０−トリメチルドデカ−２，６，９，１１−テトラエナール；（Ｅ）−５−（２，３−ジメチルトリシクロ［２．２．１．０２，６］ヘプタン−３−イル）−２−メチルペンタ−２−エン−１−オール；１−（５，５−ジメチルシクロヘキサ−１−エン−１−イル）ペンタ−４−エン−１−オン；（Ｒ，Ｚ）−１−（２，６，６−トリメチルシクロヘキサ−２−エン−１−イル）ペンタ−１−エン−３−オン；（Ｚ）−３−メチル−４−（２，６，６−トリメチルシクロヘキサ−２−エン−１−イル）ブタ−３−エン−２−オン；（Ｚ）−４−（２，５，６，６−テトラメチルシクロヘキサ−２−エン−１−イル）ブタ−３−エン−２−オン；２−（（２Ｒ，４ａＲ，８ａＲ）−４ａ，８−ジメチル−１，２，３，４，４ａ，５，６，８ａ−オクタヒドロナフタレン−２−イル）プロパン−２−オール；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；（Ｒ）−２−（（Ｒ）−４−メチルシクロヘキサ−３−エン−１−イル）ヘキサ−５−エン−２−オール；（Ｅ）−２−ベンジリデンヘプタン−１−オール；（Ｅ）−２−ベンジリデンヘプタナール；１−メチル−４−（４−メチルペンタ−３−エン−１−イル）シクロヘキサ−３−エン−１−カルバルデヒド；１−フェニルペンタン−２−オール；３−メチル−１−フェニルペンタン−３−オール；２，３，４−トリメトキシベンズアルデヒド；２，４，５−トリメトキシベンズアルデヒド；２，４，６−トリメトキシベンズアルデヒド；トランス，トランス−２，４−ノナジエナール；４−メトキシ−２，５−ジメチルフラン−３（２Ｈ）−オン；２，６，１０−トリメチルウンデカナール；α−４−ジメチルベンゼンプロパナール；（Ｅ）−ウンデカ−９−エナール；２，６，１０−トリメチルウンデカ−９−エナール；（Ｚ）−２−（４−メチルベンジリデン）ヘプタナール；デカ−９−エナール；（Ｚ）−オキサシクロヘプタデカ−８−エン−２−オン；７−メトキシ−２Ｈ−クロメン−２−オン；２−（（２Ｓ，４ａＲ，８ａＲ）−４ａ，８−ジメチル−１，２，３，４，４ａ，５，６，８ａ−オクタヒドロナフタレン−２−イル）プロパン−２−オール；１−（３，５，５，６，８，８−ヘキサメチル−５，６，７，８−テトラヒドロナフタレン−２−イル）エタン−１−オン；６，８−ジメチルノナン−２−オール；３−（６，６−ジメチルビシクロ［３．１．１］ヘプタ−２−エン−２−イル）プロパナール；６，１０，１４−トリメチルペンタデカン−２−オン；（Ｅ）−シクロヘキサデカ−５−エン−１−オン；１−イソプロピル−４−メチルシクロヘキサ−３−エン−１−オール；１−フェニルペンタ−４−エン−１−オン；５−メチル−５−フェ���ルヘキサン−３−オン；１−イソプロピル−４−メチルシクロヘキサ−３−エン−１−オール；４−（４−メトキシフェニル）ブタン−２−オン；（１ａＲ，２Ｓ，４ａＳ）−２，４ａ，８，８−テトラメチルオクタヒドロシクロプロパ［ｄ］ナフタレン−３（１Ｈ）−オン；（Ｅ）−３−プロピリデンイソベンゾフラン−１（３Ｈ）−オン；（Ｚ）−ドデカ−２−エナール；３−メチル−５−フェニルペンタナール；３，７−ジメチル−２−メチレンオクタ−６−エナール；３，７−ジメチルオクタン−１−オール；３，４，５−トリメトキシベンズアルデヒド；３−（４−イソプロピルフェニル）プロパナール；（Ｅ）−ウンデカ−２−エナール；（２Ｅ，６Ｅ）−ノナ−２，６−ジエナール；（Ｚ）−３−（フラン−２−イル）−２−フェニルアクリルアルデヒド；２−フェノキシエタン−１−オール；（Ｚ）−ノナ−２−エナール；ノナン−２−オール；ノナン−２−オン；（Ｅ）−２−イソプロピル−５−メチルヘキサ−２−エナール；（Ｅ）−２−ヘキシリデンシクロペンタン−１−オン；（Ｅ）−デカ−２−エナール；（２Ｅ，６Ｅ）−ノナ−２，６−ジエナール；（２Ｅ，６Ｅ）−ノナ−２，６−ジエン−１−オール；２，６−ジメチルオクタナール；デカン−１−オール；ウンデカ−１０−エン−１−オール；ウンデカ−１０−エナール；２−（（２Ｒ，４ａＳ）−４ａ，８−ジメチル−１，２，３，４，４ａ，５，６，７−オクタヒドロナフタレン−２−イル）プロパン−２−オール；３，７−ジメチルオクタ−６−エン−３−オール；（Ｚ）−１−（２，６，６−トリメチルシクロヘキサ−２−エン−１−イル）ブタ−２−エン−１−オン；（１Ｓ，５Ｓ）−４，６，６−トリメチルビシクロ［３．１．１］ヘプタ−３−エン−２−オン；（Ｚ）−ドデカ−３−エナール；（Ｓ）−５−ヘプチルジヒドロフラン−２（３Ｈ）−オン；（Ｒ）−５−ヘプチルジヒドロフラン−２（３Ｈ）−オン；（Ｒ）−３，７−ジメチルオクタ−１，６−ジエン−３−オール；３，７−ジメチルオクタ−６−エナール；（Ｒ）−３，７−ジメチルオクタ−６−エナール；（２Ｓ，５Ｓ，６Ｓ）−２，６，１０，１０−テトラメチル−１−オキサスピロ［４．５］デカン−６−オール；（１Ｓ，２Ｓ，５Ｓ）−２−メチル−５−（プロパ−１−エン−２−イル）シクロヘキサン−１−オール；３，７−ジメチルオクタ−６−エン−１−オール；３，７−ジメチルオクタ−６−エン−１−オール；（Ｓ）−２−メチル−５−（プロパ−１−エン−２−イル）シクロヘキサ−２−エン−１−オン；（２Ｓ，５Ｒ）−２−イソプロピル−５−メチルシクロヘキサン−１−オン；（Ｒ，Ｅ）−２−メチル−４−（２，２，３−トリメチルシクロペンタ−３−エン−１−イル）ブタ−２−エン−１−オール；（Ｅ）−４−（２，２−ジメチル−６−メチレンシクロヘキシル）−３−メチルブタ−３−エン−２−オン；３−（３−イソプロピルフェニル）ブタナール；２−（（３Ｓ，３ａＳ，５Ｒ）−３，８−ジメチル−１，２，３，３ａ，４，５，６，７−オクタヒドロアズレン−５−イル）プロパン−２−オール；２−ヒドロキシ−１，２−ジフェニルエタン−１−オン；３−（６，６−ジメチルビシクロ［３．１．１］ヘプタ−２−エ���−２−イル）−２，２−ジメチルプロパナール；１−（１，１，２，３，３，６−ヘキサメチル−２，３−ジヒドロ−１Ｈ−インデン−５−イル）エタン−１−オン；２−（ｍ−トリル）エタン−１−オール；（３Ｅ，６Ｅ）−ノナ−３，６−ジエン−１−オール；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；５−ヘキシル−４−メチルジヒドロフラン−２（３Ｈ）−オン；４−（プロパ−１−エン−２−イル）シクロヘキサ−１−エン−１−カルバルデヒド；（４−（プロパ−１−エン−２−イル）シクロヘキサ−１−エン−１−イル）メタノール；２−シクロヘキシルヘプタ−１，６−ジエン−３−オン；２−フェニルエタン−１−オール；３−メチル−５−フェニルペンタン−１−オール；２−（６，６−ジメチルビシクロ［３．１．１］ヘプタ−２−エン−２−イル）アセトアルデヒド；６，６−ジメチル−２−メチレンビシクロ［３．１．１］ヘプタン−３−オール；４−（ベンゾ［ｄ］［１，３］ジオキソール−５−イル）ブタン−２−オン；（４ａＲ，８ａＳ）−７−メチルオクタヒドロ−１，４−メタノナフタレン−６（２Ｈ）−オン；１，２−ジメチル−３−（プロパ−１−エン−２−イル）シクロペンタン−１−オール；４−イソプロピル−１−メチルシクロヘキサ−３−エン−１−オール；（Ｅ）−３，３−ジメチル−５−（２，２，３−トリメチルシクロペンタ−３−エン−１−イル）ペンタ−４−エン−２−オール；（２Ｚ，５Ｚ）−５，６，７−トリメチルオクタ−２，５−ジエン−４−オン；１−メチル−４−（４−メチルペンタ−３−エン−１−イル）シクロヘキサ−３−エン−１−カルバルデヒド；プロパン−１，２−ジオール；４−（ｔｅｒｔ−ペンチル）シクロヘキサン−１−オール；３，７−ジメチルオクタ−７−エン−１−オール；２−メチル−５−フェニルペンタン−１−オール；（Ｓ）−３，７−ジメチルオクタ−１，６−ジエン−３−オール；５−イソプロピル−２−メチルビシクロ［３．１．０］ヘキサン−２−オール；（１Ｓ，３Ｒ，５Ｓ）−１−イソプロピル−４−メチレンビシクロ［３．１．０］ヘキサン−３−オール；２，２，７，９−テトラメチルスピロ（５．５）ウンデカ−８−エン−１−オン；３−メチル−５−（２，２，３−トリメチルシクロペンタ−３−エン−１−イル
）ペンタン−２−オール；（Ｚ）−２−エチル−４−（２，２，３−トリメチルシクロペンタ−３−エン−１−イル）ブタ−２−エン−１−オール；（Ｅ）−２−メチル−４−（２，２，３−トリメチルシクロペンタ−３−エン−１−イル）ブタ−２−エン−１−オール；５−メトキシオクタヒドロ−１Ｈ−４，７−メタノインデン−２−カルバルデヒド；５−メトキシオクタヒドロ−１Ｈ−４，７−メタノインデン−２−カルバルデヒド；１−（３−ヒドロキシ−３−メチルペンタ−４−エン−１−イル）−２，５，５，８ａ−テトラメチルデカヒドロナフタレン−２−オール；３−（４−イソブチルフェニル）−２−メチルプロパナール；（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール；１−（スピロ［４．５］デカ−７−エン−７−イル）ペンタ−４−エン−１−オン；２−（４−メチルチアゾール−５−イル）エタン−１−オール；（Ｚ）−ドデカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３，７−ジメチルオクタナール；４−（２，２，６−トリメチルシクロヘキシル）ブタン−２−オール；３−メチル−２−ペンチルシクロペンタン−１−オン；３，７−ジメチルオクタン−３−オール；２−（２−メルカプトプロパン−２−イル）−５−メチルシクロヘキサン−１−オン；２−イソプロピル−５−メチルフェノール；１−（２，２，６−トリメチルシクロヘキシル）ヘキサン−３−オール；（２Ｚ，４Ｅ）−ノナ−２，４−ジエナール；（２Ｅ，６Ｅ）−３，７，１１−トリメチルドデカ−２，６，１０−トリエン−１−オール；（２Ｅ，６Ｚ）−ノナ−２，６−ジエナール；（Ｚ）−デカ−２−エナール；（Ｅ）−ノナ−２−エナール；（１Ｒ，２Ｓ）−２−（ｔｅｒｔ−ブチル）シクロヘキサン−１−オール；（３Ｅ，６Ｚ）−ノナ−３，６−ジエン−１−オール；（Ｅ）−デカ−４−エナール；（Ｚ）−１−（２，６，６−トリメチルシクロヘキサ−２−エン−１−イル）ブタ−２−エン−１−オン；（Ｚ）−オキサシクロヘプタデカ−８−エン−２−オン；（２Ｒ，５Ｒ）−２−メチル−５−（プロパ−１−エン−２−イル）シクロヘキサン−１−オン；（Ｅ）−３，７−ジメチルオクタ−２，６−ジエン−１−オール；７−（１，１−ジメチルエチル）−２Ｈ−１，５−ベンゾジオキセピン−３（４Ｈ）−オン；（１Ｒ−（１α，３α，４ａα））−２，３，４，４ａ，５，６−ヘキサヒドロ−２，２−ジメチル−１，３−メタノナフタレン−７（１Ｈ）−オン；トリデカン−１−オール；１−（（２Ｅ，５Ｚ，９Ｚ）−２，６，１０−トリメチルシクロドデカ−２，５，９−トリエン−１−イル）エタン−１−オン；２−メルカプト−２−メチルペンタン−１−オール；１３−メチルオキサシクロペンタデカ−１０−エン−２−オン；ウンデカナール；（Ｅ）−４−メチルデカ−３−エン−５−オール；２−（（２Ｒ，８Ｒ，８ａＳ）−８，８ａ−ジメチル−１，２，３，４，６，７，８，８ａ−オクタヒドロナフタレン−２−イル）プロパン−２−オール；２，２，５−トリメチル−５−ペンチルシクロペンタン−１−オン；（Ｚ）−２−メチル−４−（２，６，６−トリメチルシクロヘキサ−２−エン−１−イル）ブタ−２−エナール；（１Ｒ，５Ｒ）−４，６，６−トリメチルビシクロ［３．１．１］ヘプタ−３−エン−２−オン；２−（ｔｅｒｔ−ブチル）シクロヘキサン−１−オール；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；４，８−ジメチル−２−（プロパン−２−イリデン）−１，２，３，３ａ，４，５，６，８ａ−オクタヒドロアズレン−６−オール；（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール；（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン；４−（４−ヒドロキシ−３−メトキシフェニル）ブタン−２−オン；１，３，４，６，７，８α−ヘキサヒドロ−１，１，５，５−テトラメチル−２Ｈ−２，４α−メタノフタレン−８（５Ｈ）−オン；２，２’−オキシビス（エタン−１−オール）；ブタン−１，３−ジオール；ヘキサン−１，６−ジオール；２，２’−（エタン−１，２−ジイルビス（オキシ））ビス（エタン−１−オール）；２−メチルペンタン−２，４−ジオール；（２Ｅ，４Ｅ）−ヘプタ−２，４−ジエン−１−オール；ヘキサン−１，２，６−トリオール；（Ｚ）−オクタ−５−エン−１−オール；（Ｅ）−オクタ−３−エン−１−オール；（Ｚ）−オクタ−５−エナール；２，５−ジメチル−１，４−ジチアン−２，５−ジオール；２−メチルオクタン−２−オール；（Ｅ）−ノナ−２−エン−１−オール；（Ｅ）−ノナ−６−エン−１−オール；（Ｅ）−ノナ−３−エン−１−オール；（Ｚ）−ノナ−３−エン−１−オール；（２Ｅ，６Ｚ）−ノナ−２，６−ジエン−１−オール；マンニトール；３，５−ジメチルシクロペンタン−１，２−ジオン；２，２’，２’’−ニトリロトリス（エタン−１−オール）；３，４，４−トリメチルシクロペンタン−１，２−ジオン；３−ノネン−２−オン；（Ｅ）−ノナ−５−エン−２−オン；２−（シクロヘキシルオキシ）エタン−１−オール；オクタン−１，８−ジチオール；（Ｅ）−デカ−２−エン−１−オール；ａ−Ｄ−グルコピラノース；（Ｅ）−デカ−５−エン−１−オール；２，３，６−トリメチルフェノール；（２Ｅ，４Ｅ）−デカ−２，４−ジエナール；（２Ｅ，４Ｚ）−デカ−２，４−ジエナール；デカン−１，１０−ジオール；２−フェニルプロパン−２−オール；５−ヒドロキシオクタン−４−オン；ノナン−３−オール；（Ｚ）−デカ−７−エナール；（Ｅ）−２−メチルオクタ−２−エナール；デカン−２−オール；３−（ヒドロキシメチル）フェノール；ノナ−１−エン−３−オール；（２−メトキシフェニル）メタノール；デカン−２−オン；２−（ｏ−トリル）エタン��１−オール；ウンデカン−１−オール；（Ｅ）−デカ−３−エン−２−オン；３−エチル−２−ヒドロキシ−４−メチルシクロペンタ−２−エン−１−オン；３−フェニルプロパン−１−オール；３，５−オクタジエン−２−オール、２，６−ジメチル−，（？，Ｚ）−；３，５−オクタジエン−２−オール，２，６−ジメチル−，（？，Ｅ）−；ベンゼンメタノール、４−メチル−；２−（ベンジルオキシ）エタン−１−オール；４，４’−チオビス（ブタン−２−オン）；（Ｅ）−ウンデカ−２−エン−１−オール；（２Ｚ，４Ｅ）−ウンデカ−２，４−ジエン−１−オール；（Ｅ）−７−メチル−３−メチレンオクタ−４，６−ジエン−２−オール；（Ｚ）−ウンデカ−２−エナール；（Ｅ）−ウンデカ−２−エナール；（２Ｚ，４Ｚ）−ウンデカ−２，４−ジエナール；（２Ｅ，４Ｅ）−ウンデカ−２，４−ジエナール；３−シクロヘキセン−１−プロパナール；デカン−３−オール；（Ｅ）−ウンデカ−８−エナール；シクロデカノール；デカン−５−オール；１−ベンジル−２−メチルジスルファン；（１Ｓ，３Ｓ，４Ｒ，５Ｒ）−１−イソプロピル−４−メチルビシクロ［３．１．０］ヘキサン−３−オール；ビシクロ［３．２．１］オクタン−８−オール、１，５，８−トリメチル−；１−（ｐ−トリル）エタン−１−オール；ウンデカン−２−オール；７−メトキシ−３，７−ジメチルオクタン−２−オール；（Ｅ）−３，７−ジメチルオクタ−２，６−ジエン−１−オール；４−（２−ヒドロキシエチル）フェノール；２−（ｔｅｒｔ−ブチル）シクロヘキサン−１−オン；２，６−ジメチルヘプタン−４−オン；２−（フラン−２−イル）−４−メチル−１，３−ジオキソラン；デカン−４−オン；（４−メトキシフェニル）メタノール；２−メトキシ−２−フェニルエタン−１−オール；（Ｅ）−２−イソプロピル−５−メチルヘキサ−２−エン−１−オール；ｒｅｌ−２−（（２Ｒ，５Ｓ）−５−メチル−５−ビニルテトラヒドロフラン−２−イル）プロパン−２−オール；４−フェニルブタン−１−オール；２−（ｐ−トリル）エタン−１−オール；６−メチル−３−（プロパン−２−イリデン）−７−オキサビシクロ［４．１．０］ヘプタン−２−オン；（Ｅ）−ドデカ−２−エン−１−オール；（２Ｅ，６Ｚ）−ノナ−２，６−ジエン−１−イルアセテート；２−（ｐ−トリルオキシ）エタン−１−オール；７−メチル−３−メチレンオクタ−６−エナール；（２Ｅ，４Ｅ）−ドデカ−２，４−ジエン−１−オール；３−（ヒドロキシメチル）ノナン−２−オン；（Ｅ）−ドデカ−２−エナール；（２Ｅ，４Ｅ）−ドデカ−２，４−ジエナール；（Ｅ）−２，６−ジメチルオクタ−１，５，７−トリエン−３−オール；（Ｅ）−５−（メチルチオ）−２−（（メチルチオ）メチル）ペンタ−２−エナール；（Ｅ）−３−メチルノナ−３−エン酸；１−メチル−４−（プロパ−１−エン−２−イル）−７−オキサビシクロ［４．１．０］ヘプタン；（Ｅ）−ドデカ−３−エナール；４−（ヒドロキシメチル）−２−メトキシフェノール；３，７−ジメチルオクタン−１，６−ジオール；ウンデカン−１−オール；（Ｅ）−ドデカ−４−エナール；４−アリルフェノール；（２Ｅ，６Ｚ）−ドデカ−２��６−ジエナール；３−（５−メチルフラン−２−イル）ブタナール；（Ｅ）−４−フェニルブタ−３−エン−２−オール；２−ペンチルシクロペンタ−２−エン−１−オン；２−イソプロピル−４−メチルフェノール；ドデカン−２−オール；３，７−ジメチルオクタ−７−エン−１，６−ジオール；（Ｅ）−２−（ペンタ−２−エン−１−イル）シクロペンタン−１−オン；（１Ｒ，２Ｓ，３Ｒ，５Ｓ）−２，６，６−トリメチルビシクロ［３．１．１］ヘプタン−３−オール；１−（フラン−２−イル）ヘキサン−１−オン；ベンゾ［ｄ］［１，３］ジオキソール−５−イルメタノール；ウンデカン−２，３−ジオン；ウンデカン−４−オン；（Ｚ）−２，７−ジメチルオクタ−５−エン−４−オン；（Ｅ）−３−メチルノナ−２−エンニトリル；８−エチル−１，５−ジメチルビシクロ［３．２．１］オクタン−８−オール；ドデカン−２−オン；ウンデカ−１−エン−３−オン；２，６−ジメトキシ−４−メチルフェノール；（１Ｓ，２Ｓ，５Ｓ）−２−メチル−５−（プロパ−１−エン−２−イル）シクロヘキサン−１−オール；５−フェニルペンタン−１−オール；ｒｅｌ−（１Ｒ，２Ｓ，５Ｒ）−５−メチル−２−（プロパ−１−エン−２−イル）シクロヘキサン−１−オール；（１Ｓ，２Ｒ，５Ｒ）−２，６，６−トリメチルビシクロ［３．１．１］ヘプタン−３−オン；（２Ｒ，５Ｒ）−５−イソプロピル−２−メチルシクロヘキサン−１−オン；アリルオクタノエート；（Ｅ）−２−メチル−３−フェニルプロパ−２−エン−１−オール；（２Ｓ，５Ｒ）−２−イソプロピル−５−メチルシクロヘキサン−１−オン；（Ｅ）−２−（３−メチルブタ−１−エン−１−イル）シクロペンタン−１−オン；（Ｅ）−トリデカ−２−エン−１−オール；（（１Ｓ，２Ｓ，５Ｓ）−６，６−ジメチルビシクロ［３．１．１］ヘプタン−２−イル）メタノール；トリデカナール；２−メチルウンデカン−１−オール；２−（３，４−ジメチルフェニル）アセトアルデヒド；２−（２，４−ジメチルフェニル）アセトアルデヒド；６，６−ジメチル−２−メチレンビシクロ［３．１．１］ヘプタン−３−オン；１，３−ジヒドロ−２Ｈ−インデン−２−オン；（２Ｅ，４Ｅ）−トリデカ−２，４−ジエナール；（６，６−ジメチルビシクロ［３．１．１］ヘプタ−２−エン−２−イル）メタノール；３−（ｐ−トリル）プロパナール；（４Ｓ，４ａＳ，８ａＲ）−４，
８ａ−ジメチルオクタヒドロナフタレン−４ａ（２Ｈ）−オール；（Ｅ）−２−（ヘキサ−２−エン−１−イル）シクロペンタン−１−オール；２−（２−ヒドロキシプロパン−２−イル）−５−メチルシクロヘキサン−１−オール；１１−メチルドデカン−１−オール；（２Ｅ，４Ｚ，７Ｚ）−トリデカ−２，４，７−トリエナール；シクロドデカノール；２−（４−メチルシクロヘキサ−３−エン−１−イル）プロパ−２−エン−１−オール；（Ｒ）−２−（４−メチルシクロヘキサ−３−エン−１−イル）プロパ−２−エン−１−オール；（Ｅ）−２−メチル−３−（ペンタ−２−エン−１−イル）シクロペンタ−２−エン−１−オン；（Ｚ）−２−ヘキシリデンシクロペンタン−１−オン；（Ｅ）−３−メチル−２−（ペンタ−２−エン−１−イル）シクロペンタ−２−エン−１−オン；（２Ｅ，６Ｅ）−３，７−ジメチルノナ−２，６−ジエナール；ドデカン−３−オン；１−フェニルペンタン−１−オン；２，６−ジイソプロピルフェノール；（Ｅ）−２−（ヘキサ−２−エン−１−イル）シクロペンタン−１−オン；１−（３，３−ジメチルビシクロ［２．２．１］ヘプタン−２−イル）エタン−１−オール；２−（４−メチレンシクロヘキシル）プロパナール；６−ペンチル−２Ｈ−ピラン−２−オン；（Ｓ）−４−（プロパ−１−エン−２−イル）シクロヘキサ−１−エン−１−カルバルデヒド；４−メチル−５−ペンチルジヒドロフラン−２（３Ｈ）−オン；（４ａＳ，８ａＳ）−４，４，８ａ−トリメチルオクタヒドロナフタレン−４ａ（２Ｈ）−オール；トリデカン−２−オン；３−メチル−１−フェニルブタン−２−オール；１−（４−イソプロピルフェニル）エタン−１−オン；（Ｅ）−３−（４−メトキシフェニル）アクリルアルデヒド；（Ｒ）−６−ペンチル−５，６−ジヒドロ−２Ｈ−ピラン−２−オン；テトラデカン−１−オール；（Ｅ）−６−（ペンタ−２−エン−１−イル）テトラヒドロ−２Ｈ−ピラン−２−オン；６−フェニルヘキサン−１−オール；２−（４−イソプロピルシクロヘキシル）エタン−１−オール；２−メチル−１−（ｐ−トリル）プロパン−２−オール；１−（３，３−ジメチルビシクロ［２．２．１］ヘプタン−２−イル）エタン−１−オン；（Ｅ）−２−エチル−２−（３−メチルブタ−２−エン−１−イル）ヘキサ−３−エン−１−オール；２−（４−エチルフェニル）アセトアルデヒド；３−エチルヘキサヒドロベンゾフラン−２（３Ｈ）−オン；（Ｅ）−３−メチル−１−フェニルペンタ−１−エン−３−オール；（２−ヘキシル−１，３−ジオキソラン−４−イル）メタノール；６−エチル−３−メチルオクタ−５−エン−１−オール；１−（３，４−ジメトキシフェニル）エタン−１−オン；オクタヒドロナフタレン−２（１Ｈ）−オン；２−（４−イソプロピルフェニル）エタン−１−オール；１−メチル−４−（プロパ−１−エン−２−イル）−７−オキサビシクロ［４．１．０］ヘプタン−２−オン；（Ｅ）−５，９−ジメチルデカ−４，９−ジエナール；５−メチル−３，４−ジヒドロナフタレン−１（２Ｈ）−オン；８−メチル−３，４−ジヒドロナフタレン−１（２Ｈ）−オン；（Ｅ）−テトラデカ−２−エナール；４−（ｔｅｒｔ−ブチル）シクロヘキサン−１−カルバルデヒド；２−（６，６−ジメチルビシクロ［３．１．１］ヘプタ−２−エン−２−イル）エタン−１−オール；（４，７，７−トリメチルビシクロ［４．１．０］ヘプタ−４−エン−３−イル）メタノール；（Ｚ）−２−（３，３−ジメチルビシクロ［２．２．１］ヘプタン−２−イリデン）エタン−１−オール；（３ａＲ，７ａＲ）−オクタヒドロ−５Ｈ−４，７−メタノインデン−５−オン；４−（３−ヒドロキシブチル）フェノール；２，５，７，７−テトラメチルオクタナール；７−イソプロピル−４−メチルオキセパン−２−オン；２−フェニルペンタ−４−エナール；４−ヒドロキシ−３，５−ジメトキシベンズアルデヒド；（Ｅ）−４−（３−ヒドロキシプロパ−１−エン−１−イル）−２−メトキシフェノール；３，６−ジメチル−５，６，７，７ａ−テトラヒドロベンゾフラン−２（４Ｈ）−オン；（６Ｒ，７ａＲ）−３，６−ジメチル−５，６，７，７ａ−テトラヒドロベンゾフラン−２（４Ｈ）−オン；２−メチル−４−フェニルブタナール；（Ｚ）−２−ヘプチリデンシクロペンタン−１−オン；３−（４−メトキシフェニル）ブタン−２−オン；２−エチル−５−メトキシビシクロ［２．２．１］ヘプタン；トリデカン−３−オン；（Ｚ）−２−ヘキシリデンシクロヘキサン−１−オン；２−ペンチルシクロヘキサ−２−エン−１−オン；４−エチル−２，６−ジメトキシフェノール；２−（（１，７，７−トリメチルビシクロ［２．２．１］ヘプタン−２−イル）オキシ）エタン−１−オール；４−（２，６，６−トリメチルシクロヘキサ−１−エン−１−イル）ブタン−２−オール；１−（５−イソプロピル−２−メチルフェニル）エタン−１−オン；ペンタデカン−１−オール；（Ｅ）−４−（２，６，６−トリメチルシクロヘキサ−１−エン−１−イル）ブタ−３−エン−２−オール；１−（４−ヒドロキシ−３，５−ジメトキシフェニル）ブタン−１−オン；（２−フェニル−１，３−ジオキソラン−４−イル）メタノール；１−（４，７，７−トリメチルビシクロ［４．１．０］ヘプタ−４−エン−３−イル）エタン−１−オン；オクチル２−メチルブタノエート；（Ｅ）−４−（２，６，６−トリメチルシクロヘキサ−２−エン−１−イル）ブタ−３−エン−２−オール；１−アリル−２，２，７，７−テトラメチルシクロヘプタン−１−オール；（Ｓ）−２，５，５−トリメチル−１，２，３，４，５，６，７，８−オクタヒドロナフタレン−２−オール；１−（ナフタレン−１−イル）エタン−１−オン；５−エチル−２−メチルノナン−１−オール；８，８−ジメトキシ−２，６−ジメチルオクタン−２−オール；３−（ブタ−３−エン−１−イル）−２，４，４−トリメチルシクロヘキサ−２−エン−１−オン；２−（４−イソプロピルシクロヘキシル）プロパン−１−オール；ペンタデカナール；（Ｅ）−３，７，９−トリメチルデカ−１，６−ジエン−３−オール；（Ｚ）−２−エチリデンウンデカナール；（Ｅ）−１−（２，６，６−トリメチルシクロヘキサ−３−エン−１−イル）ブタ−２−エン−１−オン；４−（２，２−ジメチル−６−メチレンシクロヘキシル）ブタン−２−オール；（５ｓ，８ｓ）−８−イソプロピル−１−オキサスピロ［４．５］デカン−２−オン；（５ｒ，８ｒ）−８−イソプロピル−１−オキサスピロ［４．５］デカン−２−オン；２，５，５−トリメチル−２，３，４，４ａ，５，６，７，８−オクタヒドロナフタレン−２−オール；３，５−ジエチル−２，６−ジメチルシクロヘキサ−２−エン−１−オン；（Ｚ）−４−（４−メチルシクロヘキサ−３−エン−１−イリデン）ペンタナール；（２Ｒ，５Ｓ，６Ｓ）−２，６，１０，１０−テトラメチル−１−オキサスピロ［４．５］デカン−６−オール；６−メチル−３，４−ジヒドロナフタレン−１（２Ｈ）−オン；エチルベンゾ［ｄ］［１，３］ジオキソール−５−カルボキシレート；７−メチル−３，４−ジヒドロナフタレン−１（２Ｈ）−オン；５−エチル−２−メチルノナナール；（３Ｅ，５Ｅ）−６，１０−ジメチルウンデカ−３，５，９−トリエン−２−オン；［１，１’−ビ（シクロヘキサン）］−１’−エン−２−オン；４−（２，２−ジメチル−６−メチレンシクロヘキシル）ブタン−２−オン；２−イソプロピル−２，３−ジヒドロ−１Ｈ−インデン−１−オン；（Ｅ）−４−（２，３，６−トリメチルフェニル）ブタ−３−エン−２−オン；２−（４−イソプロピルフェニル）プロパナール；６，１０−ジメチルウンデカ−９−エン−２−オン；（Ｅ）−６，１０−ジメチルウンデカ−５，９−ジエン−２−オン；１−（４−メトキシ−２，２，６，６−テトラメチルシクロヘキサ−３−エン−１−イル）エタン−１−オン；（Ｅ）−６，１０−ジメチルウンデカ−３，９−ジエン−２−オン；１−（４−ブチルフェニル）エタン−１−オン；テトラデカン−３−オン；３−プロピルビシクロ［２．２．１］ヘプタ−５−エン−２−カルバルデヒド；（Ｅ）−２，６−ジメトキシ−４−（プロパ−１−エン−１−イル）フェノール；（Ｅ）−２−（オクタ−２−エン−１−イル）シクロペンタン−１−オン；ペンタデカン−２−オン；（Ｅ）−６，１０−ジメチルウンデカ−５，１０−ジエン−２−オン；４，４ａ，６，７，８，８ａ−ヘキサヒドロ−１，４−メタノナフタレン−５（１Ｈ）−オン；３−ヘプチル−５−メチルジヒドロフラン−２（３Ｈ）−オン；（Ｚ）−５−（オクタ−２−エン−１−イル）ジヒドロフラン−２（３Ｈ）−オン；４，７，７−トリメチルスピロ［ビシクロ［２．２．１］ヘプタン−２，１’−シクロペンタン］−３−オン；（Ｅ）−１−（２，６，６−トリメチルシクロヘキサ−１−エン−１−イル）ペンタ−１−エン−３−オール；４−アリル−２，６−ジメトキシフェノール、２，６，８−トリメチルノナン−４−オン；（２，８，８−トリメチル−１，２，３，４，５，６，７，８−オクタヒドロナフタレン−２−イル）メタノール；（Ｅ）−３−（４−メトキシフェニル）−２−メチルアクリルアルデヒド；（２Ｅ，６Ｅ）−３，７，９−トリメチルデカ−２，６−ジエナール；（５，６−ジメチル−１−（プロパ−１−エン−２−イル）ビシクロ［２．２．１］ヘプタ−５−エン−２−イル）メタノール；１−（２，４−ジメチルシクロヘキサ−３−エン−１−イル）−２，２−ジメチルプロパン−１−オン；（Ｅ）−３−ブチリデンイソベンゾフラン−１（３Ｈ）−オン；５−（６−メチルヘプタ−５−エン−２−イル）ジヒドロフラン−２（３Ｈ）−オン；２−（４−（ｔｅｒｔ−ブチル）−２−メチルフェノキシ）アセトアルデヒド；（Ｅ）−４−（４−ヒドロキシ−３−メトキシフェニル）ブタ−３−エン−２−オン；１−（２，４−ジエチルフェニル）エタン−１−オン；（Ｅ）−４−（３−ヒドロキシプロパ−１−エン−１−イル）−２，６−ジメトキシフェノール；３−ブチルイソベンゾフラン−１（３Ｈ）−オン；２，４，５−トリメチル−４−フェニル−１，３−ジオキサン；４−メチル−１−フェニルペンタン−２−オン；１４−メチルペンタデカン−１−オール；アダマンタン−２−オール；（３ａＳ，４Ｓ，８Ｓ，８ａＲ）−２，２，４−トリメチルデカヒドロ−４，８−メタノアズレン−９−オール；（Ｅ）−３−（４−ヒドロキシ−３，５−ジメトキシフェニル）アクリルアルデヒド；（３Ｅ，５Ｅ）−３，６，１０−トリメチルウンデカ−３，５，９−トリエン−２−オン；（Ｅ）−２，５，９−トリメチルデカ−４，９−ジエナール；（Ｅ）−４−（ベンゾ［ｄ］［１，３］ジオキソール−５−イル）ブタ−３−エン−２−オン；４−（６，６−ジメチルビシクロ［３．１．１］ヘプタ−２−エン−２−イル）ブタナール；２，８，８−トリメチルオクタヒドロ−２Ｈ−４ａ，２−（エポキシメタノ）ナフタレン−１０−オン；（Ｅ）−３，６，１０−トリメチルウンデカ−３，９−ジエン−２−オン；４−メチル−８−メチレンアダマンタン−２−オール；３−メチル−４−（２，２，６−トリメチルシクロヘキシル）ブタン−２−オール；ヘキサデカン−２−オン；アダマンタン−２−オン；ヘプタデカン−１−オール；４−（４−メトキシフェニル）−３−メチルブタン−２−オン；（Ｅ）−３−メチル−５−（２，２，３−トリメチルシクロペンタ−３−エン−１−イル）ペンタ−３−エン−２−オン；２，４−ジ−ｔｅｒｔ−ブチルシクロヘキサン−１−オン；１−（５−イソプロピル−２−メチルシクロヘキサ−２−エン−１−イル）プロパン−１−オン；（Ｅ）−２−メチル−４−（２，６，６−トリメチルシクロヘキサ−２−エン−１−イル）ブタ−３−エナール；（Ｅ）−２，６，１０−トリメチルウンデカ−５，９−ジエン−１−オール；１−メチル−４−（４−メチルペンチル）シクロヘキサ−３−エン−１−カルバルデヒド；（Ｅ）−３−（ベンゾ［ｄ］［１，３］ジオキソール−５−イル）−２−メチルアクリルアルデヒド
；１−（２，６，６−トリメチルシクロヘキサ−２−エン−１−イル）ペンタン−３−オン；（Ｒ，Ｅ）−１−（２，６，６−トリメチルシクロヘキサ−２−エン−１−イル）ペンタ−１−エン−３−オン；（Ｓ，Ｅ）−３，７，１１−トリメチルドデカ−１，６，１０−トリエン−３−オール；（Ｅ）−２，６，１０−トリメチルウンデカ−５，９−ジエナール；２，６−ジ−ｔｅｒｔ−ブチル−４−（ヒドロキシメチル）フェノール；（Ｚ）−２−ベンジリデンヘキサナール；５，５，６，７，７−ペンタメチルヘキサヒドロインデノ［３ａ，４−ｂ］オキシレン−４（１ａＨ）−オン；（４Ｅ，６Ｅ）−７，１１−ジメチルドデカ−４，６，１０−トリエン−３−オン；２，５−ジ−ｔｅｒｔ−ブチルベンゼン−１，４−ジオール；２−メトキシ−４−（４−メチル−１，３−ジオキソラン−２−イル）フェノール；４−（３，４−ジメトキシフェニル）ブタン−２−オン；（Ｚ）−２−（フラン−２−イルメチレン）オクタナール；（Ｅ）−１−（４−メトキシフェニル）ペンタ−１−エン−３−オン；３−（４−イソプロピルフェニル）−２−メチルプロパン−１−オール；（Ｅ）−６−（２，２，３−トリメチルシクロペンタ−３−エン−１−イル）ヘキサ−５−エン−３−オール；１−（ベンゾ［ｄ］［１，３］ジオキソール−５−イル）ブタン−２−オン；１−（１，１，３−トリメチル−２，３，４，５，６，７−ヘキサヒドロ−１Ｈ−インデン−５−イル）エタン−１−オン；１０−メチル−１，２，３，４，５，６，７，８，９，１０−デカヒドロ−５，９−メタノベンゾ［８］アヌレン−１１−オン；３−（２−オキソプロピル）−２−ペンチルシクロペンタン−１−オン；オクタデカン−１−オール；３−（４−ヒドロキシ−４−メチルペンチル）シクロヘキサ−３−エン−１−カルバルデヒド；２−（（１Ｒ，３Ｓ，４Ｓ）−４−メチル−３−（プロパ−１−エン−２−イル）−４−ビニルシクロヘキシル）プロパン−２−オール；（Ｅ）−１−（４−メトキシフェニル）−４−メチルペンタ−１−エン−３−オン；（２Ｒ，４ａＲ，８ａＳ）−１，１，５，５−テトラメチルヘキサヒドロ−２Ｈ−２，４ａ−メタノナフタレン−８（５Ｈ）−オン；（Ｅ）−２，３−ジメチル−４−（２，６，６−トリメチルシクロヘキサ−２−エン−１−イル）ブタ−３−エナール；６−イソプロピルデカヒドロナフタレン−２−オール；（２Ｅ，６Ｅ）−３，７，１１−トリメチルドデカ−２，６，１０−トリエナール；１，７，７−トリメチルビシクロ［２．２．１］ヘプタン−２−イルイソブチレート；（Ｚ）−オクタデカ−９−エン−１−オール；２−メチル−３−（（１，７，７−トリメチルビシクロ［２．２．１］ヘプタン−２−イル）オキシ）プロパン−１−オール；（Ｅ）−２−メチル−１−（２，６，６−トリメチルシクロヘキサ−２−エン−１−イル）ペンタ−１−エン−３−オン；３−（４−（ｔｅｒｔ−ブチル）フェニル）−２−メチルプロパン−１−オール；４，７，７−トリメチル−４−（３−メチルブタ−２−エン−１−イル）ビシクロ［４．１．０］ヘプタン−３−オン；（Ｚ）−２−メチル−１−（２，２，６−トリメチルシクロヘキサ−３−エン−１−イル）ペンタ−１−エン−３−オン；３−（（２−イソプロピル−５−メチルシクロヘキシル）オキシ）プロパン−１，２−ジオール；（Ｚ）−２−ベンジリデンヘプタナール；４，７，７トリメチル−２−（３−メチルブタ−２−エン−１−イル）ビシクロ［４．１．０］ヘプタン−３−オン；（Ｅ）−２−（（１Ｓ，３ａＲ，４Ｓ，８ａＳ）−４，８，８−トリメチルデカヒドロ−１，４−メタノアズレン−９−イリデン）エタン−１−オール；６−イソプロピルオクタヒドロナフタレン−２（１Ｈ）−オン；７−エトキシ−４−メチル−２Ｈ−クロメン−２−オン；（Ｅ）−４−メチル−６−（２，２，３−トリメチルシクロペンタ−３−エン−１−イル）ヘキサ−４−エン−３−オール；３，８，８−トリメチル−６−メチレンオクタヒドロ−１Ｈ−３ａ，７−メタノアズレン−５−オール；（３Ｒ，３ａＲ，６Ｓ，７Ｓ，８ａＳ）−３，６，８，８−テトラメチルヘキサヒドロ−１Ｈ−３ａ，７−メタノアズレン−５（４Ｈ）−オン；（Ｅ）−４−メチル−６−（２，２，３−トリメチルシクロペンタ−３−エン−１−イル）ヘキサ−５−エン−３−オール；１−（４，４−ジメチル−１，２，３，４−テトラヒドロナフタレン−１−イル）プロパン−１−オン；８，１２−ジメチルトリデカ−１１−エン−６−オン；２−エトキシ−４−（４−メチル−１，３−ジオキソラン−２−イル）フェノール；３−シクロヘキサデセン−４−オンヘプタデカン−９−オン；（（２Ｓ，４ａＲ）−１，１，５，５−テトラメチル−１，３，４，５，６，７−ヘキサヒドロ−２Ｈ−２，４ａ−メタノナフタレン−８−イル）メタノール；（オクタヒドロ−１Ｈ−４，７−メタノインデン−２，５−ジイル）ジメタノール；（１Ｒ，５Ｓ，９Ｓ，Ｅ）−４，１１，１１−トリメチル−８−メチレンビシクロ［７．２．０］ウンデカ−３−エン−５−オール；１−（４−ブトキシ−２，２，６，６−テトラメチルシクロヘキサ−３−エン−１−イル）エタン−１−オン；（Ｅ）−２−メチル−１−（１−メチルビシクロ［２．２．１］ヘプタ−５−エン−２−イル）ペンタ−１−エン−３−オール；（Ｅ）−１−（３，５，６−トリメチルシクロヘキサ−３−エン−１−イル）ペンタ−１−エン−３−オン；（Ｅ）−１−（２，４，６−トリメチルシクロヘキサ−３−エン−１−イル）ペンタ−１−エン−３−オン；２−（（３Ｓ，３ａＳ，５Ｒ，８Ｓ，８ａＳ）−３，８−ジメチルデカヒドロアズレン−５−イル）プロパン−２−オール；（２Ｅ，６Ｅ，９Ｅ）−２，６，１０−トリメチルドデカ−２，６，９，１１−テトラエナール；１−（２，５，５−トリメチル−１，３，４，５，６，７−ヘキサヒドロ−２Ｈ−２，４ａ−エタノナフタレン−８−イル）エタン−１−オン；オキサシクロヘキサデカン−２，１３−ジオン；（３Ｒ，３ａＲ，７Ｓ，８ａＳ）−３，６，８，８−テトラメチル−１，２，３，７，８，８ａ−ヘキサヒドロ−４Ｈ−３ａ，７−メタノアズレン−４−オン；１−（２，３，８，８−テトラメチル−１，２，３，５，６，７，８，８ａ−オクタヒドロナフタレン−２−イル）エタン−１−オン；（Ｅ）−カルコン；（Ｅ）−４−（１，３ａ，４，６，７，７ａ−ヘキサヒドロ−５Ｈ−４，７−メタノインデン−５−イリデン）ブタン−２−オール；（Ｅ）−３−（（２，６，６−トリメチルシクロヘキサ−２−エン−１−イリデン）メチル）ヘキサ−５−エン−２−オン；（３ａＲ，５ａＳ，９ａＳ，９ｂＲ）−３ａ，６，６，９ａ−テトラメチルデカヒドロナフト［２，１−ｂ］フラン−２（１Ｈ）−オン；（Ｅ）−５−メチル−１−（２，６，６−トリメチルシクロヘキサ−２−エン−１−イル）ヘキサ−１−エン−３−オン；１０，１１−ジヒドロ−５Ｈ−ジベンゾ［ａ，ｄ］［７］アヌレン−５−オン；５，５，７，８，８−ペンタメチル−５，６，７，８−テトラヒドロナフタレン−２−カルバルデヒド；（４Ｒ，４ａＳ，６Ｒ，８ａＳ）−４，４ａ−ジメチル−６−（プロパ−１−エン−２−イル）オクタヒドロナフタレン−２（１Ｈ）−オン；２−（１，１，２，３，３−ペンタメチル−２，３−ジヒドロ−１Ｈ−インデン−５−イル）プロパン−１−オール；８−（ｔｅｒｔ−ブチル）−４，６−ジメチル−２Ｈ−クロメン−２−オン；（Ｅ）−４−（３ａ，４，５，６，７，７ａ−ヘキサヒドロ−１Ｈ−４，７−メタノインデン−５−イル）−３−メチルブタ−３−エン−２−オール；（Ｅ）−４−（３ａ，４，５，６，７，７ａ−ヘキサヒドロ−１Ｈ−４，７−メタノインデン−６−イル）−３−メチルブタ−３−エン−２−オール；２−（（４−イソプロピルシクロヘキサ−１−エン−１−イル）メチル）シクロペンタン−１−オン；４−（５，５，６−トリメチルビシクロ［２．２．１］ヘプタン−２−イル）シクロヘキサン−１−オール；１，３−ジフェニルプロパン−２−オン；３−（（２Ｒ）−５，５，６−トリメチルビシクロ［２．２．１］ヘプタン−２−イル）シクロヘキサン−１−オール；３−エチル−５，５，８，８−テトラメチル−５，６，７，８−テトラヒドロナフタレン−２−カルバルデヒド；（１Ｓ）−３−（（Ｚ）−ベンジリデン）−１，７，７−トリメチルビシクロ［２．２．１］ヘプタン−２−オン；（Ｚ）−３−ベンジリデン−１，７，７−トリメチルビシクロ［２．２．１］ヘプタン−２−オン；３−（５，５−ジメチル−６−メチレンビシクロ［２．２．１］ヘプタン−２−イル）シクロヘキサン−１−オール；６，１０，１４−トリメチルペンタデカン−２−オン；１−（３−エチル−５，５，８，８−テトラメチル−５，６，７，８−テトラヒドロナフタレン−２−イル）エタン−１−オン；２−オクチルドデカン−１−オール；２−イソプロポキシ−１，２−ジフェニルエタン−１−オン；２−メトキシ−４−（１，７，７−トリメチルビシクロ［２．２．１］ヘプタン−２−イル）フェノール；２−（２−（３，３，５−トリメチルシクロヘキシル）アセチル）シクロペンタン−１−オン；２−ブトキシ−１，２−ジフェニルエタン−１−オン；（６Ｅ，１０Ｅ）−３，７，１１，１５−テトラメチルヘキサデカ−６，１０，１４−トリエン−３−オール；（６Ｅ，１０Ｅ）−３，７，１１，１５−テトラメチルヘキサデカ−１，６，１０，１４−テトラエン−３−オール；２−イソブトキシ−１，２−ジフェニルエタン−１−オン；（１Ｒ）−１，７，７−トリメチル−３−（（Ｚ）−４−メチルベンジリデン）ビシクロ［２．２．１］ヘプタン−２−オン；１−（４−ヒドロキシ−３−メトキシフェニル）デカン−３−オン；３，７，１１，１５−テトラメチルヘキサデカ−１−イン−３−オール；（７Ｒ，１１Ｒ，Ｅ）−３，７，１１，１５−テトラメチルヘキサデカ−２−エン−１−オール；（３Ｒ，５Ｓ，８Ｒ，９Ｓ，１０Ｓ，１３Ｒ，１４Ｓ）−１０，１３−ジメチル−２，３，４，５，６，７，８，９，１０，１１，１２，１３，１４，１５−テトラデカヒドロ−１Ｈ−シクロペンタ［ａ］フェナントレン−３−オール；１−フェネトキシ−２−（ｐ−トリルオキシ）エタン−１−オール；（７−イソプロピル−１，４ａ−ジメチルテトラデカヒドロフェナントレン−１−イル）メタノール；（５Ｓ，８Ｒ，９Ｓ，１０Ｓ，１３Ｒ，１４Ｓ）−１０，１３−ジメチル−１，２，４，５，６，７，８，９，１０，１１，１２，１３，１４，１５−テトラデカヒドロ−３Ｈ−シクロペンタ［ａ］フェナントレン−３−オン；（７−イソプロピル−１，４ａ−ジメチル−１，２，３，４，４ｂ，５，６，７，８，８ａ，９，１０−ドデカヒドロ−４ａｌ５−フェナントレン−１−イル）メタノール；１−（４−（ｔｅｒｔ−ブチル）フェニル）−３−（４−メトキシフェニル）プロパン−１，３−ジオン；２，５，７，８−テトラメチル−２−（４，８，１２−トリメチルトリデシル）クロマン−６−オール；２，５，８−トリメチル−２−（４，８，１２−トリメチルトリデシル）クロマン−６−オール；２，７，８−トリメチル−２−（４，８，１２−トリメチルトリデシル）クロマン−６−オール；２，８−ジメチル−２−（４，８，１２−トリメチルトリデシル）クロマン−６−オール；（１Ｅ，６Ｅ）−１，７−ビス（４−ヒドロキシ−３−メトキシフェニル）ヘプタ−１，６−ジエン−３，５−ジオン；（１Ｒ，２Ｒ，４ａＳ，８ａＳ）−１−（（Ｅ）−６−（（Ｓ）−２，２−ジメチル−６−メチレンシクロヘキシル）−４−メチルヘキサ−３−エン−１−イル）−２，５，５，８ａ−テトラメチルデカヒドロナフタレン−２−オール；（２Ｅ，４Ｅ，６Ｅ，８Ｅ，１０Ｅ，１２Ｅ，１４Ｅ，１６Ｅ）−２，６，１１，１５−テトラメチル−１７−（２，６，６−トリメチルシクロヘキサ−１−エン−１−イル）ヘプタデカ−２，４，６，８，１０，１２，１４，１６−オクタエナール；８，８−ジ（１Ｈ−インドール−３−イル）−２，６−ジメチルオクタン−２−オール；及びこれらの混合物からなる群から選択される有益剤のフラグメント
である。
【００４５】
Ｉ．段落Ａ〜Ｅに係るシリコーン化合物であって、シリコーン化合物の有益剤部分は、３，７−ジメチルオクタナール；オクタナール；テトラデカナール；２，２，６，８−テトラメチル−１，２，３，４，４ａ，５，８，８ａ−オクタヒドロナフタレン−１−オール；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；ノナナール；（Ｚ）−３，７−ジメチルオクタ−２，６−ジエン−１−オール；６，６−ジメチルビシクロ［３．１．１］ヘプタ−２−エン−２−カルバルデヒド；（Ｅ）−４−（２，２，３，６−テトラメチルシクロヘキシル）ブタ−３−エン−２−オン；（Ｚ）−１−（２，６，６−トリメチルシクロヘキサ−１−エン−１−イル）ペンタ１−エン−３−オン；（Ｅ）−３−メチルシクロペンタデカ−４−エン−１−オン；１−（４−イソプロピルシクロヘキシル）エタン−１−オール；１−（４−イソプロピルシクロヘキシル）エタン−１−オール；２−メチルデカナール；２−メチルウンデカナール；６−メトキシ−２，６−ジメチルヘプタナール；７−メトキシ−３，７−ジメチルオクタナール；オクタヒドロ−１Ｈ−４，７−メタノインデン−１−カルバルデヒド；（（１ｓ，４ｓ）−４−イソプロピルシクロヘキシル）メタノール；３−（３−（ｔｅｒｔ−ブチル）フェニル）−２−メチルプロパナール；２，２−ジメチル−３−（ｍ−トリル）プロパン−１−オール；８−イソプロピル−６−メチルビシクロ［２．２．２］オクタ−５−エン−２−カルバルデヒド；４−（４−ヒドロキシ−４−メチルペンチル）シクロヘキサ−３−エン−１−カルバルデヒド；（Ｚ）−３−ヘキセン−１−イル−２−シクロペンテン−１−オン；３−（４−メチルシクロヘキサ−３−エン−１−イル）ブタナール；３−（４−（ｔｅｒｔ−ブチル）フェニル）−２−メチルプロパナール；２−メチル−５−（１−メチルエテニル）−２−シクロヘキセノン；（１Ｓ，５Ｒ）−２−メチル−５−（プロパ−１−エン−２−イル）シクロヘキサ−２−エン−１−オール；ドデカン−１−オール；ドデカナール；（（３Ｓ，３ａＲ，６Ｒ，８ａＳ）−７，７−ジメチル−８−メチレンオクタヒドロ−１Ｈ−３ａ，６−メタノアズレン−３−イル）メタノール；（１−メチル−２−（（１，２，２−トリメチルビシクロ［３．１．０］ヘキサン−３−イル）メチル）シクロプロピル）メタノール；（Ｚ）−４−（６，６−ジメチルシクロヘキサ−２−エン−１−イル）−３−メチルブタ−３−エン−２−オン；（１Ｒ，２Ｓ，５Ｒ）−５−メチル−２−（プロパ−１−エン−２−イル）シクロヘキサン−１−オール；４，９−ジメトキシ−７Ｈ−フロ［３，２−ｇ］クロメン−７−オン；２−ヘキシルシクロペンタ−２−エン−１−オン；４−（４−メチルペンタ−３−エン−１−イル）シクロヘキサ−３−エン−１−カルバルデヒド；２，５，６−トリメチルシクロヘキサ−３−エン−１−カルバルデヒド；４−（（２Ｒ）−１，７，７−トリメチルビシクロ［２．２．１］ヘプタン−２−イル）シクロヘキサン−１−オール；（７，７，８，８−テトラメチルオクタヒドロ−２，３ｂ−メタノシクロペンタ［１，３］シクロプロパ［１，２］ベンゼン−４−イル）メタノール；２−シクロドデシルプロパン−１−オール；３−フェニルプロパン−１−オール；２，３−ジヒドロ−３，３−ジメチル−１Ｈ−インデン−５−プロパナール；３−（３，３−ジメチル−２，３−ジヒドロ−１Ｈ−インデン−５−イル）プロパナール；（Ｚ）−２−ベンジリデンオクタナール；３−（ベンゾ［ｄ］［１，３］ジオキソール−５−イル）−２−メチルプロパナール；１−メチル−４−（プロパン−２−イリデン）シクロヘキサン−１−オール；（Ｚ）−４−（２，２−ジメチル−６−メチレンシクロヘキシル）ブタ−３−エン−２−オン；（Ｚ）−１−（２，２−ジメチル−６−メチレンシクロヘキシル）ブタ−２−エン−１−オン；１−（３，３−ジメチルシクロヘキシル）ペンタ−４−エン−１−オン；（６−イソプロピル−９−メチル−１，４−ジオキサスピロ［４．５］デカン−２−イル）メタノール；３−（２−エチルフェニル）−２，２−ジメチルプロパナール；３−（２−エチルフェニル）−２，２−ジメチルプロパナール；（Ｅ）−４，８−ジメチルデカ−４，９−ジエナール；（２Ｅ，６Ｅ）−３，７，１１−トリメチルドデカ−２，６，１０−トリエン−１−オール；（Ｅ）−シクロペンタデカ−４−エン−１−オン；１−シクロペンタデカ−４−エン−１−オン；２−メトキシ−４−（４−メチレンテトラヒドロ−２Ｈ−ピラン−２−イル）フェノール；４−アリル−２−メトキシフェノール；（２Ｒ，３Ｓ，４Ｒ）−２，３，４，５−テトラヒドロキシペンタナール；（Ｅ）−４−（（３ａＳ，７ａＳ）−オクタヒドロ−５Ｈ−４，７−メタノインデン−５−イリデン）ブタナール；２−（２−ヒドロキシプロポキシ）プロパン−１−オール；２，６−ジメチルオクタ−７−エン−４−オン；３−メチル−２−ペンチルシクロペンタ−２−エン−１−オン；２−メトキシ−４−プロピルフェノール；２−メチル−５−（プロパ−１−エン−２−イル）シクロヘキサン−１−オール；（Ｚ）−１−（（１Ｒ，２Ｓ）−２，６，６−トリメチルシクロヘキサ−３−エン−１−イル）ブタ−２−エン−１−オン；デカ−９−エン−１−オール；３−（４−イソプロピルフェニル）−２−メチルプロパナール；８，８−ジメチル−１，２，３，４，５，６，７，８−オクタヒドロナフタレン−２−カルバルデヒド；（４−イソプロピルフェニル）メタノール；３−（４−メチルシクロヘキサ−３−エン−１−イル）ブタン−１−オール；３，７−ジメチルオクタ−６−エン−１−オール；３，７−ジメチルオクタ−６−エナール；（Ｚ）−３−メチル−２−（ペンタ−２−エン−１−イル）シクロペンタ−２−エン−１−オン；（Ｚ）−ノナ−６−エン−１−オール；（１Ｒ，５Ｒ）−２−メチル−５−（プロパ−１−エン−２−イル）シクロヘキサ−２−エン−１−オール；（Ｚ）−デカ−４−エナール；（３Ｚ，６Ｚ）−ノナ−３，６−ジエン−１−オール；（Ｅ）−３−フェニルプロパ−２−エン−１−オール；４−クロロ−３，５−ジメチルフェノール；ヘキサデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；１，１，２，３，３−ペンタメチル−１，２，３，５，６，７−ヘキサヒドロ−４Ｈ−インデン−４−オン；（１Ｓ，２Ｓ，５Ｒ，８Ｓ）−４，４，８−トリメチルトリシクロ［６．３．１．０２，５］ドデカン−１−オール；５−イソプロピル−２−メチルフェノール；２−メチル−５−（プロパ−１−エン−２−イル）シクロヘキサ−２−エン−１−オン；オクタン−１−オール；デカナール；３−（４−メトキシフェニル）−２−メチルプロパナール；２，６−ジ−ｔｅｒｔ−ブチル−４−メチルフェノール；２−メチル−４−（２，２，３−トリメチルシクロペンタ−３−エン−１−イル）ブタン−１−オール；３−（４−（ｔｅｒｔ−ブチル）フェニル）プロパナール；（Ｅ）−２−メチル−４−（２，６，６−トリメチルシクロヘキサ−１−エン−１−イル）ブタ−２−エナール；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキサン−１−オール；（２Ｚ，６Ｅ）−２，６−ジメチル−１０−メチレンドデカ−２，６，１１−トリエナール；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；（Ｓ）−４−メチル−１−（（Ｓ）−６−メチルヘプタ−５−エン−２−イル）シクロヘキサ−３−エン−１−オール；（Ｚ）−４−（２，２，６−トリメチル−７−オキサビシクロ［４．１．０］ヘプタン−１−イル）ブタ−３−エン−２−オン；４−メトキシ−７Ｈ−フロ［３，２−ｇ］クロメン−７−オン；（４Ｒ，４ａＳ）−４，４ａ−ジメチル−６−（プロパン−２−イリデン）−４，４ａ，５，６，７，８−ヘキサヒドロナフタレン−２（３Ｈ）−オン；（２Ｚ，６Ｅ，９Ｅ）−２，６，１０−トリメチルドデカ−２，６，９，１１−テトラエナール；（Ｅ）−５−（２，３−ジメチルトリシクロ［２．２．１．０２，６］ヘプタン−３−イル）−２−メチルペンタ−２−エン−１−オール；１−（５，５−ジメチルシクロヘキサ−１−エン−１−イル）ペンタ−４−エン−１−オン；（Ｒ，Ｚ）−１−（２，６，６−トリメチルシクロヘキサ−２−エン−１−イル）ペンタ−１−エン−３−オン；（Ｚ）−３−メチル−４−（２，６，６−トリメチルシクロヘキサ−２−エン−１−イル）ブタ−３−エン−２−オン；（Ｚ）−４−（２，５，６，６−テトラメチルシクロヘキサ−２−エン−１−イル）ブタ−３−エン−２−オン；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；（Ｅ）−２−ベンジリデンヘプタン−１−オール；（Ｅ）−２−ベンジリデンヘプタナール；１−メチル−４−（４−メチルペンタ−３−エン−１−イル）シクロヘキサ−３−エン−１−カルバルデヒド；２，３，４−トリメトキシベンズアルデヒド；２，４，５−トリメトキシベンズアルデヒド；２，４，６−トリメトキシベンズアルデヒド；トランス，トランス−２，４−ノナジエナール；２，６，１０−トリメチルウンデカナール；α−４−ジメチルベンゼンプロパナール；（Ｅ）−ウンデカ−９−エナール；２，６，１０−トリメチルウンデカ−９−エナール；（Ｚ）−２−（４−メチルベンジリデン）ヘプタナール；デカ−９−エナール；７−メトキシ−２Ｈ−クロメン−２−オン；１−（３，５，５，６，８，８−ヘキサメチル−５，６，７，８−テトラヒドロナフタレン−２−イル）エタン−１−オン；３−（６，６−ジメチルビシクロ［３．１．１］ヘプタ−２−エン−２−イル）プロパナール；１−イソプロピル−４−メチルシクロヘキサ−３−エン−１−オール；１−フェニルペンタ−４−エン−１−オン；１−イソプロピル−４−メチルシクロヘキサ−３−エン−１−オール；（１ａＲ，２Ｓ，４ａＳ）−２，４ａ，８，８−テトラメチルオクタヒドロシクロプロパ［ｄ］ナフタレン−３（１Ｈ）−オン；（Ｚ）−ドデカ−２−エナール；３−メチル−５−フェニルペンタナール；３，７−ジメチル−２−メチレンオクタ−６−エナール；３，７−ジメチルオクタン−１−オール；３，４，５−トリメトキシベンズアルデヒド；３−（４−イソプロピルフェニル）プロパナール；（Ｅ）−ウンデカ−２−エナール；（２Ｅ，６Ｅ）−ノナ−２，６−ジエナール；（Ｚ）−３−（フラン−２−イル）−２−フェニルアクリルアルデヒド；２−フェノキシエタン−１−オール；（Ｚ）−ノナ−２−エナール；（Ｅ）−２−イソプロピル−５−メチルヘキサ−２−エナール；（Ｅ）−デカ−２−エナール；（２Ｅ，６Ｅ）−ノナ−２，６−ジエナール；（２Ｅ，６Ｅ）−ノナ−２，６−ジエン−１−オール；２，６−ジメチルオクタナール；デカン−１−オール；ウンデカ−１０−エン−１−オール；ウンデカ−１０−エナール；（Ｚ）−１−（２，６，６−トリメチルシクロヘキサ−２−エン−１−イル）ブタ−２−エン−１−オン；（１Ｓ，５Ｓ）−４，６，６−トリメチルビシクロ［３．１．１］ヘプタ−３−エン−２−オン；（Ｚ）−ドデカ−３−エナール；３，７−ジメチルオクタ−６−エナール；（Ｒ）−３，７−ジメチルオクタ−６−エナール；（１Ｓ，２Ｓ，５Ｓ）−２−メチル−５−（プロパ−１−エン−２−イル）シクロヘキサン−１−オール；３，７−ジメチルオクタ−６−エン−１−オール；３，７−ジメチルオクタ−６−エン−１−オール；（Ｓ）−２−メチル−５−（プロパ−１−エン−２−イル）シクロヘキサ−
２−エン−１−オン；（Ｒ，Ｅ）−２−メチル−４−（２，２，３−トリメチルシクロペンタ−３−エン−１−イル）ブタ−２−エン−１−オール；（Ｅ）−４−（２，２−ジメチル−６−メチレンシクロヘキシル）−３−メチルブタ−３−エン−２−オン；３−（３−イソプロピルフェニル）ブタナール；３−（６，６−ジメチルビシクロ［３．１．１］ヘプタ−２−エン−２−イル）−２，２−ジメチルプロパナール；２−（ｍ−トリル）エタン−１−オール；（３Ｅ，６Ｅ）−ノナ−３，６−ジエン−１−オール；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；４−（プロパ−１−エン−２−イル）シクロヘキサ−１−エン−１−カルバルデヒド；（４−（プロパ−１−エン−２−イル）シクロヘキサ−１−エン−１−イル）メタノール；２−シクロヘキシルヘプタ−１，６−ジエン−３−オン；２−フェニルエタン−１−オール；３−メチル−５−フェニルペンタン−１−オール；２−（６，６−ジメチルビシクロ［３．１．１］ヘプタ−２−エン−２−イル）アセトアルデヒド；（４ａＲ，８ａＳ）−７−メチルオクタヒドロ−１，４−メタノナフタレン−６（２Ｈ）−オン；１，２−ジメチル−３−（プロパ−１−エン−２−イル）シクロペンタン−１−オール；４−イソプロピル−１−メチルシクロヘキサ−３−エン−１−オール；（２Ｚ，５Ｚ）−５，６，７−トリメチルオクタ−２，５−ジエン−４−オン；１−メチル−４−（４−メチルペンタ−３−エン−１−イル）シクロヘキサ−３−エン−１−カルバルデヒド；プロパン−１，２−ジオール；４−（ｔｅｒｔ−ペンチル）シクロヘキサン−１−オール；３，７−ジメチルオクタ−７−エン−１−オール；２−メチル−５−フェニルペンタン−１−オール；（Ｚ）−２−エチル−４−（２，２，３−トリメチルシクロペンタ−３−エン−１−イル）ブタ−２−エン−１−オール；（Ｅ）−２−メチル−４−（２，２，３−トリメチルシクロペンタ−３−エン−１−イル）ブタ−２−エン−１−オール；５−メトキシオクタヒドロ−１Ｈ−４，７−メタノインデン−２−カルバルデヒド；５−メトキシオクタヒドロ−１Ｈ−４，７−メタノインデン−２−カルバルデヒド；３−（４−イソブチルフェニル）−２−メチルプロパナール；１−（スピロ［４．５］デカ−７−エン−７−イル）ペンタ−４−エン−１−オン；２−（４−メチルチアゾール−５−イル）エタン−１−オール；（Ｚ）−ドデカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３，７−ジメチルオクタナール；２−イソプロピル−５−メチルフェノール；（２Ｚ，４Ｅ）−ノナ−２，４−ジエナール；（２Ｅ，６Ｅ）−３，７，１１−トリメチルドデカ−２，６，１０−トリエン−１−オール；（２Ｅ，６Ｚ）−ノナ−２，６−ジエナール；（Ｚ）−デカ−２−エナール；（Ｅ）−ノナ−２−エナール；（１Ｒ，２Ｓ）−２−（ｔｅｒｔ−ブチル）シクロヘキサン−１−オール；（３Ｅ，６Ｚ）−ノナ−３，６−ジエン−１−オール；（Ｅ）−デカ−４−エナール；（Ｚ）−１−（２，６，６−トリメチルシクロヘキサ−２−エン−１−イル）ブタ−２−エン−１−オン；（Ｅ）−３，７−ジメチルオクタ−２，６−ジエン−１−オール；（１Ｒ−（１α，３α，４ａα））−２，３，４，４ａ，５，６−ヘキサヒドロ−２，２−ジメチル−１，３−メタノナフタレン−７（１Ｈ）−オン；トリデカン−１−オール；１−（（２Ｅ，５Ｚ，９Ｚ）−２，６，１０−トリメチルシクロドデカ−２，５，９−トリエン−１−イル）エタン−１−オン；２−メルカプト−２−メチルペンタン−１−オール；ウンデカナール；（Ｚ）−２−メチル−４−（２，６，６−トリメチルシクロヘキサ−２−エン−１−イル）ブタ−２−エナール；（１Ｒ，５Ｒ）−４，６，６−トリメチルビシクロ［３．１．１］ヘプタ−３−エン−２−オン；２−（ｔｅｒｔ−ブチル）シクロヘキサン−１−オール；１，３，４，６，７，８α−ヘキサヒドロ−１，１，５，５−テトラメチル−２Ｈ−２，４α−メタノフタレン−８（５Ｈ）−オン；３−（３，３−ジメチル−２，３−ジヒドロ−１Ｈ−インデン−５−イル）プロパナール；２，２’−オキシビス（エタン−１−オール）；ブタン−１，３−ジオール；ヘキサン−１，６−ジオール；２，２’−（エタン−１，２−ジイルビス（オキシ））ビス（エタン−１−オール）；２−メチルペンタン−２，４−ジオール；（２Ｅ，４Ｅ）−ヘプタ−２，４−ジエン−１−オール；ヘキサン−１，２，６−トリオール；（Ｚ）−オクタ−５−エン−１−オール；（Ｅ）−オクタ−３−エン−１−オール；（Ｚ）−オクタ−５−エナール；２，５−ジメチル−１，４−ジチアン−２，５−ジオール；（Ｅ）−ノナ−２−エン−１−オール；（Ｅ）−ノナ−６−エン−１−オール；（Ｅ）−ノナ−３−エン−１−オール；（Ｚ）−ノナ−３−エン−１−オール；（２Ｅ，６Ｚ）−ノナ−２，６−ジエン−１−オール；マンニトール；２，２’，２’’−ニトリロトリス（エタン−１−オール）；３−ノネン−２−オン；（Ｅ）−ノナ−５−エン−２−オン；２−（シクロヘキシルオキシ）エタン−１−オール；（Ｅ）−デカ−２−エン−１−オール；ａ−Ｄ−グルコピラノース；（Ｅ）−デカ−５−エン−１−オール；２，３，６−トリメチルフェノール；（２Ｅ，４Ｅ）−デカ−２，４−ジエナール；（２Ｅ，４Ｚ）−デカ−２，４−ジエナール；デカン−１，１０−ジオール；（Ｚ）−デカ−７−エナール；（Ｅ）−２−メチルオクタ−２−エナール；３−（ヒドロキシメチル）フェノール；（２−メトキシフェニル）メタノール；デカン−２−オン；２−（ｏ−トリル）エタン−１−オール；ウンデカン−１−オール；（Ｅ）−デカ−３−エン−２−オン；３−エチル−２−ヒドロキシ−４−メチルシクロペンタ−２−エン−１−オン；３−フェニルプロパン−１−オール；３，５−オクタジエン−２−オール、２，６−ジメチル−，（？，Ｚ）−；３，５−オクタジエン−２−オール，２，６−ジメチル−、（？，Ｅ）−；ベンゼンメタノール、４−メチル−；２−（ベンジルオキシ）��タン−１−オール；（Ｅ）−ウンデカ−２−エン−１−オール；（２Ｚ，４Ｅ）−ウンデカ−２，４−ジエン−１−オール；（Ｅ）−７−メチル−３−メチレンオクタ−４，６−ジエン−２−オール；（Ｚ）−ウンデカ−２−エナール；（Ｅ）−ウンデカ−２−エナール；（２Ｚ，４Ｚ）−ウンデカ−２，４−ジエナール；（２Ｅ，４Ｅ）−ウンデカ−２，４−ジエナール；３−シクロヘキセン−１−プロパナール；（Ｅ）−ウンデカ−８−エナール；１−（ｐ−トリル）エタン−１−オール；（Ｅ）−３，７−ジメチルオクタ−２，６−ジエン−１−オール；４−（２−ヒドロキシエチル）フェノール；（４−メトキシフェニル）メタノール；２−メトキシ−２−フェニルエタン−１−オール；（Ｅ）−２−イソプロピル−５−メチルヘキサ−２−エン−１−オール；４−フェニルブタン−１−オール；２−（ｐ−トリル）エタン−１−オール；（Ｅ）−ドデカ−２−エン−１−オール；２−（ｐ−トリルオキシ）エタン−１−オール；７−メチル−３−メチレンオクタ−６−エナール；（２Ｅ，４Ｅ）−ドデカ−２，４−ジエン−１−オール；（Ｅ）−ドデカ−２−エナール；（２Ｅ，４Ｅ）−ドデカ−２，４−ジエナール；（Ｅ）−５−（メチルチオ）−２−（（メチルチオ）メチル）ペンタ−２−エナール；（Ｅ）−ドデカ−３−エナール；４−（ヒドロキシメチル）−２−メトキシフェノール；ウンデカン−１−オール；（Ｅ）−ドデカ−４−エナール；４−アリルフェノール；（２Ｅ，６Ｚ）−ドデカ−２，６−ジエナール；３−（５−メチルフラン−２−イル）ブタナール；２−ペンチルシクロペンタ−２−エン−１−オン；２−イソプロピル−４−メチルフェノール；３，７−ジメチルオクタ−７−エン−１，６−ジオール；ベンゾ［ｄ］［１，３］ジオキソール−５−イルメタノール；（Ｚ）−２，７−ジメチルオクタ−５−エン−４−オン；ウンデカ−１−エン−３−オン；２，６−ジメトキシ−４−メチルフェノール；（１Ｓ，２Ｓ，５Ｓ）−２−メチル−５−（プロパ−１−エン−２−イル）シクロヘキサン−１−オール；５−フェニルペンタン−１−オール；ｒｅｌ−（１Ｒ，２Ｓ，５Ｒ）−５−メチル−２−（プロパ−１−エン−２−イル）シクロヘキサン−１−オール；（Ｅ）−２−メチル−３−フェニルプロパ−２−エン−１−オール；（Ｅ）−トリデカ−２−エン−１−オール；（（１Ｓ，２Ｓ，５Ｓ）−６，６−ジメチルビシクロ［３．１．１］ヘプタン−２−イル）メタノール；トリデカナール；２−メチルウンデカン−１−オール；２−（３，４−ジメチルフェニル）アセトアルデヒド；２−（２，４−ジメチルフェニル）アセトアルデヒド；１，３−ジヒドロ−２Ｈ−インデン−２−オン；（２Ｅ，４Ｅ）−トリデカ−２，４−ジエナール；（６，６−ジメチルビシクロ［３．１．１］ヘプタ−２−エン−２−イル）メタノール；３−（ｐ−トリル）プロパナール；（Ｅ）−２−（ヘキサ−２−エン−１−イル）シクロペンタン−１−オール；２−（２−ヒドロキシプロパン−２−イル）−５−メチルシクロヘキサン−１−オール；１１−メチルドデカン−１−オール；（２Ｅ，４Ｚ，７Ｚ）−トリデカ−２，４，７−トリエナール；シクロドデカノール；２−（４−メチルシクロヘキ��−３−エン−１−イル）プロパ−２−エン−１−オール；（Ｒ）−２−（４−メチルシクロヘキサ−３−エン−１−イル）プロパ−２−エン−１−オール；（Ｅ）−２−メチル−３−（ペンタ−２−エン−１−イル）シクロペンタ−２−エン−１−オン；（Ｅ）−３−メチル−２−（ペンタ−２−エン−１−イル）シクロペンタ−２−エン−１−オン；（２Ｅ，６Ｅ）−３，７−ジメチルノナ−２，６−ジエナール；２，６−ジイソプロピルフェノール；１−（３，３−ジメチルビシクロ［２．２．１］ヘプタン−２−イル）エタン−１−オール；２−（４−メチレンシクロヘキシル）プロパナール；（Ｓ）−４−（プロパ−１−エン−２−イル）シクロヘキサ−１−エン−１−カルバルデヒド；（Ｅ）−３−（４−メトキシフェニル）アクリルアルデヒド；テトラデカン−１−オール；６−フェニルヘキサン−１−オール；２−（４−イソプロピルシクロヘキシル）エタン−１−オール；（Ｅ）−２−エチル−２−（３−メチルブタ−２−エン−１−イル）ヘキサ−３−エン−１−オール；２−（４−エチルフェニル）アセトアルデヒド；（Ｅ）−３−メチル−１−フェニルペンタ−１−エン−３−オール；（２−ヘキシル−１，３−ジオキソラン−４−イル）メタノール；６−エチル−３−メチルオクタ−５−エン−１−オール；オクタヒドロナフタレン−２（１Ｈ）−オン；２−（４−イソプロピルフェニル）エタン−１−オール；（Ｅ）−５，９−ジメチルデカ−４，９−ジエナール；５−メチル−３，４−ジヒドロナフタレン−１（２Ｈ）−オン；８−メチル−３，４−ジヒドロナフタレン−１（２Ｈ）−オン；（Ｅ）−テトラデカ−２−エナール；４−（ｔｅｒｔ−ブチル）シクロヘキサン−１−カルバルデヒド；２−（６，６−ジメチルビシクロ［３．１．１］ヘプタ−２−エン−２−イル）エタン−１−オール；（４，７，７−トリメチルビシクロ［４．１．０］ヘプタ−４−エン−３−イル）メタノール；（Ｚ）−２−（３，３−ジメチルビシクロ［２．２．１］ヘプタン−２−イリデン）エタン−１−オール；（３ａＲ，７ａＲ）−オクタヒドロ−５Ｈ−４，７−メタノインデン−５−オン；４−（３−ヒドロキシブチル）フェノール；２，５，７，７−テトラメチルオクタナール；２−フェニルペンタ−４−エナール；４−ヒドロキシ−３，５−ジメトキシベンズアルデヒド；（Ｅ）−４−（３−ヒドロキシプロパ−１−エン−１−イル）−２−メトキ
シフェノール；２−メチル−４−フェニルブタナール；２−ペンチルシクロヘキサ−２−エン−１−オン；４−エチル−２，６−ジメトキシフェノール；２−（（１，７，７−トリメチルビシクロ［２．２．１］ヘプタン−２−イル）オキシ）エタン−１−オール；ペンタデカン−１−オール；（２−フェニル−１，３−ジオキソラン−４−イル）メタノール；１−アリル−２，２，７，７−テトラメチルシクロヘプタン−１−オール；５−エチル−２−メチルノナン−１−オール；３−（ブタ−３−エン−１−イル）−２，４，４−トリメチルシクロヘキサ−２−エン−１−オン；２−（４−イソプロピルシクロヘキシル）プロパン−１−オール；ペンタデカナール；（Ｚ）−２−エチリデンウンデカナール；（Ｅ）−１−（２，６，６−トリメチルシクロヘキサ−３−エン−１−イル）ブタ−２−エン−１−オン；３，５−ジエチル−２，６−ジメチルシクロヘキサ−２−エン−１−オン；（Ｚ）−４−（４−メチルシクロヘキサ−３−エン−１−イリデン）ペンタナール；６−メチル−３，４−ジヒドロナフタレン−１（２Ｈ）−オン；７−メチル−３，４−ジヒドロナフタレン−１（２Ｈ）−オン；５−エチル−２−メチルノナナール；（３Ｅ，５Ｅ）−６，１０−ジメチルウンデカ−３，５，９−トリエン−２−オン；［１，１’−ビ（シクロヘキサン）］−１’−エン−２−オン；（Ｅ）−４−（２，３，６−トリメチルフェニル）ブタ−３−エン−２−オン；２−（４−イソプロピルフェニル）プロパナール；（Ｅ）−６，１０−ジメチルウンデカ−３，９−ジエン−２−オン；３−プロピルビシクロ［２．２．１］ヘプタ−５−エン−２−カルバルデヒド；（Ｅ）−２，６−ジメトキシ−４−（プロパ−１−エン−１−イル）フェノール；４，４ａ，６，７，８，８ａ−ヘキサヒドロ−１，４−メタノナフタレン−５（１Ｈ）−オン；４−アリル−２，６−ジメトキシフェノール、（２，８，８−トリメチル−１，２，３，４，５，６，７，８−オクタヒドロナフタレン−２−イル）メタノール；（Ｅ）−３−（４−メトキシフェニル）−２−メチルアクリルアルデヒド；（２Ｅ，６Ｅ）−３，７，９−トリメチルデカ−２，６−ジエナール；（５，６−ジメチル−１−（プロパ−１−エン−２−イル）ビシクロ［２．２．１］ヘプタ−５−エン−２−イル）メタノール；２−（４−（ｔｅｒｔ−ブチル）−２−メチルフェノキシ）アセトアルデヒド；（Ｅ）−４−（４−ヒドロキシ−３−メトキシフェニル）ブタ−３−エン−２−オン；（Ｅ）−４−（３−ヒドロキシプロパ−１−エン−１−イル）−２，６−ジメトキシフェノール；１４−メチルペンタデカン−１−オール；（Ｅ）−３−（４−ヒドロキシ−３，５−ジメトキシフェニル）アクリルアルデヒド；（３Ｅ，５Ｅ）−３，６，１０−トリメチルウンデカ−３，５，９−トリエン−２−オン；（Ｅ）−２，５，９−トリメチルデカ−４，９−ジエナール；（Ｅ）−４−（ベンゾ［ｄ］［１，３］ジオキソール−５−イル）ブタ−３−エン−２−オン；４−（６，６−ジメチルビシクロ［３．１．１］ヘプタ−２−エン−２−イル）ブタナール；２，８，８−トリメチルオクタヒドロ−２Ｈ−４ａ，２−（エポキシメタノ）ナフタレン−１０−オン；（Ｅ）−３，６，１０−トリメチルウンデカ−３，９−ジエン−２−オン；ヘプタデカン−１−オール；（Ｅ）−３−メチル−５−（２，２，３−トリメチルシクロペンタ−３−エン−１−イル）ペンタ−３−エン−２−オン；（Ｅ）−２−メチル−４−（２，６，６−トリメチルシクロヘキサ−２−エン−１−イル）ブタ−３−エナール；（Ｅ）−２，６，１０−トリメチルウンデカ−５，９−ジエン−１−オール；１−メチル−４−（４−メチルペンチル）シクロヘキサ−３−エン−１−カルバルデヒド；（Ｅ）−３−（ベンゾ［ｄ］［１，３］ジオキソール−５−イル）−２−メチルアクリルアルデヒド；（Ｒ，Ｅ）−１−（２，６，６−トリメチルシクロヘキサ−２−エン−１−イル）ペンタ−１−エン−３−オン；（Ｅ）−２，６，１０−トリメチルウンデカ−５，９−ジエナール；２，６−ジ−ｔｅｒｔ−ブチル−４−（ヒドロキシメチル）フェノール；（Ｚ）−２−ベンジリデンヘキサナール；（４Ｅ，６Ｅ）−７，１１−ジメチルドデカ−４，６，１０−トリエン−３−オン；２，５−ジ−ｔｅｒｔ−ブチルベンゼン−１，４−ジオール；２−メトキシ−４−（４−メチル−１，３−ジオキソラン−２−イル）フェノール；（Ｚ）−２−（フラン−２−イルメチレン）オクタナール；（Ｅ）−１−（４−メトキシフェニル）ペンタ−１−エン−３−オン；３−（４−イソプロピルフェニル）−２−メチルプロパン−１−オール；オクタデカン−１−オール；３−（４−ヒドロキシ−４−メチルペンチル）シクロヘキサ−３−エン−１−カルバルデヒド；（Ｅ）−１−（４−メトキシフェニル）−４−メチルペンタ−１−エン−３−オン；（２Ｒ，４ａＲ，８ａＳ）−１，１，５，５−テトラメチルヘキサヒドロ−２Ｈ−２，４ａ−メタノナフタレン−８（５Ｈ）−オン；（Ｅ）−２，３−ジメチル−４−（２，６，６−トリメチルシクロヘキサ−２−エン−１−イル）ブタ−３−エナール；（２Ｅ，６Ｅ）−３，７，１１−トリメチルドデカ−２，６，１０−トリエナール；（Ｚ）−オクタデカ−９−エン−１−オール；２−メチル−３−（（１，７，７−トリメチルビシクロ［２．２．１］ヘプタン−２−イル）オキシ）プロパン−１−オール；（Ｅ）−２−メチル−１−（２，６，６−トリメチルシクロヘキサ−２−エン−１−イル）ペンタ−１−エン−３−オン；３−（４−（ｔｅｒｔ−ブチル）フェニル）−２−メチルプロパン−１−オール；（Ｚ）−２−メチル−１−（２，２，６−トリメチルシクロヘキサ−３−エン−１−イル）ペンタ−１−エン−３−オン；３−（（２−イソプロピル−５−メチルシクロヘキシル）オキシ）プロパン−１，２−ジオール；（Ｚ）−２−ベンジリデンヘプタナール；（Ｅ）−２−（（１Ｓ，３ａＲ，４Ｓ，８ａＳ）−４，８，８−トリメチルデカヒドロ−１，４−メタノアズレン−９−イリデン）エタン−１−オール；６−イソプロピルオクタヒドロナフタレン−２（１Ｈ）−オン；２−エトキシ−４−（４−メチル−１，３−ジオキソラン−２−イル）フェノール；（（２Ｓ，４ａＲ）−１，１，５，５−テトラメチル−１，３，４，５，６，７−ヘキサヒドロ−２Ｈ−２，４ａ−メタノナフタレン−８−イル）メタノール；（オクタヒドロ−１Ｈ−４，７−メタノインデン−２，５−ジイル）ジメタノール；（Ｅ）−１−（３，５，６−トリメチルシクロヘキサ−３−エン−１−イル）ペンタ−１−エン−３−オン；（Ｅ）−１−（２，４，６−トリメチルシクロヘキサ−３−エン−１−イル）ペンタ−１−エン−３−オン；（２Ｅ，６Ｅ，９Ｅ）−２，６，１０−トリメチルドデカ−２，６，９，１１−テトラエナール；（Ｅ）−カルコン；（Ｅ）−５−メチル−１−（２，６，６−トリメチルシクロヘキサ−２−エン−１−イル）ヘキサ−１−エン−３−オン；５，５，７，８，８−ペンタメチル−５，６，７，８−テトラヒドロナフタレン−２−カルバルデヒド；（４Ｒ，４ａＳ，６Ｒ，８ａＳ）−４，４ａ−ジメチル−６−（プロパ−１−エン−２−イル）オクタヒドロナフタレン−２（１Ｈ）−オン；２−（１，１，２，３，３−ペンタメチル−２，３−ジヒドロ−１Ｈ−インデン−５−イル）プロパン−１−オール；４−（５，５，６−トリメチルビシクロ［２．２．１］ヘプタン−２−イル）シクロヘキサン−１−オール；３−（（２Ｒ）−５，５，６−トリメチルビシクロ［２．２．１］ヘプタン−２−イル）シクロヘキサン−１−オール；３−エチル−５，５，８，８−テトラメチル−５，６，７，８−テトラヒドロナフタレン−２−カルバルデヒド；３−（５，５−ジメチル−６−メチレンビシクロ［２．２．１］ヘプタン−２−イル）シクロヘキサン−１−オール；２−オクチルドデカン−１−オール；２−メトキシ−４−（１，７，７−トリメチルビシクロ［２．２．１］ヘプタン−２−イル）フェノール；（７Ｒ，１１Ｒ，Ｅ）−３，７，１１，１５−テトラメチルヘキサデカ−２−エン−１−オール；１−フェネトキシ−２−（ｐ−トリルオキシ）エタン−１−オール；（７−イソプロピル−１，４ａ−ジメチルテトラデカヒドロフェナントレン−１−イル）メタノール；（７−イソプロピル−１，４ａ−ジメチル−１，２，３，４，４ｂ，５，６，７，８，８ａ，９，１０−ドデカヒドロ−４ａｌ５−フェナントレン−１−イル）メタノール；（１Ｅ，６Ｅ）−１，７−ビス（４−ヒドロキシ−３−メトキシフェニル）ヘプタ−１，６−ジエン−３，５−ジオン；（２Ｅ，４Ｅ，６Ｅ，８Ｅ，１０Ｅ，１２Ｅ，１４Ｅ，１６Ｅ）−２，６，１１，１５−テトラメチル−１７−（２，６，６−トリメチルシクロヘキサ−１−エン−１−イル）ヘプタデカ−２，４，６，８，１０，１２，１４，１６−オクタエナール；及びこれらの混合物からなる群から選択される有益剤のフラグメントである。
【００４６】
消費者製品
消費者製品組成物であって、
ａ．）約０．００１％〜約１０％の、段落Ａ〜Ｉのシリコーン化合物と；
ｂ．）消費者製品成分と、を含み、好ましくは、該消費者製品成分は、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素、及び酵素安定剤、触媒材料、漂白剤、漂白活性剤、ポリマー分散剤、泥汚れ除去／再付着防止剤、光沢剤、抑泡剤、染料、紫外線吸収剤、香料、追加の香料送達系、構造弾性化剤、増粘剤／構造化剤、布地柔軟剤、キャリア、ヒドロトロープ、オリゴアミン、加工助剤、色調剤、顔料、並びにこれらの混合物からなる群から選択される、消費者製品組成物を開示する。
【００４７】
好ましくは、該消費者製品は、洗浄及び／又はトリートメント組成物、あるいは、本明細書に開示されるシリコーン化合物と、少なくとも１つの洗浄及び／若しくはトリートメント組成物又は布地ケア補助成分とを含み得る布地ケア組成物である。好ましくは、該消費者製品は、ビーズ又は単位用量製品である。
【００４８】
好ましくは、該ビーズは、ポリマー材料を含む固体粒子である。かかるポリマー材料の例としては、ポリエチレングリコール、デンプン及び多糖類、ポリビニルアルコール、セルロースが挙げられ得る。かかる粒子は、更に、追加の構成成分、例えば他の有益剤、無機充填剤、例えば炭酸塩、ケイ酸塩、クレイ、金属酸化物などを含んでよい。特に有用な粒子としては、ポリエチレングリコールに基づく粒子が挙げられる。
【００４９】
好ましくは、上記消費者製品はパッケージを含み、該パッケージは、該パッケージに取り付けられた又は付着された本明細書に開示されるシリコーン化合物を含む。このようなパッケージは、包装紙又は容器を含む任意の形態をとることができる。一態様では、本明細書に開示されるシリコーン化合物は、このようなパッケージの外面及び／又は内面に付着されても又は取り付けられてもよい。一態様では、上記パッケージは、キャップを含む容器を含んでもよく、本明細書に開示される上記シリコーン化合物は、上記キャップの外面又は内面に付着されても又は取り付けられてもよい。
【００５０】
本発明の消費者製品は、任意の好適な形態に配合され、配合者によって選択される任意のプロセスによって調製され得、その非限定例は、米国特許第５，８７９，５８４号；米国特許第５，６９１，２９７号；米国特許第５，５７４，００５号；米国特許第５，５６９，６４５号；米国特許第５，５６５，４２２号；米国特許第５，５１６，４４８号；米国特許第５，４８９，３９２号；米国特許第５，４８６，３０３号に記載され、これら特許文献の開示は参照により本明細書に組み込まれる。
【００５１】
使用方法及びトリートメントされる部位
本明細書に開示されるシリコーン化合物を含有する組成物は、ある部位、とりわけ表面又は布地を洗浄又はトリートメントするのに使用することができる。一般に、この部位の少なくとも一部を、無希釈形態で、又は液体（例えば、洗浄液）で希釈して、本出願人の組成物の実施形態と接触させた後、任意に、その部位を洗う及び／又はすすいでもよい。一態様では、ある部位が任意に洗う及び／又はすすがれ、本発明による粒子に又はかかる粒子を含む組成物に接触され、次に任意に洗う及び／又はすすがれる。本発明の目的に関して、洗浄は、こすり洗い及び機械的撹拌を含むが、これらに限定されない。布地は、標準的な消費者の使用条件で洗濯又はトリートメントすることが可能な、任意の布地を含み得る。開示の組成物を含み得る液体は、約３〜約１１．５のｐＨを有し得る。かかる組成物を、典型的には、溶液中約５００ｐｐｍ〜約１５，０００ｐｐｍの濃度で使用する。洗浄溶媒が水である場合、水の温度は通常約５〜約９０℃の範囲であり、部位が布地を含む場合、水対布地の比は通常約１：１〜約３０：１である。
【００５２】
一態様では、部位をトリートメント及び／又は洗浄する方法であって、
ａ．）かかる部位を任意に洗う、すすぎ、及び／又は乾燥することと、
ｂ．）該部位を本明細書に開示したシリコーン化合物、及び／又は本明細書に開示したシリコーン化合物を含む組成物と接触させることと；
ｃ．）かかる部位を任意に洗う、すすぎ、及び／又は乾燥することと、
を含む、方法が開示される。前述した乾燥は、外干し乾燥（line drying）などの受動的乾燥、及び／又はドライヤを用いるなどの能動的乾燥であってもよい。
【００５３】
一態様では、本明細書に開示されるシリコーン化合物、及び／又は本明細書に開示されるシリコーン化合物を含む組成物を開示する。
【００５４】
シリコーン化合物を含むディスプレイ
一態様では、シリコーン化合物を含むディスプレイを開示する。このようなディスプレイは、消費者製品などの製品に注意を引き、製品の販売を全体的又は部分的に促進及び／又は補助するために使用されてもよい。本発明のシリコーン化合物は、このようなディスプレイの任意の場所に付着され又は取り付けられてもよい。このようなディスプレイは、ポスター、販売及び／又はマーケティング資料、又は容器を含む、任意の形態をとることができる。一態様では、本明細書に開示されるシリコーン化合物は、このようなディスプレイの外面及び／又は内面に付着される又は取り付けられる。
【００５５】
本明細書に記載される有益剤及び芳香原料は、以下の供給元：Ｎｅｗ  Ｙｏｒｋ，  ＮＹ  ＵＳＡのＩｎｔｅｒｎａｔｉｏｎａｌ  Ｆｌａｖｏｒｓ  ａｎｄ  Ｆｒａｇｒａｎｃｅｓ；Ｖｅｒｎｉｅｒ，ＳｗｉｔｚｅｒｌａｎｄのＧｉｖａｕｄａｎ；Ｇｅｎｅｖａ，ＳｗｉｔｚｅｒｌａｎｄのＦｉｒｍｅｎｉｃｈ；Ｈｏｌｚｍｉｎｄｅｎ，ＧｅｒｍａｎｙのＳｙｍｒｉｓｅ；Ｔｏｋｙｏ，ＪａｐａｎのＫａｏ；Ｔｏｋｙｏ，ＪａｐａｎのＴａｋａｓａｇｏ；及びＴｅｌ−Ａｖｉｖ，ＩｓｒａｅｌのＦｌｏｒａｓｙｎｔｈのうちの１社以上から得ることができる。
【００５６】
有益剤送達組成物の製造プロセス
本出願に開示されるシリコーン化合物は、本明細書に開示した教示及び例により生成されてもよい。
【００５７】
シリコーン化合物に関する好適な形態としては、粒塊、エマルション、溶液、小球、ビーズ及びカプセル化物を含む固体及び流体が挙げられる。
【００５８】
一態様では、シリコーン化合物は、予め作製され、消費者製品、又は消費者製品に関する中間物に添加される。
【００５９】
一態様では、シリコーン化合物の構成成分は、消費者製品、又は消費者製品に関する中間物に添加され、シリコーン化合物は、その場で形成される。
【００６０】
一態様では、シリコーン化合物の構成成分は、消費者製品に別々に添加され、消費者による使用の前、使用中及び／又は使用後に消費者製品中でシリコーン化合物を形成することができる。
【００６１】
一態様では、追加の有益剤及び／又は有益剤送達系、例えば香料及び／又はカプセル化香料を使用して粒子、ビーズ及び／又は粒塊を形成するとき、上記追加の有益剤及び／又は有益剤送達系を上記粒子、ビーズ及び／又は粒塊に添加する前、添加中、又は添加した後に、本発明のシリコーン化合物を添加することができる。
【００６２】
一態様では、追加の有益剤及び／又は有益剤送達系、例えば香料及び／又はカプセル化香料を使用するとき、上記追加の有益剤及び／又は有益剤送達系を消費者に添加する前、添加中、又は添加した後に、本発明のシリコーン化合物を添加することができる。
【００６３】
本明細書に開示するプロセスで用いるのに好適な設備としては、連続攪拌槽型反応器、ホモジナイザー、タービン攪拌器、再循環ポンプ、パドルミキサー、プラウシェアミキサー（ploughshear mixer）、リボンブレンダー、縦軸造粒機、二軸押出成形機及びドラムミキサー（両方とも、バッチ式及び入手可能なときは連続プロセス構成である）、噴霧乾燥機、並びに押出成形機を挙げることができる。このような設備は、Ｌｏｄｉｇｅ  ＧｍｂＨ（Ｐａｄｅｒｂｏｒｎ，Ｇｅｒｍａｎｙ）、Ｌｉｔｔｌｅｆｏｒｄ  Ｄａｙ，  Ｉｎｃ．（Ｆｌｏｒｅｎｃｅ，Ｋｅｎｔｕｃｋｙ，Ｕ．Ｓ．Ａ．）、Ｆｏｒｂｅｒｇ  ＡＳ（Ｌａｒｖｉｋ，Ｎｏｒｗａｙ）、Ｇｌａｔｔ  Ｉｎｇｅｎｉｅｕｒｔｅｃｈｎｉｋ  ＧｍｂＨ（Ｗｅｉｍａｒ，Ｇｅｒｍａｎｙ）、Ｎｉｒｏ（Ｓｏｅｂｏｒｇ，Ｄｅｎｍａｒｋ）、Ｈｏｓｏｋａｗａ  Ｂｅｐｅｘ  Ｃｏｒｐ．（Ｍｉｎｎｅａｐｏｌｉｓ，Ｍｉｎｎｅｓｏｔａ，ＵＳＡ）、Ａｒｄｅ  Ｂａｒｉｎｃｏ（Ｎｅｗ  Ｊｅｒｓｅｙ，ＵＳＡ）、Ｗｅｎｇｅｒ（Ｓａｂｅｔｈａ，Ｋａｎｓａｓ  ＵＳＡ）から入手可能である。
【００６４】
シリコーン化合物を含む組成物
本出願人らの組成物は、本出願に開示されるシリコーン化合物の実施形態を含む。一態様では、このような組成物は消費者製品であり得る。使用されるシリコーン化合物の正確な濃度は、かかる組成物を含む製品の種類及び最終用途に依存するが、洗浄及び／又は布地トリートメント製品を含む消費者製品は、製品の総重量を基準として、約０．００１％〜約２５％、約０．０１％〜約５％、又は更には約０．０５％〜約３％のシリコーン化合物を含むことができる。
【００６５】
一態様では、本出願に開示したシリコーン化合物の実施形態は、固体粒子、特にポリマー系粒子とされる。かかるポリマー粒子の例としては、ポリエチレングリコール、デンプン及び多糖類、ポリビニルアルコール、セルロースを含む粒子が挙げられ得る。かかる粒子は、更に、追加の構成成分、例えば他の有益剤、無機充填剤、例えば炭酸塩、ケイ酸塩、クレイ、金属酸化物などを含んでよい。特に有用な粒子としては、ポリエチレングリコールに基づく粒子が挙げられる。
【００６６】
補助材料
本発明の各消費者製品の実施形態に必須ではないが、以下に例示される補助剤の非限定的なリストは、本消費者製品における使用に好適であり、例えば、性能を補助若しくは向上させるために、クリーニングされる基材のトリートメントのために、又は香料、着色剤、染料などを用いる場合のように組成物の審美性を変化させるために、望ましくは本発明の特定の実施形態に組み込まれてもよい。これらの追加の構成成分の正確な性質及びそれを組み込む濃度は、組成物の物理形態及び使用される作業の性質に依存する。好適な補助物質としては、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素、及び酵素安定剤、触媒材料、漂白剤、漂白活性剤、ポリマー分散剤、泥汚れ除去／再付着防止剤、光沢剤、抑泡剤、染料、紫外線吸収剤、香料及び香料送達系、構造弾性化剤、増粘剤／構造化剤、布地柔軟剤、キャリア、ヒドロトロープ、オリゴアミン、加工助剤、色調剤、並びに／又は顔料が挙げられるが、これらに限られない。
【００６７】
上述のように、補助成分は、本発明の各消費者製品の実施形態に必須のものではない。したがって、本出願者らの組成物の特定の実施形態は、以下の補助成分、すなわち、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素、及び酵素安定剤、触媒材料、漂白剤、漂白活性剤、ポリマー分散剤、泥汚れ除去／再付着防止剤、光沢剤、抑泡剤、染料、紫外線吸収剤、香料及び香料送達系、構造弾性化剤、増粘剤／構造化剤、布地柔軟剤、担体、ヒドロトロープ、オリゴアミン、加工助剤、色調剤、及び／又は顔料の１種以上を含有しない。しかし、１種以上の補助剤が存在する場合、このような１種以上の補助剤は、以下に詳述されている通り存在してもよい。
【００６８】
好適な布地柔軟剤活性物質
本明細書に開示する流体布地強化剤組成物は、布地柔軟剤活性物質（「ＦＳＡ」）を含む。好適な布地柔軟化活性物質には、四級アンモニウム化合物（クワット）、アミン、脂肪エステル、ショ糖エステル、シリコーン、分散性ポリオレフィン、粘土、多糖類、脂肪酸、軟化油、ポリマーラテックス、及びこれらの混合物からなる群から選択される物質が挙げられるが、これらに限定されない。
【００６９】
クワット−好適なクワットとしては、第四級アンモニウムエステル、アミドクォート、イミダゾリンクォート、アルキルクォート、アミドエステル（amdioester）クォート、及びこれらの混合物からなる群から選択される材料が挙げられるが、これらに限定されない。
【００７０】
第四級アンモニウムエステル柔軟化活性物質は、組成物の３．０重量％〜２５．０重量％、より好ましくは４．０重量％〜１８重量％、更により好ましくは４．５重量％〜１５重量％の濃度で存在し得る。第四級アンモニウムエステル柔軟化活性物質の濃度は、組成物（希釈又は濃縮組成物）中の全柔軟化活性物質の所望の濃度、及び他の柔軟化活性物質の有無に依存し得る。より高いＦＳＡ濃度により柔軟性の利益は改善されるが、不安定性に対するリスクは、通常、より高いＦＳＡ濃度を有する布地柔軟剤組成物においてより高くなる。
【００７１】
好適な第四級アンモニウムエステル柔軟化活性物質としては、以下に限定されないが、モノエステルクワット、ジエステルクワット、トリエステルクワット及びこれらの混合物からなる群から選択される物質が挙げられる。好ましくは、モノエステルクワットの濃度は、全第四級アンモニウムエステル柔軟化活性物質の２．０重量％〜４０．０重量％であり、ジエステルクワットの濃度は、４０．０重量％〜９８．０重量％であり、トリエステルクワットの濃度は、０．０重量％〜２５．０重量％である。
【００７２】
当該第四級アンモニウムエステル柔軟化活性物質は、以下の式の化合物を含んでよく、
｛Ｒ２（４−ｍ）−Ｎ＋−［Ｘ−Ｙ−Ｒ１］ｍ｝Ａ−
（式中、
ｍは、１、２又は３であり、但し、各ｍの値は同一であり、
各Ｒ１は、独立して、ヒドロカルビル基又は分枝状ヒドロカルビル基であり、好ましくは、Ｒ１は直鎖状であり、より好ましくは、Ｒ１は、部分不飽和直鎖状アルキル鎖であり、
各Ｒ２は、独立して、Ｃ１〜Ｃ３アルキル基又はヒドロキシアルキル基であり、好ましくは、Ｒ２は、メチル、エチル、プロピル、ヒドロキシエチル、２−ヒドロキシプロピル、１−メチル−２−ヒドロキシエチル、ポリ（Ｃ２〜３アルコキシ）、ポリエトキシ、ベンジルから選択され、
各Ｘは、独立して、−（ＣＨ２）ｎ−、−ＣＨ２−ＣＨ（ＣＨ３）−又は−ＣＨ−（ＣＨ３）−ＣＨ２−であり、
各ｎは、独立して、１、２、３又は４であり、好ましくは、各ｎは２であり、
各Ｙは、独立して、−Ｏ−（Ｏ）Ｃ−又は−Ｃ（Ｏ）−Ｏ−であり、
Ａ−は、独立して、塩化物、硫酸メチル、及び硫酸エチルからなる群から選択され、好ましくはＡ−は塩化物及び硫酸メチルからなる群から選択され、
但し、Ｙが−Ｏ−（Ｏ）Ｃ−であるとき、各Ｒ１における炭素の合計は１３〜２１、好ましくは１３〜１９である。好ましくは、第四級アンモニウムエステル柔軟化活性物質の加水分解安定性を改善するために、ひいては布地柔軟剤組成物の安定性を更に改善するために、Ｘは、−ＣＨ２−ＣＨ（ＣＨ３）−又は−ＣＨ−（ＣＨ３）−ＣＨ２−である。
【００７３】
好ましい液体布地柔軟剤組成物では、第四級アンモニウム布地柔軟化活性物質を形成する親脂肪酸のヨウ素価は、０〜１００、より好ましくは１０〜６０、更により好ましくは１５〜４５である。
【００７４】
好適な第四級アンモニウムエステル柔軟化活性物質の例は、ＫＡＯ  ＣｈｅｍｉｃａｌｓからＴｅｔｒａｎｙｌ  ＡＴ−１及びＴｅｔｒａｎｙｌ  ＡＴ−７５９０という商品名で、ＥｖｏｎｉｋからＲｅｗｏｑｕａｔ  ＷＥ１６  ＤＰＧ、Ｒｅｗｏｑｕａｔ  ＷＥ１８、Ｒｅｗｏｑｕａｔ  ＷＥ２０、Ｒｅｗｏｑｕａｔ  ＷＥ２８及びＲｅｗｏｑｕａｔ  ３８  ＤＰＧという商品名で、ＳｔｅｐａｎからＳｔｅｐａｎｔｅｘ  ＧＡ９０、Ｓｔｅｐａｎｔｅｘ  ＶＲ９０、Ｓｔｅｐａｎｔｅｘ  ＶＫ９０、Ｓｔｅｐａｎｔｅｘ  ＶＡ９０、Ｓｔｅｐａｎｔｅｘ  ＤＣ９０、Ｓｔｅｐａｎｔｅｘ  ＶＬ９０Ａという商品名で市販されている。
【００７５】
これらのタイプの薬剤及びそれらの一般的な製造方法は、米国特許第４，１３７，１８０号に開示されている。
【００７６】
シリコーン
一実施形態において、布地柔軟化組成物は、シリコーンを含む。シリコーンの好適な濃度は、当該組成物の約０．１重量％〜約７０重量％、代替的に約０．３重量％〜約４０重量％、代替的に約０．５重量％〜約３０重量％、代替的に約１重量％〜約２０重量％を含み得る。有用なシリコーンは、任意のシリコーン含有化合物であり得る。一実施形態において、シリコーンポリマーは、環状シリコーン、ポリジメチルシロキサン、アミノシリコーン、カチオン性シリコーン、シリコーンポリエーテル、シリコーン樹脂、シリコーンウレタン、及びこれらの混合物からなる群から選択される。一実施形態において、シリコーンは、ポリジアルキルシリコーン、代替的にポリジメチルシリコーン（ポリジメチルシロキサン又は「ＰＤＭＳ」）、又はこれらの誘導体である。別の実施形態において、シリコーンは、アミノ官能性シリコーン、アミノ−ポリエーテルシリコーン、アルキルオキシ化シリコーン、カチオン性シリコーン、エトキシル化シリコーン、プロポキシ化シリコーン、エトキシル化／プロポキシ化シリコーン、第四級シリコーン、又はこれらの組み合わせから選択される。
【００７７】
界面活性剤
いくつかの例では、追加の界面活性剤は、１種以上のアニオン性界面活性剤を含む。いくつかの例では、追加の界面活性剤は、１種以上のアニオン性界面活性剤から本質的になってもよく、又は更には１種以上のアニオン性界面活性剤からなってもよい。
【００７８】
好適なアニオン性界面活性剤の具体的な非限定例としては、任意の従来のアニオン性界面活性剤が挙げられる。これは、例えばアルコキシル化及び／又は非アルコキシル化アルキル硫酸塩材料用の硫酸塩洗浄性界面活性剤、及び／又はスルホン酸系洗浄性界面活性剤、例えばアルキルベンゼンスルホネートを含んでもよい。
【００７９】
アルコキシル化アルキル硫酸塩材料は、アルキルエーテル硫酸塩又はアルキルポリエトキシレート硫酸塩としても既知のエトキシル化アルキル硫酸塩界面活性剤を含む。エトキシル化アルキルサルフェートの例としては、水溶性塩、特に約８個〜約３０個の炭素原子を含有するアルキル基並びにスルホン酸及びその塩を分子構造の中に有する有機硫黄化合物のアルカリ金属塩、アンモニウム塩、及びアルキロールアンモニウム塩が挙げられる。（「アルキル」という用語には、アシル基のアルキル部分が含まれる。いくつかの例では、アルキル基は、約１５個の炭素原子〜約３０個の炭素原子を含有する。別の例では、アルキルエーテルサルフェート界面活性剤は、約１２個〜３０個の炭素原子の範囲内の平均（算術平均）炭素鎖長、及びいくつかの例では約１２個〜１５個の炭素原子の平均炭素鎖長、並びに約１ｍｏｌ〜４ｍｏｌのエチレンオキシドの平均（算術平均）エトキシル化度、及びいくつかの例では約１．８ｍｏｌから約４ｍｏｌのエチレンオキシドの平均（算術平均）エトキシル化度を有する、アルキルエーテルサルフェートの混合物であってもよい。更なる例では、アルキルエーテル硫酸塩界面活性剤は、約１０個の炭素原子〜約１８個の炭素原子の炭素鎖長、及び約１〜約６モルのエチレンオキシドのエトキシル化度を有していてよい。更なる例では、本アルキルエーテルサルフェート界面活性剤は、ピークのあるエトキシル化分布を含んでもよい。
【００８０】
非エトキシル化アルキルサルフェートはまた、開示されているクリーニング組成物に添加されて、アニオン性界面活性剤の構成成分として使用されてもよい。非アルコキシル化、例えば、非エトキシル化アルキル硫酸塩界面活性剤の例としては、高級Ｃ８〜Ｃ２０脂肪族アルコールの硫酸化によって生成されるものが挙げられる。いくつかの例では、一級アルキル硫酸塩界面活性剤は、一般式：ＲＯＳＯ３−Ｍ＋（式中、Ｒは、典型的には、直鎖状Ｃ８〜Ｃ２０ヒドロカルビル基（この基は、直鎖状であっても分枝鎖状であってもよい）であり、Ｍは、水可溶化カチオンである）を有する。いくつかの例では、Ｒは、Ｃ１０〜Ｃ１５アルキルであり、Ｍは、アルカリ金属である。他の例では、Ｒは、Ｃ１２〜Ｃ１４アルキルであり、Ｍは、ナトリウムである。
【００８１】
他の有用なアニオン性界面活性剤は、アルキル基が約９個〜約１５個の炭素原子を直鎖状（線状）又は分枝鎖状の配置で含有する、アルキルベンゼンスルホネートのアルカリ金属塩を含み得る。いくつかの例では、アルキル基は、直線状である。かかる直鎖状アルキルベンゼンスルホネートは、「ＬＡＳ」として既知である。他の例では、直鎖状アルキルベンゼンスルホネートは、アルキル基中に約１１個〜１４個の平均炭素原子数を有していてよい。具体的な例では、線状直鎖状アルキルベンゼンスルホネートは、アルキル基中に約１１．８個の炭素原子の平均炭素原子数を有していてよく、これはＣ１１．８ＬＡＳと略される場合もある。
【００８２】
好適なアルキルベンゼンスルホネート（ＬＡＳ）は、市販の直線状アルキルベンゼン（ＬＡＢ）をスルホン化することによって得ることができる。好適なＬＡＢとしては、商標名Ｉｓｏｃｈｅｍ（登録商標）としてＳａｓｏｌによって供給されているもの又は商標名Ｐｅｔｒｅｌａｂ（登録商標）としてＰｅｔｒｓａによって供給されているものなどの低２−フェニルＬＡＢが挙げられ、他の好適なＬＡＢとしては、商標名Ｈｙｂｌｅｎｅ（登録商標）としてＳａｓｏｌによって供給されているものなどの高２−フェニルＬＡＢが挙げられる。好適なアニオン性洗浄性界面活性剤は、ＤＥＴＡＬ触媒プロセスによって得られるアルキルベンゼンスルホネートであるが、ＨＦなどの他の合成経路が好適な場合もある。一態様では、ＬＡＳのマグネシウム塩を用いる。
【００８３】
非イオン性界面活性剤
いくつかの態様では、追加の界面活性剤は、１つ以上の非イオン性界面活性剤を含む。特定の態様では、洗剤組成物は、本組成物の重量基準で、約０．１％〜約４０％の、１つ以上の非イオン性界面活性剤から選択される追加の界面活性剤を含む。特定の態様では、洗剤組成物は、本組成物の重量基準で、約０．１％〜約１５％の、１つ以上の非イオン性界面活性剤から選択される追加の界面活性剤を含む。更なる態様では、洗剤組成物は、本組成物の重量基準で、約０．３％〜約１０％の、１つ以上の非イオン性界面活性剤から選択される追加の界面活性剤を含む。
【００８４】
本明細書で有用な好適な非イオン性界面活性剤は、任意の従来の非イオン性界面活性剤を含むことができる。これらには、例えば、アルコキシル化脂肪族アルコール、及びアミンオキシド界面活性剤が含まれ得る。いくつかの例では、本洗浄組成物は、エトキシル化非イオン性界面活性剤を含有してもよい。非イオン性界面活性剤は、式Ｒ（ＯＣ２Ｈ４）ｎＯＨ（式中、Ｒは、約８〜約１７個の炭素原子を含有する脂肪族炭化水素ラジカル、及びアルキル基が約８〜約１２個の炭素原子を含有するアルキルフェニルラジカルからなる群から選択され、ｎの平均値は、約５〜約１５である）のエトキシル化アルコール及びエトキシル化アルキルフェノールから選択され得る。一例では、非イオン性界面活性剤は、アルコール中に平均約２４個の炭素原子及びアルコール１モル当たりエチレンオキシド約９モルの平均エトキシル化度を有する、エトキシル化アルコールから選択される。
【００８５】
本明細書で有用な、非イオン性界面活性剤のその他の非限定例としては、Ｃ８〜Ｃ１８アルキルエトキシレート（Ｓｈｅｌｌからの、ＮＥＯＤＯＬ（登録商標）非イオン性界面活性剤など）、アルコキシレート単位がエチレンオキシ単位、プロピレンオキシ単位、又はこれらの混合物であり得るＣ６〜Ｃ１２アルキルフェノールアルコキシレート、Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）、Ｃ１４〜Ｃ２２中鎖分枝状アルコール、アルキルポリ多糖、ポリヒドロキシ脂肪酸アミド及びエーテルキャップされた（capped）ポリ（オキシアルキル化）アルコール界面活性剤が挙げられる。
【００８６】
カチオン性界面活性剤
いくつかの例では、追加の界面活性剤は、１つ以上のカチオン性界面活性剤を含む。
【００８７】
特定の態様では、洗剤組成物は、本組成物の重量基準で、約０．１％〜約１０％の、１つ以上のカチオン性界面活性剤から選択される追加の界面活性剤を含む。特定の態様では、洗剤組成物は、本組成物の重量基準で、約０．１％〜約７％の、１つ以上のカチオン性界面活性剤から選択される追加の界面活性剤を含む。更なる態様では、洗剤組成物は、本組成物の重量基準で、約０．３％〜約５％の、１つ以上のカチオン性界面活性剤から選択される追加の界面活性剤を含む。
【００８８】
酵素
本明細書において記載されているクリーニング組成物は、クリーニング性能及び／又は布地ケア効果をもたらす１つ以上の酵素を含み得る。好適な酵素の例としては、以下に限定されないが、ヘミセルラーゼ、ペルオキシダーゼ、プロテアーゼ、セルラーゼ、キシラナーゼ、リパーゼ、キシログルカナーゼ、ホスホリパーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられる。典型的な組み合わせは、例えば、プロテアーゼ及びリパーゼをアミラーゼと共に含んでよい酵素カクテルである。前述の追加の酵素は、洗剤組成物中に存在する場合、洗剤組成物の約０．００００１重量％〜約２重量％、約０．０００１重量％〜約１重量％、又は更には約０．００１重量％〜約０．５重量％の酵素たんぱく質レベルで存在し得る。
【００８９】
構造化剤／増粘剤
ｉ．非細菌由来セルロース繊維
一態様において、本組成物は、組成物の約０．０１〜約５重量％のセルロース繊維を更に含むことができる。当該セルロース繊維は、野菜、果物又は木材から抽出することができる。市販の例は、ＦＭＣ製のＡｖｉｃｅｌ（登録商標）、Ｆｉｂｅｒｓｔａｒ製のＣｉｔｒｉ−Ｆｉ、又はＣｏｓｕｎ製のＢｅｔａｆｉｂである。
【００９０】
ｉｉ．非高分子結晶質ヒドロキシル官能性材料
一態様において、本組成物は、組成物の約０．０１〜約１重量％の非ポリマー結晶性ヒドロキシル官能性構造化剤を更に含むことができる。当該非ポリマー結晶性ヒドロキシル官能性構造化剤は、一般的に、最終流体洗剤組成物への分散を補助するために、事前乳化が可能な結晶性グリセリドを含むことができる。一態様では、結晶性グリセリドは、液体洗剤組成物において結晶化させることが可能な限り、硬化ヒマシ油すなわち「ＨＣＯ」、又はその誘導体を挙げることができる。
【００９１】
ｉｉｉ．高分子構造化剤
本発明の流体洗剤組成物は、約０．０１重量％〜約５重量％の天然由来及び／又は合成のポリマー構造化剤を含むことができる。本発明において使用される天然由来のポリマー構造化剤の例としては、ヒドロキシエチルセルロース、疎水変性ヒドロキシエチルセルロース、カルボキシメチルセルロース、多糖誘導体、及びこれらの混合物が挙げられる。好適な多糖類誘導体としては、ペクチン、アルギネート、アラビノガラクタン（アラビアガム）、カラギーナン、ジェランガム、キサンタンガム、グアーガム、及びこれらの混合物が挙げられる。本発明において使用する合成ポリマー構造化剤の例としては、ポリカルボキシレート、ポリアクリレート、疎水修飾エトキシル化ウレタン、疎水修飾非イオン性ポリオール、及びこれらの混合物が挙げられる。一態様において、当該ポリカルボキシレートポリマーは、ポリアクリレート、ポリメタクリレート、又はこれらの混合物である。別の態様では、ポリアクリレートは、不飽和モノ又はジ炭酸と、（メタ）アクリル酸のＣ１〜Ｃ３０アルキルエステルとのコポリマーである。当該コポリマーは、Ｃａｒｂｏｐｏｌ  Ａｑｕａ  ３０という商標名でＮｏｖｅｏｎ  ｉｎｃから入手可能である。
【００９２】
アミン
本明細書で記載されるクリーニング組成物において、汚れた素材からのグリース及び粒子の除去を向上するために様々なアミンが使用され得る。本明細書において記載されている洗剤組成物は、洗浄組成物の重量基準で、約０．１％〜約１０％、いくつかの例では、約０．１％〜約４％、及び別の例では、約０．１％〜約２％の追加アミンを含み得る。アミンの非限定例としては、以下に限定されないが、ポリアミン、オリゴアミン、トリアミン、ジアミン、ペンタアミン、テトラアミン、ポリエーテルアミン、又はそれらの組み合わせが挙げられる。好適な追加アミンの具体例としては、テトラエチレンペンタアミン、トリエチレンテトラアミン、ジエチレントリアミン、ポリエーテルアミン、又はそれらの混合物が挙げられる。好適なポリエーテルアミンは、式（Ｉ）の構造により表される。
【００９３】
【化１５】
2020525602.tif 000016
（式中、Ｒ１〜Ｒ６のそれぞれは、独立して、Ｈ、アルキル、シクロアルキル、アリール、アルキルアリール、又はアリールアルキルから選択され、Ｒ１〜Ｒ６のうちの少なくとも１つはＨとは異なり、Ｒ１〜Ｒ６のうちの少なくとも１つは、典型的には、２個〜８個の炭素原子を有するアルキル基であり、Ａ１〜Ａ６のそれぞれは、独立して、２個〜１８個の炭素原子、典型的には２個〜１０個の炭素原子、より典型的には２個〜５個の炭素原子を有する線状又は分枝状アルキレンから選択され、Ｚ１〜Ｚ２のそれぞれは、独立して、ＯＨ又はＮＨ２から選択され、Ｚ１〜Ｚ２のうちの少なくとも１つは、ＮＨ２であり、典型的にはＺ１及びＺ２のそれぞれは、ＮＨ２であり、ｘ＋ｙの合計は、約２〜約２００、典型的には約２〜約２０又は約３〜約２０、より典型的には約２〜約１０又は約３〜約８又は約４〜約６の範囲内であり、ｘ≧１及びｙ≧１であり、ｘ１＋ｙ１の合計は、約２〜約２００、典型的には約２〜約２０又は約３〜約２０、より典型的には約２〜約１０又は約３〜約８又は約２〜約４の範囲内であり、ｘ１≧１及びｙ１≧１である）の構造により表される。好適な別のポリエーテルアミンは、式（ＩＩ）の構造により表される。
【００９４】
【化１６】
2020525602.tif 000017
（式中、Ｒ７〜Ｒ１２のそれぞれは、独立して、Ｈ、アルキル、シクロアルキル、アリール、アルキルアリール、又はアリールアルキルから選択され、Ｒ７〜Ｒ１２のうちの少なくとも１つはＨとは異なり、Ｒ７〜Ｒ１２のうちの少なくとも１つは、典型的には２個〜８個の炭素原子を有するアルキル基であり、Ａ７〜Ａ９のそれぞれは、独立して、２個〜１８個の炭素原子、典型的には２個〜１０個の炭素原子、より典型的には２個〜５個の炭素原子を有する線状又は分枝状アルキレンから選択され、Ｚ３〜Ｚ４のそれぞれは、独立して、ＯＨ又はＮＨ２から選択され、Ｚ３〜Ｚ４のうちの少なくとも１つは、ＮＨ２であり、典型的にはＺ３及びＺ４のそれぞれは、ＮＨ２であり、ｘ＋ｙの合計は、約２〜約２００、典型的には約２〜約２０又は約３〜約２０、より典型的には約２〜約１０又は約３〜約８又は約２〜約４の範囲内であり、ｘ≧１及びｙ≧１であり、ｘ１＋ｙ１の合計は、約２〜約２００、典型的には約２〜約２０又は約３〜約２０、より典型的には約２〜約１０又は約３〜約８又は約２〜約４の範囲内であり、ｘ１≧１及びｙ１≧１である）の構造により表される。
【００９５】
好適な別のポリエーテルアミンは、式（ＩＩＩ）の構造により表される。
【００９６】
【化１７】
2020525602.tif 000018
【００９７】
溶媒−好適な溶媒としては、以下に限定されないが、水、アルコール、パラフィン、グリコール、グリセロール、及びこれらの混合物が挙げられる。
【００９８】
漂白剤−本発明の洗剤組成物は、１つ以上の漂白剤を含んでよい。漂白触媒以外の好適な漂白剤は、光触媒、漂白活性剤、過酸化水素、過酸化水素源、予形成過酸、及びこれらの混合物を含む。一般に、漂白剤を用いる場合、本発明の洗剤組成物は、洗剤組成物の約０．１重量％〜約５０重量％又は更には約０．１重量％〜約２５重量％の漂白剤を含み得る。好適な漂白剤の例としては以下が挙げられる。
（１）光漂白剤、例えば、スルホン化亜鉛フタロシアニン、スルホン化アルミニウムフタロシアニン、キサンテン染料、及びこれらの混合物。
（２）予め形成させた過酸：好適な予め形成させた過酸としては、以下に限定されないが、過カルボン酸及び塩、過炭酸及び塩、過イミド酸及び塩、ペルオキシ一硫酸及び塩、例えば、Ｏｘｏｎｅ（登録商標）、並びにこれらの混合物からなる群から選択される化合物が挙げられる。好適な過カルボン酸としては、式Ｒ−（Ｃ＝Ｏ）Ｏ−Ｏ−Ｍ（式中、Ｒはアルキル基であり、任意に分岐しており、過酸が疎水性の場合、６個〜１４個の炭素原子、又は８個〜１２個の炭素原子を有しており、過酸が親水性の場合、６個未満の炭素原子、又は更には４個未満の炭素原子を有しており；Ｍは、対イオン、例えば、ナトリウム、カリウム又は水素である）を有する疎水性及び親水性過酸が挙げられる。
（３）過酸化水素源、例えば、過ホウ酸塩（通常、一水和物又は四水和物）、過炭酸塩、過硫酸塩、過リン酸塩、過ケイ酸塩及びこれらの混合物のナトリウム塩などのアルカリ金属塩を含む、無機過水和物の塩。本発明の一態様では、無機過水和物の塩は、過ホウ酸ナトリウム塩、過炭酸ナトリウム塩、及びこれらの混合物からなる群から選択される。無機過水和物の塩は、使用する場合、典型的には、布地ケア及びホームケア製品全体の０．０５〜４０重量％又は１〜３０重量％の量で存在し、典型的には、コーティングされ得る結晶性固体としてこのような布地ケア及びホームケア製品に配合される。好適なコーティングとしては、無機塩、例えば、アルカリ金属ケイ酸塩、炭酸塩若しくはホウ酸塩又はこれらの混合物、又は有機物質、例えば、水溶性若しくは分散性ポリマー、ワックス、油又は脂肪石鹸などが挙げられる。
（４）Ｒ−（Ｃ＝Ｏ）−Ｌ（式中、Ｒはアルキル基であり、任意に分岐しており、漂白活性剤が疎水性である場合、６個〜１４個の炭素原子、又は８個〜１２個の炭素原子を有し、漂白活性剤が親水性である場合、６つ未満の炭素原子又は更には４つ未満の炭素原子を有し、Ｌは脱離基である）を有する漂白活性剤。好適な脱離基の例は、安息香酸及びその誘導体、特にベンゼンスルホネートである。好適な漂白活性剤としては、ドデカノイルオキシベンゼンスルホネート、デカノイルオキシベンゼンスルホネート、デカノイルオキシ安息香酸又はその塩、３，５，５−トリメチルヘキサノイルオキシベンゼンスルホネート、テトラアセチルエチレンジアミン（ＴＡＥＤ）及びノナノイルオキシベンゼンスルホネート（ＮＯＢＳ）が挙げられる。いかなる好適な漂白活性剤も使用してもよいが、本発明の一態様では、対象の洗剤組成物は、ＮＯＢＳ、ＴＡＥＤ又はそれらの混合物を含んでもよい。
【００９９】
過酸及び／又は漂白活性剤は、存在する場合、一般に、布地ケア及びホームケア製品に対して、約０．１〜約６０重量％、約０．５〜約４０重量％、又は更には約０．６〜約１０重量％の量で洗剤組成物中に存在する。１種以上の疎水性過酸又はその前駆体は、１種以上の親水性過酸又はその前駆体と組み合わせて使用することができる。
【０１００】
有効酸素（過酸化物源由来）の過酸に対するモル比が１：１〜３５：１、又は更には２：１〜１０：１になるように、過酸化水素源及び過酸又は漂白活性剤の量を選択してもよい。
【０１０１】
光沢剤
蛍光光沢剤若しくはその他の光沢剤、又は白化剤は、組成物の重量基準で、約０．０１％〜約１．２％のレベルで本明細書に記載されている洗浄組成物に配合することができる。本発明に好適な市販の蛍光光沢剤は、サブグループに分類することができ、スチルベン、ピラゾリン、クマリン、ベンゾキサゾール、カルボン酸、メチンシアニン、ジベンゾチオフェン−５，５−ジオキシド、アゾール、５及び６員環の複素環、並びに他の様々な物質の誘導体を含むが、これらに限定されない。
【０１０２】
いくつかの例では、本明細書の蛍光光沢剤は、式（１）の化合物を含む。
【０１０３】
【化１８】
2020525602.tif 000019
［式中、Ｘ１、Ｘ２、Ｘ３、及びＸ４は−Ｎ（Ｒ１）Ｒ２であり、式中、Ｒ１及びＲ２は、独立して、水素、フェニル、ヒドロキシエチル、又は非置換若しくは置換Ｃ１〜Ｃ８アルキルから選択されるか、又は−Ｎ（Ｒ１）Ｒ２は複素環を形成し、好ましくはＲ１及びＲ２は水素又はフェニルから選択されるか、又は−Ｎ（Ｒ１）Ｒ２は非置換又は置換モルホリン環を形成し；Ｍは水素又はカチオンであり、好ましくはＭはナトリウム又はカリウムであり、より好ましくはＭはナトリウムである］の化合物を含む。
【０１０４】
水溶性フィルム
本発明の組成物はまた、水溶性フィルム内にカプセル化されてもよい。好ましいフィルム材料は、好ましくはポリマー材料である。フィルム材料を、当該技術分野において公知の、例えば、ポリマー材料の注型成形、吹込成形、押出成形又は吹込押出成形によって得ることができる。
【０１０５】
パウチ材料として使用するのに好適な好ましいポリマー、コポリマー又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。また、ポリマーの混合物をパウチ材料として使用してもよい。
【０１０６】
当然のことながら、異なるフィルム材料及び／又は異なる厚さのフィルムを、本発明の区画の作製に用いてよい。異なるフィルムを選択する利点は、得られる区画が、異なる溶解性又は放出特性を示し得ることである。
【０１０７】
最も好ましいフィルム材料は、ＭｏｎｏＳｏｌの参照品であるＭ８６３０、Ｍ８９００、Ｈ８７７９で公知の、ＰＶＡフィルムである。
【０１０８】
布地色調剤
組成物は、布地色調剤（色合い剤、青味剤、又は白化剤と称される場合もある）を含み得る。典型的には、色調剤は、布地に青又は紫の色合いをもたらす。色調剤は、単独又は組み合わせのいずれかで使用して、特定の色相の色合いを作り出し、かつ／又は異なる種類の布地に色合いを付けることができる。これは、例えば赤と緑−青の染料とを混合して青又は紫の色合いを生じさせることにより提供され得る。色調剤は、任意の既知の化学的部類の染料から選択されてもよく、これには、アクリジン、アントラキノン（多環式キノンを含む）、アジン、予め金属化されたアゾを含むアゾ（例えば、モノアゾ、ジスアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物が挙げられるが、これらに限定されない。
【０１０９】
好適な布地色調剤は、染料、染料−粘土結合体、並びに有機及び無機顔料を含む。好適な染料としては、低分子染料及びポリマー染料が挙げられる。好適な小分子染料は、例えば、ブルー、バイオレット、レッド、グリーン、又はブラックに分類され、単独で又は組み合わせのいずれかで所望の色合いをもたらす、直接染料、塩基性染料、反応染料若しくは加水分解した反応性染料、溶媒染料、又は分散染料の色指数（Ｃ．Ｉ．）分類に分類される染料からなる群から選択される小分子染料を含む。別の態様では、好適な小分子染料としては、カラーインデックス（染色業者及びカラーリスト協会（Ｓｏｃｉｅｔｙ  ｏｆ  Ｄｙｅｒｓ  ａｎｄ  Ｃｏｌｏｕｒｉｓｔｓ，Ｂｒａｄｆｏｒｄ，ＵＫ））番号：ダイレクトバイオレット染料（９、３５、４８、５１、６６、及び９９など）、ダイレクトブルー染料（１、７１、８０、及び２７９など）、アシッドレッド染料（１７、７３、５２、８８、及び１５０など）、アシッドバイオレット染料（１５、１７、２４、４３、４９、及び５０など）、アシッドブルー染料１５、１７、２５、２９、４０、４５、７５、８０、８３、９０、及び１１３など）、アシッドブラック染料（１など）、ベーシックバイオレット染料１、３、４、１０、及び３５など、ベーシックブルー染料（３、１６、２２、４７、６６、７５、及び１５９など）、分散又は溶剤染料、並びにこれらの混合物からなる群から選択される小分子染料が挙げられる。別の態様では、適切な低分子染料としては、Ｃ．Ｉ．番号アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３、及びこれらの混合物からなる群から選択される低分子染料が挙げられる。
【０１１０】
好適なポリマー染料としては、共有結合している（結合していると称されることもある）色原体（色素−ポリマー結合体）を含有するポリマー、例えば、ポリマーの骨格に共重合した色原体を有するポリマー及びこれらの混合物からなる群から選択されるポリマー染料が挙げられる。
【０１１１】
好適な染料−粘土結合体としては、少なくとも１つのカチオン性／塩基性染料及びスメクタイト粘土、並びにこれらの混合物を含む群から選択される染料−粘土結合体が挙げられる。
【０１１２】
香料−好適な補助香料原料としては、下記の表２に列挙される香料原料が挙げられる。そのような補助香料原料は、本明細書に開示したシリコーン化合物に加えて使用することができる。例えば、そのような補助香料原料は、ニート香料の一部又は全部を配合するのに使用することができる。
【０１１３】
追加の香料送達技術−消費者製品は、香料成分が、トリートメントされた基材に付着し、基材から放出されるのを安定化し向上させる１つ又は２つ以上の香料送達技術を含んでもよい。このような香料送達技術を使用して、トリートメントされた基材から香料が放出する寿命を延長することもできる。香料送達技術、特定の香料送達技術を作製する方法、及びこのような香料送達技術の使用は、米国特許出願公開第２００７／０２７５８６６（Ａ１）号に開示されている。
【０１１４】
一態様において、液体布地強化剤組成物は、約０．００１重量％〜約２０重量％、又は約０．０１重量％〜約１０重量％、又は約０．０５重量％〜約５重量％、又は更には約０．１重量％〜約０．５重量％の香料送達技術を含み得る。一態様では、上記の香料送達技術は、香料マイクロカプセル、プロ香料、ポリマー粒子、官能化シリコーン、ポリマー支援型送達、分子支援型送達、繊維支援型送達、アミン支援型送達、シクロデキストリン、デンプンにカプセル封入されたアコード（accord）、ゼオライト及び無機担体、並びにこれらの混合物からなる群から選択され得る。
【０１１５】
一態様において、当該香料送達技術は、有益剤を壁材料で少なくとも部分的に包み込むことによって形成されるマイクロカプセルを含んでもよい。該有益剤は、例えば、一態様でマイクロカプセル壁材料は、メラミン、ポリアクリルアミド、シリコーン、シリカ、ポリスチレン、ポリ尿素、ポリウレタン、ポリアクリレート系材料、ポリアクリル酸エステル系材料、ゼラチン、スチレン無水マレイン酸、ポリアミド、芳香族アルコール、ポリビニルアルコール及びこれらの混合物を含み得る、香料からなる群から選択される材料を挙げることができる。一態様では、当該メラミン壁材料は、ホルムアルデヒドで架橋したメラミン、ホルムアルデヒドで架橋したメラミン−ジメトキシエタノール、及びこれらの混合物を含み得る。一態様では、当該ポリスチレン壁材料は、ジビニルベンゼンで架橋したポリスチレンを含み得る。一態様では、当該ポリ尿素壁材料は、ホルムアミドで架橋した尿素、グルタルアルデヒドで架橋した尿素、及びこれらの混合物を含み得る。一態様では、当該ポリアクリレート系壁材料は、メチルメタクリレート／ジメチルアミノメチルメタクリレートから形成されたポリアクリレート、アミンアクリレート及び／又はメタクリレート並びに強酸から形成されたポリアクリレート、カルボン酸アクリレート及び／又はメタクリレートモノマー並びに強塩基から形成されたポリアクリレート、アミンアクリレート及び／又はメタクリレートモノマー並びにカルボン酸アクリレート及び／又はカルボン酸メタクリレートモノマーから形成されたポリアクリレート、並びにこれらの混合物を含み得る。
【０１１６】
一態様において、該香料送達技術は、アミン化合物（ＡＲＰ）又はチオ化合物を含んでいてもよい。アミン及び／又はチオ官能基が、１つ以上のＰＲＭと予備反応して、化合物を形成する、「反応性」のポリマー性アミン及び／又はポリマー性チオを使用することもできる。典型的には、反応性アミンは、一級及び／又は二級アミンであり、ポリマー又はモノマー（非ポリマー）の一部であり得る。
【０１１７】
移染防止剤
布地クリーニング組成物はまた、クリーニング工程中に、ある布地から別の布地に染料が移るのを阻止するのに有効な１種以上の物質を含んでもよい。一般に、このような移染防止剤としては、ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、及びこれらの混合物が挙げられ得る。使用する場合、これら剤は、組成物の約０．０００１重量％〜約１０重量％、いくつかの例では、組成物の約０．０１重量％〜約５重量％、他の例では、組成物の約０．０５重量％〜約２重量％の濃度で使用され得る。
【０１１８】
キレート剤
本明細書において記載されている洗剤組成物はまた、１つ以上の金属イオンのキレート剤を含有してもよい。好適な分子としては、銅、鉄、及び／又はマンガンキレート剤並びにこれらの混合物が挙げられる。このようなキレート剤は、ホスホネート、アミノカルボキシレート、アミノホスホネート、スクシネート、多官能的に置換された芳香族キレート剤、２−ピリジノール−Ｎーオキシド化合物、ヒドロキサム酸、カルボキシメチルイヌリン、及びこれらの混合物からなる群から選択することができる。キレート剤は、アルカリ金属、アンモニウム、及びその置換アンモニウム塩、並びにこれらの混合物を含む、酸又は塩の形で存在することができる。
【０１１９】
キレート剤として有用なアミノカルボキシレートとしては、エチレンジアミンテトラアセテート（ＥＤＴＡ）；Ｎ−（ヒドロキシエチル）エチレンジアミントリアセテート（ＨＥＤＴＡ）；ニトリロトリアセテート（ＮＴＡ）；エチレンジアミンテトラプロプリオナート；トリエチレンテトラアミンヘキサアセテート、ジエチレントリアミン−ペンタアセテート（ＤＴＰＡ）；メチルグリシン二酢酸（ＭＧＤＡ）；グルタミン酸二酢酸（ＧＬＤＡ）；エタノールジグリシン；トリエチレンテトラアミン六酢酸（ＴＴＨＡ）；Ｎ−ヒドロキシエチルイミノ二酢酸（ＨＥＩＤＡ）；ジヒドロキシエチルグリシン（ＤＨＥＧ）；エチレンジアミンテトラプロピオン酸（ＥＤＴＰ）、及びこれらの誘導体が挙げられるが、これらに限定されない。
【０１２０】
リン含有キレート化剤としては、以下に限定されないが、ジエチレントリアミンペンタ（メチレンホスホン酸）（ＤＴＰＭＰ  ＣＡＳ１５８２７−６０−８）；エチレンジアミンテトラ（メチレンホスホン酸）（ＥＤＴＭＰ  ＣＡＳ１４２９−５０−１）；２−ホスホノブタン１，２，４−トリカルボン酸（Ｂａｙｈｉｂｉｔ（登録商標）ＡＭ）；ヘキサメチレンジアミンテトラ（メチレンホスホン酸）（ＣＡＳ５６７４４−４７−９）；ヒドロキシ−エタンジホスホン酸（ＨＥＤＰ  ＣＡＳ２８０９−２１−４）；ヒドロキシエタンジメチレンホスホン酸；２−ホスホノ−１，２，４−ブタントリカルボン酸（ＣＡＳ３７９７１−３６−１）；２−ヒドロキシ−２−ホスホノ−酢酸（ＣＡＳ２３７８３−２６−８）；アミノトリ（メチレンホスホン酸）（ＡＴＭＰ  ＣＡＳ６４１９−１９−８）；Ｐ，Ｐ’−（１，２−エタンジイル）ビス−ホスホン酸（ＣＡＳ６１４５−３１−９）；Ｐ，Ｐ’−メチレンビス−ホスホン酸（ＣＡＳ１９８４−１５−２）；トリエチレンジアミンテトラ（メチレンホスホン酸）（ＣＡＳ２８４４４−５２−２）；Ｐ−（１−ヒドロキシ−１−メチルエチル）−ホスホン酸（ＣＡＳ４１６７−１０−６）；ビス（ヘキサメチレントリアミンペンタ（メチレンホスホン酸））（ＣＡＳ３４６９０−００−１）；Ｎ２，Ｎ２，Ｎ６，Ｎ６−テトラキス（ホスホノメチル）−リシン（ＣＡＳ１９４９３３−５６−７、ＣＡＳ１７２７８０−０３−９）、それらの塩、及びこれらの混合物が挙げられる。好ましくは、これらのアミノホスホネートは、約６個を超える炭素原子を有するアルキル又はアルケニル基を含有しない。
【０１２１】
本明細書でやはり使用することができる生分解性キレート化剤は、エチレンジアミンジスクシネート（「ＥＤＤＳ」）である。いくつかの例では、［Ｓ，Ｓ］異性体であるが、当然ながらこの特定の例に限定されない。他の例では、ＥＤＤＡの三ナトリウム塩を使用することができるが、マグネシウム塩などの他の形態も有用となり得る。ＢＡＳＦからのＴｒｉｌｏｎＰ（登録商標）などのポリマーキレート化剤も有用となり得る。
【０１２２】
衛生及び悪臭
本発明の組成物はまた、リシノール酸亜鉛、チモール、Ｂａｒｄａｃ（登録商標）などの四級アンモニウム塩、ポリエチレンイミン（ＢＡＳＦのＬｕｐａｓｏｌ（登録商標）など）、及びその亜鉛錯体、銀及び銀化合物、特に、Ａｇ＋又はナノ銀分散体をゆっくり遊離するように設計されているもののうちの１つ以上も含み得る。
【０１２３】
試験方法
本出願の「試験方法」の項で開示されている試験方法は、本出願人らの発明が本明細書に記載されかつ特許請求されているように、本出願人らの発明のパラメータの各値を求めるために使用されるものと理解される。
【０１２４】
粘度試験方法
２５℃におけるサンプル粘度の予備推定値を用いて、モデルＡＲ−Ｇ２レオメータ（ＴＡ  Ｉｎｓｔｒｕｍｅｎｔ  Ｃｏｒｐ．、Ｎｅｗ  Ｃａｓｔｌｅ，Ｄｅｌａｗａｒｅ，ＵＳＡ）で行われる最終的な粘度測定分析において使用する適当な器具の構成を選択する。サンプル粘度の予備推定値は、ブルックフィールド粘度計（Ｂｒｏｏｋｆｉｅｌｄ  Ｅｎｇｉｎｅｅｒｉｎｇ  Ｌａｂｏｒａｔｏｒｉｅｓ  Ｉｎｃ．、Ｍｉｄｄｌｅｂｏｒｏ，Ｍａｓｓａｃｈｕｓｅｔｔｓ，ＵＳＡ）を用いて得ることもできる。ＡＲ−Ｇ２レオメータで使用するための構成の選択は、下記表２に基づいて決定される。
【０１２５】
【表１】
2020525602.tif 000020
【０１２６】
この構成を器具に取り付け、器具をマッピングし、隙間距離を０とし、器具温度を２５℃に設定する。平行プレートを使用する場合には測定モードとして硬質モードを選択し、クエットカップとボブの構成を使用する場合には測定モードとして軟質モードを選択する。サンプル材料は、例えばベースプレートのようなサンプル保持機構内に装着される。ベースプレートと選択される構成との間の許容される最小隙間距離は、サンプル中に存在する最大の共通粒子の直径の１０倍である。サンプル中に直径が１００μｍより大きい共通の粒子がある場合（顕微鏡により測定される）、隙間の値は最大の共通粒子の直径の１０倍に設定されるが、そうでない場合には隙間距離は１０００μｍ（すなわち１ｍｍ）の初期値に設定される。選択された構成を適当な隙間にまで下げ、プラスチック工具を用いていずれの余分なサンプル材料を取り除く。サンプル材料を器具の温度にまで平衡化させる。以下の選択及び設定値を用いて、流れ曲線、応力掃引、及び周波数掃引の３つのレオロジー測定分析を行う。
流れ曲線：段階的流量を０．０１〜１００に選択する；１０倍ごとのポイント数（points/decade）＝１０；剪断応力；一定時間２０；最後の１０個の平均をとる。
応力掃引：応力範囲を０．０１〜１００Ｐａに設定する；周波数を１ｒａｄ／ｓに設定する。
周波数掃引：角周波数範囲を０．１〜１００に設定する。
【０１２７】
分析が線形粘弾性領域内で行われるように、応力値を、事前の応力掃引分析中においてＧ’が低下し始めた時点で存在していた応力値の１／３に設定する。
【０１２８】
２５℃で得られた試験材料の粘度値を報告する。
【０１２９】
アミン当量試験方法
アミン当量法とは、ＡＳＴＭ標準Ｄ２０７４−０７であるが、アミン価（ｍＥｑ／ｇ）からアミン当量（ｍ／ｍｏｌ）へと以下の通りに変換する更なる工程である。
アミン当量（ｇ／ｍｏｌ）＝１０００／アミン価（ｍＥｑ／ｇ）
【０１３０】
ＢＩ参照スケールを使用してブロッキング指数（ＢＩ）を試験サンプルに割り当てる方法
ＢＩ参照スケールについて、試験サンプル材料にＢＩを割り当てるための方法の第１の工程は、ＢＩ参照見本を作製することである。このスケールのための見本は、きれいな布地見本を既知の量の既知の濃度のイソ吉草酸溶液でトリートメントすることによって作られる。この試験のための布地見本は、ＰＣ５０／５０として注文されるＥＭＣ製の白色ポリコットン編地（４インチ×４インチ）見本である。供給業者は、最初に見本を作製するように指示され、この作製は、香料を含まない洗剤で２回洗い、３回すすぐことを含む。
【０１３１】
ＢＩ参照見本の製造
５０％／５０％のＥｔＯＨ／水を希釈剤として用い、０．０８％イソ吉草酸の１種類の溶液を製造する。ＢＩスケールは、悪臭を適用していない１つのきれいな見本を含む。３種類の他の見本は、それぞれ、異なる体積の０．０８％イソ吉草酸が適用される。１つのきれいな見本には、２μＬの０．０８％イソ吉草酸溶液をピペットで置き、次の見本には５μＬの０．０８％イソ吉草酸溶液をピペットで置き、最後のきれいな見本には、２０μＬのイソ吉草酸をピペットで置く。これらの溶液は、見本の中央部にピペットで置かれる。これにより、見本にピペットで置かれた０．０８％イソ吉草酸溶液の体積に基づき、３種類の異なる臭気レベルを有する３つの見本の官能スケールを作成する。換気フードの中で３０分間乾燥させた後、見本をアルミホイルで包み、トリートメントした見本に臭気が混入するのを防ぐ。きれいな未トリートメントの見本も、ＢＩスケールの悪臭強度について、最も低い参照固定点として含まれる。ＢＩ参照スケール見本は、０．５〜１２時間以内に使用し、１２時間後には廃棄すべきである。グレーダーが試験サンプルを評価するとき、見本をスケール固定点として使用し、表１２に示されるようなブロッカー指数（ＢＩ）を割り当てる。
【０１３２】
少なくとも３の香気判定者／専門的なグレーダーを使用し、ＢＩスケールにおいて、イソ吉草酸見本をランク分けする。香気判定者／専門的なグレーダーは、スケールに対する充分な識別能力を示すことが必要である。香気判定者／専門的なグレーダーは、０〜３のスケールに従って、見本をランク分けするよう求められる。グレーダーのパネルは、見本の間の統計的相違を実証しなければならない（訓練グレーダーに関する更なる詳細については、米国特許第２０１６／００９０５５５（Ａ１）号に見られるように、３５ページ第１欄の段落［０２１２］で始まり、表１２を含む２５頁第２欄で終わるものであって、唯一の相違は、３つのグレーダーが本発明の目的のために使用されるということである）。
【０１３３】
ブロッカー指数等級の悪臭見本を作製して試験洗剤でトリートメントする
試験材料（ＭＯＣ油又はシリコーンと反応したＭＯＣ）を含有する試験洗剤のＢＩを評価するため、最初に、身体汚れ悪臭組成物で染色された見本を調製する。身体汚れ悪臭組成物を最初に作製するため、最初に、表Ａの配合に従って悪臭組成物を作製する。
【０１３４】
【表２】
2020525602.tif 000021
【０１３５】
次に、表Ｂに記載の特定の量の各材料を、テフロン（登録商標）で裏打ちされたキャップを備えた２００ｍＬのガラス瓶へ入れて、身体汚れ悪臭組成物を作製する。人工身体汚れ（ＡＢＳ）は、Ａｃｃｕｒａｔｅ  Ｐｒｏｄｕｃｔ  Ｄｅｖｅｌｏｐｍｅｎｔ（２０２８、Ｂｏｈｌｋｅ  Ｂｌｖｄ、Ｆａｉｒｆｉｅｌｄ、ＯＨ４５０１４）によって市販されている。
【０１３６】
【表３】
2020525602.tif 000022
【０１３７】
表Ｂの組成物を使用して、悪臭身体汚れ組成物で染色された見本を調製する。表Ｂに記載の身体汚れ悪臭組成物３００μｌを、ＥＭＣ由来の４×４インチＰＣ５０／５０見本へとのり抜きする。
【０１３８】
染みの付いた見本をトリートメントするために、性能実施例１の表１Ｂに記載の液体洗剤４８グラムを、通常サイクル（７７°Ｆでの洗浄サイクル、続いて６０°Ｆでのすすぎサイクル）に設定されたＤｕｅｔ  ９２００洗浄装置へ添加する。悪臭試験布地を、洗浄水７ｇｐｇ中において３．９ｋｇ、５０×５０ｃｍのきれいなコットン及びポリコットンバラストを用いて洗浄し、次いで、低温に設定されたＭａｙｔａｇ二重スタック回転式乾燥機で２０分間乾燥させる。乾燥した布地をマイラー袋に入れ、２４時間密封する。
【０１３９】
２４時間後、少なくとも３の香気判定者／専門的なグレーダーを用い、試験サンプルにＢＩを割り当てる。専門的なグレーダーは、鼻から１インチに見本を保持することによってイソ吉草酸＋試験材料の臭いを嗅ぎ、その後、その臭気強度の、ＢＩ参照スケールの見本の臭気強度に対するランク付けに基づいて、イソ吉草酸＋試験材料見本にＢＩを割り当てる。試験サンプル見本に、表のＢＩスケールについて、ＢＩ又はいくつかの数を割り当てる。イソ吉草酸＋試験材料見本の臭気がＢＩ参照スケールで３より大きい場合には、これは、材料がブロッカーではないことを示す。
【実施例】
【０１４０】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲において網羅することを意図したものである。
【０１４１】
実施例１
アミノメトキシ官能性ポリジメチルシロキサン、ＯＦＸ−０５３６流体（１００ｇ；Ｄｏｗ  Ｃｏｒｎｉｎｇ  Ｃｏｒｐｏｒａｔｉｏｎ，Ｍｉｄｌａｎｄ，ＭＩ製のＸｉａｍｅｔｅｒから入手可能）を、アルコール、ゲラニオール（４０．５８ｇ；Ｓｉｇｍａ−Ａｌｄｒｉｃｈ，Ｓｔ．Ｌｏｕｉｓ、ＭＯから入手可能）、及びナトリウムメトキシド（２．０３ｇ、メタノール中２５％；Ｓｉｇｍａ−Ａｌｄｒｉｃｈ，Ｓｔ．Ｌｏｕｉｓ，ＭＯから入手可能）と組み合わせる。この混合物を、アルゴンスイープ及び撹拌しながら１２５℃で１６時間加熱する。アルコキシ化合物を遠心分離機にかけ、透明液体としてデカントし、プロトンＮＭＲにより分析する。Ｘ−Ｚ部分は、
【０１４２】
【化１９】
2020525602.tif 000023
である。
【０１４３】
実施例２
アミノメトキシ官能性ポリジメチルシロキサン、ＯＦＸ−０５３６流体（３０ｇ；Ｄｏｗ  Ｃｏｒｎｉｎｇ  Ｃｏｒｐｏｒａｔｉｏｎ，Ｍｉｄｌａｎｄ，ＭＩ製のＸｉａｍｅｔｅｒからから入手可能）を、アルコール、メントール（１２．３３ｇ；Ｓｙｍｒｉｓｅ，Ｈｏｌｚｍｉｎｄｅｎ，Ｇｅｒｍａｎｙから入手可能）、及びナトリウムメトキシド（１．００ｇ、メタノール中２５％；Ｓｉｇｍａ−Ａｌｄｒｉｃｈ，Ｓｔ．Ｌｏｕｉｓ，ＭＯから入手可能）と組み合わせる。この混合物を、アルゴンスイープ及び撹拌しながら１２５℃で７２時間加熱する。アルコキシ化合物を遠心分離機にかけ、透明液体としてデカントし、プロトンＮＭＲにより分析する。Ｘ−Ｚ部分は、
【０１４４】
【化２０】
2020525602.tif 000024
である。
【０１４５】
実施例３
アミノメトキシ官能性ポリジメチルシロキサン、ＯＦＸ−０５３６流体（５０ｇ；Ｄｏｗ  Ｃｏｒｎｉｎｇ  Ｃｏｒｐｏｒａｔｉｏｎ，Ｍｉｄｌａｎｄ，ＭＩ製のＸｉａｍｅｔｅｒからから入手可能）を、アルコール、（Ｅ，Ｚ）−２，６−ノナジエン−１−オール（１８．４５ｇ；Ｂｅｄｏｕｋｉａｎ  Ｒｅｓｅａｒｃｈ，Ｉｎｃ，Ｄａｎｂｕｒｙ，Ｃｏｎｎｅｃｔｉｃｕｔから入手可能）、及びナトリウムメトキシド（１．００ｇ、メタノール中２５％；Ｓｉｇｍａ−Ａｌｄｒｉｃｈ，Ｓｔ．Ｌｏｕｉｓ，ＭＯから入手可能）と組み合わせる。この混合物を、アルゴンスイープ及び撹拌しながら１２５℃で１６時間加熱する。アルコキシ化合物を遠心分離機にかけ、透明液体としてデカントし、プロトンＮＭＲにより分析する。Ｘ−Ｚ部分は、
【０１４６】
【化２１】
2020525602.tif 000025
である。
【０１４７】
実施例４
メトキシ官能性シラン、ジメトキシジメチルシラン（１７０ｇ；Ｇｅｌｅｓｔ，Ｍｏｒｒｉｓｖｉｌｌｅ，ＰＡから入手可能）を、アルコール、ゲラニオール（４６．４１ｇ；Ｓｉｇｍａ−Ａｌｄｒｉｃｈ，Ｓｔ．Ｌｏｕｉｓ，ＭＯから入手可能）、ナトリウムメトキシド（３．５０ｇ、メタノール中２５％；Ｓｉｇｍａ−Ａｌｄｒｉｃｈ，Ｓｔ．Ｌｏｕｉｓ，ＭＯから入手可能）及び水（４５．４９ｇ）と組み合わせる。この混合物を、アルゴンスイープ及び撹拌しながら６０℃で２時間加熱した後、１２５℃で１６時間加熱する。アルコキシ化合物を遠心分離機にかけ、透明液体としてデカントし、プロトンＮＭＲにより分析する。Ｘ−Ｚ部分は、
【０１４８】
【化２２】
2020525602.tif 000026
である。
【０１４９】
実施例５
メトキシ官能性シラン、ジメトキシジメチルシラン（１５０ｇ；Ｓｉｇｍａ−Ａｌｄｒｉｃｈ，Ｓｔ．Ｌｏｕｉｓ，ＭＯから入手可能）及びアミノメトキシ官能性シラン、３−アミノプロピル（ジエトキシ）メチルシラン（３０．５７ｇ；Ｓｉｇｍａ−Ａｌｄｒｉｃｈ，Ｓｔ．Ｌｏｕｉｓ，ＭＯから入手可能を、ゲラニオール、アルコール、（４９．２９ｇ；Ｓｉｇｍａ−Ａｌｄｒｉｃｈ，Ｓｔ．Ｌｏｕｉｓ，ＭＯから入手可能）、ナトリウムメトキシド（３．５０ｇ、メタノール中２５％；Ｓｉｇｍａ−Ａｌｄｒｉｃｈ，Ｓｔ．Ｌｏｕｉｓ，ＭＯから入手可能）及び水（４４．９２ｇ）と組み合わせる。この混合物を、アルゴンスイープ及び撹拌しながら６０℃で２時間加熱した後、１２５℃で１６時間加熱する。アルコキシ化合物を遠心分離機にかけ、透明液体としてデカントし、プロトンＮＭＲにより分析する。Ｘ−Ｚ部分は、
【０１５０】
【化２３】
2020525602.tif 000027
である。
【０１５１】
実施例６
アミノメトキシ官能性ポリジメチルシロキサン、ＯＦＸ−０５３６流体（２０ｇ；Ｄｏｗ  Ｃｏｒｎｉｎｇ  Ｃｏｒｐｏｒａｔｉｏｎ，Ｍｉｄｌａｎｄ，ＭＩ製のＸｉａｍｅｔｅｒから入手可能）を、アルコール、３，６−ノナジエン−１−オール（７．３８ｇ；Ｂｅｄｏｕｋｉａｎ  Ｒｅｓｅａｒｃｈ，Ｉｎｃ，Ｄａｎｂｕｒｙ，Ｃｏｎｎｅｃｔｉｃｕｔから入手可能）、及びナトリウムメトキシド（０．４１ｇ、メタノール中２５％；Ｓｉｇｍａ−Ａｌｄｒｉｃｈ，Ｓｔ．Ｌｏｕｉｓ，ＭＯから入手可能）と組み合わせる。この混合物を、アルゴンスイープ及び撹拌しながら１２５℃で１６時間加熱する。アルコキシ化合物を遠心分離機にかけ、透明液体としてデカントし、プロトンＮＭＲにより分析する。Ｘ−Ｚ部分は、
【０１５２】
【化２４】
2020525602.tif 000028
である。
【０１５３】
実施例７
アミノシリコーン、ＫＦ−３９３（３２００ｇ；Ａｍｅｒｉｃａ  Ｉｎｃ．，Ａｋｒｏｎ，ＯＨのＳｈｉｎ−Ｅｔｓｕ  Ｓｉｌｉｃｏｎｅｓから入手可能）を、下表の材料を含む香料アコード（perfume accord）（７５１．１９ｇ）：
【０１５４】
【表４】
2020525602.tif 000029
及びｐ−トルエンスルホン酸一水和物（４ｇ；Ｓｉｇｍａ−Ａｌｄｒｉｃｈ，Ｓｔ．Ｌｏｕｉｓ，ＭＯから入手可能）と組み合わせる。この混合物を、アルゴンスイープ及び撹拌しながら１２５℃で４時間加熱して、透明液体イミンを提供し、これをプロトンＮＭＲにより分析する。Ｘ−Ｚ部分は、以下のように様々である。
【０１５５】
実施例８
アミノシリコーン、ＫＦ−３９３（１００ｇ；Ａｍｅｒｉｃａ  Ｉｎｃ．，Ａｋｒｏｎ，ＯＨのＳｈｉｎ−Ｅｔｓｕ  Ｓｉｌｉｃｏｎｅｓから入手可能）を、アルデヒド、ピニルイソブチルアルデヒド、α（９．２７ｇ；ＩＦＦ，Ｎｅｗ  Ｙｏｒｋ，ＮＹから入手可能）と組み合わせる。この混合物を、アルゴンスイープ及び撹拌しながら１２５℃で４時間加熱して、透明液体イミンを提供し、これをプロトンＮＭＲにより分析する。Ｘ−Ｚ部分は、
【０１５６】
【化２５】
2020525602.tif 000030
である。
【０１５７】
実施例９
アミノシリコーン、ＫＦ−３９３（１００ｇ；Ａｍｅｒｉｃａ  Ｉｎｃ．，Ａｋｒｏｎ，ＯＨのＳｈｉｎ−Ｅｔｓｕ  Ｓｉｌｉｃｏｎｅｓから入手可能）を、アルデヒド、バニリン（１９．５６ｇ；Ｓｉｇｍａ−Ａｌｄｒｉｃｈ，Ｓｔ．Ｌｏｕｉｓ，ＭＯから入手可能）と組み合わせる。この混合物を、アルゴンスイープ及び撹拌しながら１２５℃で４時間加熱して、透明液体イミンを提供し、これをプロトンＮＭＲにより分析する。Ｘ−Ｚ部分は、
【０１５８】
【化２６】
2020525602.tif 000031
である。
【０１５９】
実施例１０
アミノシリコーン、ＫＦ−３９３（１００ｇ；Ａｍｅｒｉｃａ  Ｉｎｃ．，Ａｋｒｏｎ，ＯＨのＳｈｉｎ−Ｅｔｓｕ  Ｓｉｌｉｃｏｎｅｓから入手可能）を、アルデヒド、２−（４−ｔｅｒｔ−ブチルベンジル）プロピオンアルデヒド（２６．２７ｇ；Ｉｎｎｏｓｐｅｃ  ＬＴＤ，Ｅｎｇｌｅｗｏｏｄ，ＣＯから入手可能）と組み合わせる。この混合物を、アルゴンスイープ及び撹拌しながら１２５℃で４時間加熱して、透明液体イミンを提供し、これをプロトンＮＭＲにより分析する。Ｘ−Ｚ部分は、
【０１６０】
【化２７】
2020525602.tif 000032
である。
【０１６１】
実施例１１
アミノシリコーン、ＫＦ−３９３（１００ｇ；Ａｍｅｒｉｃａ  Ｉｎｃ．，Ａｋｒｏｎ，ＯＨのＳｈｉｎ−Ｅｔｓｕ  Ｓｉｌｉｃｏｎｅｓから入手可能）を、アルデヒド、イントレレベン（intreleven）アルデヒド（２１．６３ｇ；Ｇｉｖａｕｄａｎ，Ｖｅｒｎｉｅｒ，Ｓｗｉｔｚｅｒｌａｎｄから入手可能）と組み合わせる。この混合物を、アルゴンスイープ及び撹拌しながら１２５℃で４時間加熱して、透明液体イミンを提供し、これをプロトンＮＭＲにより分析する。Ｘ−Ｚ部分は、
【０１６２】
【化２８】
2020525602.tif 000033
である。
【０１６３】
実施例１２
アミノシリコーン、Ｘ−２２−３９０８Ａ−Ｂａｓｅ（１００ｇ；Ａｍｅｒｉｃａ  Ｉｎｃ．，Ａｋｒｏｎ，ＯＨのＳｈｉｎ−Ｅｔｓｕ  Ｓｉｌｉｃｏｎｅｓから入手可能）を、アルデヒド、イントレレベン（intreleven）アルデヒド（７．５７ｇ；Ｇｉｖａｕｄａｎ，Ｖｅｒｎｉｅｒ，Ｓｗｉｔｚｅｒｌａｎｄから入手可能）と組み合わせる。この混合物を、アルゴンスイープ及び撹拌しながら１２５℃で４時間加熱して、透明液体イミンを提供し、これをプロトンＮＭＲにより分析する。Ｘ−Ｚ部分は、
【０１６４】
【化２９】
2020525602.tif 000034
である。
【０１６５】
実施例１３−シリコーン化合物を含有している製品の配合物の非限定例を、下表に要約する。
【０１６６】
【表５】
2020525602.tif 000035
＊  残部
ａ  Ｎ，Ｎ−ジ（タローオイルオキシエチル）−Ｎ，Ｎ−ジメチルアンモニウムクロリド。
ｂ  メチルビス（タローアミドエチル）２−ヒドロキシエチルアンモニウムメチルサルフェート。
ｃ  脂肪酸とメチルジエタノールアミンとのモル比１．５：１での化合物を塩化メチルで四級化して得られる、Ｎ，Ｎ−ビス（ステアロイル−オキシ−エチル）Ｎ，Ｎ−ジメチルアンモニウムクロリドとＮ−（ステアロイル−オキシ−エチル）Ｎ−ヒドロキシエチルＮ，Ｎジメチルアンモニウムクロリドとの１：１モル混合物。
ｄ  Ｎａｔｉｏｎａｌ  Ｓｔａｒｃｈから商品名ＣＡＴＯ（登録商標）で入手可能なカチオン性高アミローストウモロコシデンプン。
ｆ  米国特許第５，５７４，１７９号、第１５段、１〜５行目に記載の式を有する、エチレンオキシドとテレフタレートとのコポリマーであって、式中、各Ｘはメチルであり、各ｎは４０であり、ｕは４であり、各Ｒ１は本質的に１，４−フェニレン部分であり、各Ｒ２は、本質的にエチレン、１，２−プロピレン部分、又はこれらの混合物である。
ｇ  Ｗａｃｋｅｒ製ＳＥ３９。
ｈ  ジエチレントリアミン五酢酸。
ｉ  Ｒｏｈｍ  ａｎｄ  Ｈａａｓ  Ｃｏ．から入手可能なＫＡＴＨＯＮ（登録商標）ＣＧ。「ＰＰＭ」は、「百万分の一」。
ｊ  グルタルアルデヒド（Gluteraldehyde）
ｋ  ＤＣ２３１０の商品名でＤｏｗ  Ｃｏｒｎｉｎｇ  Ｃｏｒｐ．から入手可能なシリコーン消泡剤。
ｌ  Ｒｏｈｍ  ａｎｄ  Ｈａａｓから商品名Ａｃｕｌａｎ  ４４で入手可能な疎水変性エトキシル化ウレタン。
【０１６７】
実施例１４：ドライ洗濯配合におけるシリコーン化合物
【０１６８】
【表６】
2020525602.tif 000036
【０１６９】
実施例１５−シリコーン化合物を含む液体洗濯配合物（ＨＤＬ）
【０１７０】
【表７】
2020525602.tif 000037
【０１７１】
実施例１６−本発明によるシリコーン化合物及び／又はマイクロカプセルを含む自由流動性粒子製品の実施例。下の表はまた、遊離しているか又はマイクロカプセル中の香料も含む組み合わせ、あるいは悪臭低減物質及び／又は組成物を含む上述の組み合わせとこれらの組み合わせも例示する。この表はまた、本質的に「無香料」の製品を提供するために芳香剤を殆ど又は全く含まない、遊離しているか又はマイクロカプセル中の悪臭低減物質及び／又は組成物だけを有する組成物、並びにその組み合わせも例示する。
【０１７２】
【表８】
2020525602.tif 000038
【０１７３】
【表９】
2020525602.tif 000039
（１）ＰＥＧ
（２）粘土
（３）尿素
（４）多糖、大部分がデンプン、未加工デンプン、デンプン誘導体、酸加工デンプン及びκカラゲナン
（５）ゼオライト
（６）デンプン／ゼオライト−ＳＥＡ
（７）金属酸化物−非限定例−ＴｉＯ２、ＺｎＯ、ＭｎＯ
（８）金属触媒
（９）乳白剤
（１０）香料系は、遊離香料、並びに次の送達系：マイクロカプセル、ポリマー支援型送達、分子支援型送達、シクロデキストリン、澱粉封入送達、ゼオライト、並びに／又は無機材料の１つ以上から選択される香料の１つ以上から選択される。
【０１７４】
実施例１７−単位用量組成物
【０１７５】
【表１０】
2020525602.tif 000040
香料系は、遊離香料、並びに次の送達系：マイクロカプセル、ポリマーの１つ以上から選択される香料の１つ以上から選択される。
【０１７６】
実施例１８．性能実施例−シリコーンポリマーと反応した悪臭制御（ＭＯＣ）油対遊離油として添加されたＭＯＣ
２つのＭＯＣ油、ＭＯＣ  Ａ及びＭＯＣ  Ｂは、表１８Ａに記載の組成物を提供する。
【０１７７】
【表１１】
2020525602.tif 000041
【０１７８】
ＭＯＣ  Ａ及びＭＯＣ  Ｂを、以下に提供される一般構造を有するシリコーン＋ＭＯＣ油化合物を提供するために、本開示の説明書に従ってシリコーンと反応させる。ここで、置換基Ｒは、独立して、反応後の構成成分油である。
【０１７９】
【化３０】
2020525602.tif 000042
【０１８０】
遊離油又はシリコーンと反応した油を有する洗剤は、表１８Ｂにおける配合に従って調製される。ブロッキング指数（ＢＩ）によって測定された洗剤の性能もまた、表１８Ｂに提供される。
【０１８１】
【表１２】
2020525602.tif 000043
＊重量％は、反応生成物の活性油レベルに基づく。
【０１８２】
表１８ＢのＢＩ結果によって示されるように、シリコーンと反応したＭＯＣ油を含む組成物４及び５は、対照組成物及び比較組成物と比較して改良されたブロッキング指数性能を示した。
【０１８３】
本明細書において開示された寸法及び値は、列挙された正確な数値に厳密に限定されるものとして理解されるべきではない。むしろ、特に指定されない限り、こうした寸法はそれぞれ、列挙した値と、その値の周辺の機能的に等価な範囲との両方を意味することを意図している。例えば、「４０ｍｍ」として開示される寸法は、「約４０ｍｍ」を意味するものとする。
【０１８４】
「発明を実施するための形態」の中で引用される文献は全て、関連部分において参照により本明細書に組み込まれる。いかなる文献の引用も、それが本発明に対する先行技術であることを認めるものとして解釈されるべきではない。本文献における用語のいずれかの意味又は定義が、参照により組み込まれる文献における同じ用語のいずれかの意味又は定義と相反する限りにおいては、本文献においてその用語に割り当てられた意味又は定義が優先するものとする。
【０１８５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲において網羅することを意図したものである。
【国際調査報告】
2020525602.tif 000058
2020525602.tif 000059